(57)【特許請求の範囲】
【請求項１】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他のファスナーテープが縫付けられたファスナーと、
前記衣服の下前のベルト部に取り付けられた弾性材と、
前記衣服の下前のベルト部に前記弾性材を介してベルト方向に移動可能に取り付けられた所定長さの中央タブと、
前記中央タブの一部と前記弾性材とを前記衣服の下前のベルト部に被さることによって覆うオーバーベルトとを具備するものであって、
前記一方のファスナーテープの上端はスライディングテープ及びゴムテープによって前記衣服の上前の上端に縫付けられ、前記スライディングテープの下端は前記一方のファスナーテープの上端に縫付けられ、前記スライディングテープの上端は前記衣服の上前のベルト部に縫付けられて、前記スライディングテープは前記衣服の前中心方向に傾斜した状態で縫付けられており、
前記結合具は、前記中央タブの先端部分と、前記中央タブが伸びていない状態における先端から一定長さ離れた位置の前記衣服の下前のベルト部とに取り付けられた各１個のボタンと、前記衣服の上前のベルト部の前記スライディングテープと前記ゴムテープとの間に設けられた穴かがりされたボタンホールとからなることを特徴とするウエストサイズ調節機構付衣服。
【請求項２】
前記下前のベルト部の構成は、前記下前のベルト部が２枚のベルト生地を少しだけ重ねて前記下前のベルト部の裏側部分のみを縫付けて前記中央タブの一部と前記弾性材とを覆うように折り返されて縫付けられたものであって、前記中央タブの先端部分は縫付けられていない前記下前のベルト部の表側部分から突出していることを特徴とする請求項１に記載のウエストサイズ調節機構付衣服。
【請求項３】
前記衣服の下前のベルト部に前記弾性材を介して前記中央タブを取り付けた際のステッチを隠すために、前記ステッチの上にベルト通し、皮ラベル、布ネーム、ワッペンのいずれかを取り付けたことを特徴とする請求項２に記載のウエストサイズ調節機構付衣服。
【請求項４】
前記結合具は、前記中央タブの先端部分と、前記中央タブが伸びていない状態における先端から一定長さ離れた位置の前記衣服の下前のベルト部とに取り付けられた各１個の凹側のドット釦と、前記衣服の上前のベルト部に取り付けられた凸側のドット釦とからなることを特徴とする請求項１乃至請求項３のいずれか１つに記載のウエストサイズ調節機構付衣服。
【請求項５】
前記結合具は、前記中央タブの先端部分と、前記中央タブが伸びていない状態における先端から一定長さ離れた位置の前記衣服の下前のベルト部とに取り付けられた各１個の受構成体と、前記衣服の上前のベルト部の裏側に取り付けられた鉤構成体とからなることを特徴とする請求項１乃至請求項３のいずれか１つに記載のウエストサイズ調節機構付衣服。
【請求項６】
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に取り付けられた鉤構成体とからなり、前記中央タブの裏側に凸側のドット釦が取り付けられ、前記衣服の下前のベルト部に凹側のドット釦が取り付けられていることを特徴とする請求項１乃至請求項３のいずれか１つに記載のウエストサイズ調節機構付衣服。
【請求項７】
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、前記衣服の下前のベルト部に２つの受部を有する受構成体が取り付けられ、前記衣服の上前のベルト部の裏側に２つの鉤部を有する鉤構成体が取り付けられていることを特徴とする請求項１乃至請求項３のいずれか１つに記載のウエストサイズ調節機構付衣服。
【請求項８】
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と、前記衣服の上前のベルト部の裏側に設けられた鉤構成体とからなり、前記衣服の下前のベルト部にマジックテープ（登録商標）の硬い側または軟らかい側が取り付けられ、前記中央タブの裏側にマジックテープ（登録商標）の軟らかい側または硬い側が取り付けられていることを特徴とする請求項１乃至請求項３のいずれか１つに記載のウエストサイズ調節機構付衣服。
【請求項９】
前記オーバーベルトまたは前記下前のベルト部の表側部分から突出している前記中央タブの先端部分と同一形状の飾りタブを前記衣服の上前のベルト部に左右対称になるように設けたことを特徴とする請求項１乃至請求項８のいずれか１つに記載のウエストサイズ調節機構付衣服。
【請求項１０】
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に１個と前記衣服の下前のベルト部に複数個取り付けられた受構成体と前記衣服の上前のベルト部の裏側に設けられた鉤構成体とからなり、
前記衣服の上前のベルト部には前記衣服の下前のベルト部側に伸びた持ち出しが設けられていることを特徴とする請求項１乃至請求項３のいずれか１つに記載のウエストサイズ調節機構付衣服。
【請求項１１】
前記弾性材には、その最大伸びを制限する伸び止め材を並設したことを特徴とする請求項１乃至請求項１０のいずれか１つに記載のウエストサイズ調節機構付衣服。
【請求項１２】
更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、
前記伸び止め材は、前記弾性材に並設されてその最大伸びを制限するものであり、
前記オーバーベルトは前記ベルト部に被さることによって前記脇タブの一部をも覆うものであり、
前記脇タブには穴かがりされたボタンホールが設けられ、前記脇タブの近傍の前記下前のベルト部にはベルト方向に沿って複数のボタンが取り付けられていることを特徴とする請求項１に記載のウエストサイズ調節機構付衣服。
【請求項１３】
更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、
前記伸び止め材は、前記弾性材に並設されてその最大伸びを制限するものであり、
前記脇タブには穴かがりされたボタンホールが設けられ、前記脇タブの近傍の前記下前のベルト部にはベルト方向に沿って複数のボタンが取り付けられており、
前記下前のベルト部の構成は、前記下前のベルト部が２枚のベルト生地を間隔を置いて配置した上からもう１枚のベルト生地を前記２枚のベルト生地に重ねて前記下前のベルト部の裏側部分のみを縫付けて前記中央タブの一部と前記脇タブの一部と前記弾性材とを覆うように折り返されて縫付けられたものであって、前記中央タブ及び前記脇タブの先端部分は縫付けられていない前記下前のベルト部の表側部分から突出していることを特徴とする請求項１に記載のウエストサイズ調節機構付衣服。
【請求項１４】
前記脇タブには前記穴かがりされたボタンホールの代わりに裏面にマジックテープ（登録商標）の硬い側または軟らかい側が取り付けられ、前記脇タブの近傍の前記下前のベルト部には前記複数のボタンの代わりにマジックテープ（登録商標）の軟らかい側または硬い側が取り付けられていることを特徴とする請求項１２または請求項１３に記載のウエストサイズ調節機構付衣服。
【請求項１５】
前記脇タブには前記穴かがりされたボタンホールの代わりに裏面に２以上の鉤部を有する鉤構成体が取り付けられ、前記脇タブの近傍の前記下前のベルト部には前記複数のボタンの代わりに受構成体が取り付けられていることを特徴とする請求項１２または請求項１３に記載のウエストサイズ調節機構付衣服。
【請求項１６】
前記脇タブには前記穴かがりされたボタンホールの代わりに裏面に凸側のドット釦が取り付けられ、前記脇タブの近傍の前記下前のベルト部には前記複数のボタンの代わりにベルト方向に沿って複数の凹側のドット釦が取り付けられていることを特徴とする請求項１２または請求項１３に記載のウエストサイズ調節機構付衣服。
【請求項１７】
前記結合具は、前記中央タブの先端部分に設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた受構成体とからなり、
前記中央タブの一部と前記弾性材は前記衣服の上前のベルト部によって覆われていることを特徴とする請求項１に記載のウエストサイズ調節機構付衣服。
【請求項１８】
前記結合具は、前記中央タブの先端部分に取り付けられた凸側のドット釦と、前記衣服の下前のベルト部に取り付けられた凹側のドット釦と、前記衣服の上前のベルト部の裏側に取り付けられた鉤構成体と、前記衣服の下前のベルト部に取り付けられた受構成体とからなることを特徴とする請求項１７に記載のウエストサイズ調節機構付衣服。
【請求項１９】
前記結合具は、前記中央タブの先端部分の裏側と、前記衣服の上前のベルト部の裏側とに取り付けられた各１個の鉤構成体と、前記衣服の下前のベルト部に取り付けられた受構成体とからなることを特徴とする請求項１７に記載のウエストサイズ調節機構付衣服。
【請求項２０】
前記衣服の上前のベルト部に前記弾性材を介して前記中央タブを取り付けた際のステッチを隠すために、前記ステッチの上にベルト通し、皮ラベル、布ネーム、ワッペンのいずれかを取り付けたことを特徴とする請求項１７乃至請求項１９のいずれか１つに記載のウエストサイズ調節機構付衣服。
【請求項２１】
前記弾性材には、その最大伸びを制限する伸び止め材を並設したことを特徴とする請求項１７乃至請求項２０のいずれか１つに記載のウエストサイズ調節機構付衣服。
【請求項２２】
更に、前記衣服の上前のベルト部が前記衣服の下前のベルト部側に突出した所定長さの持ち出しを具備するものであって、
前記結合具は、前記持ち出しに設けられた穴かがりした一定長さのボタンホールと、前記衣服の下前のベルト部に取り付けられたボタンと、前記衣服の上前のベルト部の裏側に取り付けられた鉤構成体と、前記衣服の下前のベルト部に前記一定長さ以下離して取り付けられた複数の受構成体とからなることを特徴とする請求項１に記載のウエストサイズ調節機構付衣服。
【請求項２３】
前記結合具は、前記持ち出しに設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた２以上の受部を有する受構成体とからなることを特徴とする請求項２２に記載のウエストサイズ調節機構付衣服。
【請求項２４】
前記結合具は、前記持ち出しに設けられた穴かがりしたボタンホールと、前記衣服の下前のベルト部に取り付けられたボタンと、前記衣服の上前のベルト部の裏側に取り付けられた２以上の鉤部を有する鉤構成体と、前記衣服の下前のベルト部に取り付けられた受構成体とからなることを特徴とする請求項２２に記載のウエストサイズ調節機構付衣服。
【請求項２５】
更に、前記衣服の上前のベルト部内と前記衣服の下前のベルト部内にそれぞれ弾性材を介して取り付けられ、前記衣服の上前のベルト部の開口部と前記衣服の下前のベルト部の開口部とからそれぞれ突出した１対の飾りベルトを具備するものであって、
前記結合具は、前記１対の飾りベルトの一方の先端部分に設けられた穴かがりしたボタンホールと、前記１対の飾りベルトの他方の先端部分に取り付けられたボタンと、前記衣服の上前のベルト部の裏側に取り付けられた鉤構成体と、前記衣服の下前のベルト部に取り付けられた１または２以上の受構成体とからなることを特徴とする請求項１に記載のウエストサイズ調節機構付衣服。
【請求項２６】
前記結合具は、前記１対の飾りベルトの一方の先端部分に取り付けられた２個のＤカンと、前記２個のＤカンに巻き付けられて止められる前記１対の飾りベルトの他方と、前記衣服の上前のベルト部の裏側に取り付けられた鉤構成体と、前記衣服の下前のベルト部に取り付けられた１または２以上の受構成体とからなることを特徴とする請求項２５に記載のウエストサイズ調節機構付衣服。
【請求項２７】
前記結合具は、前記１対の飾りベルトの一方の先端部分に取り付けられたピン付きバックルと、前記１対の飾りベルトの他方に設けられた複数のベルト孔と、前記衣服の上前のベルト部の裏側に取り付けられた鉤構成体と、前記衣服の下前のベルト部に取り付けられた１または２以上の受構成体とからなることを特徴とする請求項２５に記載のウエストサイズ調節機構付衣服。
【請求項２８】
前記結合具は、前記１対の飾りベルトの一方の先端部分に取り付けられた金具と、前記１対の飾りベルトの他方の先端部分に取り付けられた前記金具に係止されるもう１つの金具と、前記衣服の上前のベルト部の裏側に取り付けられた鉤構成体と、前記衣服の下前のベルト部に取り付けられた１または２以上の受構成体とからなることを特徴とする請求項２５に記載のウエストサイズ調節機構付衣服。
【請求項２９】
前記結合具は、前記衣服の下前または上前のベルト部に直接取り付けられたピン付きバックル付きベルトと、前記衣服の上前または下前のベルト部に直接取り付けられた複数のベルト孔付きベルトとからなることを特徴とする請求項１に記載のウエストサイズ調節機構付衣服。
【請求項３０】
前記結合具は、前記衣服の下前または上前のベルト部に直接取り付けられた長さ調節機構付きベルトとその先端に取り付けられた嵌合バックルの一方と、前記衣服の上前または下前のベルト部に直接取り付けられた先端に前記嵌合バックルの他方が取り付けられたベルトとからなることを特徴とする請求項２９に記載のウエストサイズ調節機構付衣服。
【請求項３１】
前記結合具は、前記衣服の上前または下前のベルト部に直接取り付けられた先端に２個のＤカンが取り付けられたベルトと、前記衣服の下前または上前のベルト部に直接取り付けられた前記２個のＤカンに巻き付けられて止められるベルトとからなることを特徴とする請求項２９に記載のウエストサイズ調節機構付衣服。
【請求項３２】
前記結合具は、前記衣服の上前または下前のベルト部に直接取り付けられた先端にピンなしバックルが取り付けられたベルトと、前記衣服の下前または上前のベルト部に直接取り付けられた中間にマジックテープ（登録商標）の硬い側または軟らかい側が取り付けられ先端にマジックテープ（登録商標）の軟らかい側または硬い側が取り付けられたベルトとからなることを特徴とする請求項２９に記載のウエストサイズ調節機構付衣服。
【請求項３３】
前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、両方のベルトが通されるピンなしバックルとからなることを特徴とする請求項２９に記載のウエストサイズ調節機構付衣服。
【請求項３４】
前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の上前または下前のベルト部端に縫付けられた両方のベルトが通されるピンなし１本線バックルとからなることを特徴とする請求項２９に記載のウエストサイズ調節機構付衣服。
【請求項３５】
前記結合具は、前記衣服の上前または下前のベルト部に直接取り付けられた先端の表側にマジックテープ（登録商標）の硬い側または軟らかい側が取り付けられたベルトと、前記衣服の下前または上前のベルト部に直接取り付けられた先端の裏側にマジックテープ（登録商標）の軟らかい側または硬い側が取り付けられたベルトとからなることを特徴とする請求項２９に記載のウエストサイズ調節機構付衣服。
【請求項３６】
前記結合具は、前記衣服の上前のベルト部に直接取り付けられた中間に凹側のドット釦が取り付けられ先端に複数の凸側のドット釦が取り付けられたベルトと、前記衣服の下前のベルト部に直接取り付けられた中間に凹側のドット釦が取り付けられ先端に複数の凸側のドット釦が取り付けられたベルトと、両方のベルトが通されるピンなしバックルとからなることを特徴とする請求項２９に記載のウエストサイズ調節機構付衣服。
【請求項３７】
前記結合具は、前記衣服の上前のベルト部に直接取り付けられた中間に複数のボタンが取り付けられ先端に穴かがりされたボタンホールが設けられたベルトと、前記衣服の下前のベルト部に直接取り付けられた中間に複数のボタンが取り付けられ先端に穴かがりされたボタンホールが設けられたベルトと、両方のベルトが通されるピンなしバックルとからなることを特徴とする請求項２９に記載のウエストサイズ調節機構付衣服。
【請求項３８】
前記結合具は、前記衣服の上前のベルト部に直接取り付けられたベルト布またはリボン布と、前記衣服の下前のベルト部に直接取り付けられたベルト布またはリボン布とからなることを特徴とする請求項２９に記載のウエストサイズ調節機構付衣服。
【請求項３９】
前記結合具は、樹脂製のレールとそのレールに嵌合して任意の位置で係止可能にスライドするスライダーとからなるベルトアジャスターであって、前記スライダーを布ベルトを介して前記衣服の上前または下前のベルト部に取り付け、前記レールを前記衣服の下前または上前のベルト部に直接取り付けたものであることを特徴とする請求項２９に記載のウエストサイズ調節機構付衣服。
【請求項４０】
前記結合具は、前記衣服の上前のベルト部に共布ベルトを介して取り付けられた紐と、前記衣服の下前のベルト部に共布ベルトを介して取り付けられた紐とからなることを特徴とする請求項２９に記載のウエストサイズ調節機構付衣服。
【請求項４１】
前記結合具は、前記衣服の上前または下前のベルト部にベルトを介して取り付けられた鎖と、前記衣服の下前または上前のベルト部にベルトを介して取り付けられた先端にナスカンの付いた鎖とからなることを特徴とする請求項２９に記載のウエストサイズ調節機構付衣服。
【請求項４２】
前記結合具は、前記衣服の下前のベルト部にファスナーラインの左右において取り付けられた各１個のボタンと、前記衣服の上前のベルト部に設けられた穴かがりされたボタンホールとからなることを特徴とする請求項１に記載のウエストサイズ調節機構付衣服。
【請求項４３】
前記結合具は、前記衣服の下前のベルト部にファスナーラインの左右において取り付けられた各１個の凹側のドット釦と、前記衣服の上前のベルト部に取り付けられた凸側のドット釦とからなることを特徴とする請求項４２に記載のウエストサイズ調節機構付衣服。
【請求項４４】
前記衣服の上前に設けられた上下方向に伸びるタックの代わりに前記衣服の下前に上下方向に伸びるタックが設けられ、
前記衣服の下前に設けられたタックに縫代となる一方のファスナーテープが縫付けられ、かつ、前記衣服の上前に縫代となる他のファスナーテープが縫付けられていることを特徴とする請求項１乃至請求項４３のいずれか１つに記載のウエストサイズ調節機構付衣服。
【発明の詳細な説明】
【０００１】
【発明の属する技術分野】
本発明は、ズボン（パンツ）、スカートのウエスト部分の分割部分を結合する衣服用掛止金具、ボタン、ドット釦を始めとする結合具を取り付けたウエストサイズ調節機構付衣服に関するものであり、特に、着用する人の衣服のウエストサイズを調節できるウエストサイズ調節機構付ズボン、ウエストサイズ調節機構付スカート等のウエストサイズ調節機構付衣服に関するものであり、衣服全般に適用できるものである。
【０００２】
【従来の技術】
本発明者は、先に、着用する人のウエストサイズに合わせてウエストサイズを調節できるとともに、着用する人のウエストサイズだけでなく腰近傍の寸法が多少変化しても、着用感や見栄えを損なわないズボン、スカート等のウエストサイズ調節機構付衣服にかかる発明についての出願をしている（特願２０００−２３５２２７）。この発明のウエストサイズ調節機構付衣服においては、ズボン等のファスナーの上端のベルト部にそれぞれ２つ以上の鉤部と受部を有する掛止金具を取り付けることによって、４つ以上のウエストサイズの変化を可能とするとともに、ウエストサイズの変化に伴ってファスナーテープが移動できるように、ファスナーテープを縫い付けるズボン等の上前にタックを設けている。
【０００３】
かかるウエストサイズ調節機構付衣服について、図５１及び図５２を参照して説明する。図５１は従来のウエストサイズ調節機構付衣服の構造を示す説明図である。図５２は従来のウエストサイズ調節機構付衣服におけるタックの構造を示す斜視図である。なお、図５１においては、ベルト裏地５２ａに取付けられる２つ以上の鉤部を有する鉤構成体は、図示省略されている。
【０００４】
図５１に示されるように、従来のウエストサイズ調節機構付ズボンにおいては、上前５３ａにタック（フラシ）５０を縦方向に設けて、このタック５０にファスナーテープＦａを縫付けている。図５２に示すように、タック５０は、上前５３ａの生地を外側の折り返し部分５０ａと内側の折り返し部分５０ｂの２箇所で折り返すことによって、折り返し部分５０ａから折り返し部分５０ｂの区間で折り重なり部分を生ぜしめ、この折り重なり部分が引き延ばされることによって掛止金具によりズボンのウエストサイズを調節自在とする範囲で形状変化を自在としたものである。図に示すように、この折り重なり部分はタック５０の上端で最も幅が大きく、下方に行くにしたがって小さくなり下端で消滅する。
【０００５】
図５２に示すように、一方のファスナーテープＦａはタック５０の折り重なり部分の上側において、上前５３ａに縫付けられる。一方のファスナーテープＦａに沿って並ぶ複数のむしＦｂと噛み合う他方のファスナーテープＦａは、図示しない下前に縫付けられる。そして、ズボン５１の前明は、各ファスナーテープＦａの複数のむしＦｂを噛み合わせて２つのファスナーテープＦａを結合するスライダーＦｃを上下動することによって開閉できるようになっている。
【０００６】
さらに、図５１に示すように一方のファスナーテープＦａの上端は、ベルト裏地５２ａの内側でスライディングテープ６０によって上前５３ａの上端に縫付けられている。スライディングテープ６０は、上前５３ａの端縁の外方向に向かって傾斜した状態でベルト裏地５２ａの内側に挟んで縫付けられている。
【０００７】
このようにファスナーテープＦａのタック５０に縫付けられた部分は、折り重なり部分による余長分の長さの範囲内で、図５２において矢印で示すように、上前５３ａの端縁の外方向に向かって、引いて移動させることができる。即ち、タック５０がファスナーテープＦａを介して上前５３ａの端縁の外側に引張られることで、タック５０の折り重なり部分が引き延ばされ、ファスナーテープＦａを上前５３ａの端縁の外方向に向かって移動させることができる。また、上前５３ａに縫付けられているスライディングテープ６０は、上前５３ａの端縁の外方向に向かって傾斜した状態でベルト裏地５２ａの内側に挟んで縫付けられているので、ファスナーテープＦａのタック５０への縫付け部分が上前５３ａの端縁の外方向に向かって移動することが、ゆとり方向への移動となるから、その移動を妨げることがない。
【０００８】
タック５０によれば、スライダーＦｃを上げてファスナーＦで前明を閉じた状態において、ズボン５１のウエストベルトを広げる方向に外力を加えると、ファスナーテープＦａの下にタック５０が形成されている領域で、タック５０の折り重なり部分を引き延ばせる長さの範囲内でズボン５１のウエストサイズが長くなり、ウエストベルトの下部もそのサイズが広くなる。これによって、着用する人の腰周り寸法に合わせてズボン等の腰周り寸法を掛止金具によって調節し、同時に着用する人の腰の下部周りの寸法をタックによってファスナーテープを適宜動かすことによって調節することができる。
【０００９】
【発明が解決しようとする課題】
しかし、ズボン５１の腰周り寸法を掛止金具の代わりに上前５３ａと図示しない下前に複数のボタンとボタンホールを設けることによって調節しようとすると、上前５３ａにボタンホールを設けなければならないが、図５１に示されるように、上前５３ａのベルト部にはファスナーテープＦａを支持するスライディングテープ６０があるために、ボタンホールを貫通させることができない。また、スライディングテープ６０の一部のみを打ち抜いてボタンホールを貫通させられたとしても、ボタンホールの穴かがりがスライディングテープ６０をも共に縫い付けることになり、ファスナーテープＦａの自由な移動を妨げることになってしまう。かかる事情は、ドット釦（スナップ）の凸側を上前５３ａのベルト部を貫通させる場合でも同じであり、このためズボン等のウエスト部分の分割部分をウエストサイズ調節自在に結合する結合具の選択の範囲が制限されてしまう。
【００１０】
特に、婦人物パンツにおいては、穴かがりしたボタンホールとボタンとによって前明を結合するものが主流であって約９０％を占め、掛止金具を使用するものは高齢者等を対象にした残りの約１０％に過ぎない。このため、婦人用のウエストサイズ調節機構付衣服（パンツ、スカート）において、結合具として穴かがりしたボタンホールとボタンとを用いたものが切望されていた。
【００１１】
さらに、従来のウエストサイズ調節機構付衣服は、段階的にウエストサイズを調節するものが殆どであり、一定の範囲内で連続的にウエストサイズを変化させることができるものはごく一部であり、その上さらに連続的にウエストサイズを変化させることができるフリーサイズ状態とウエストサイズを固定した状態とを容易に切り替えることができるものは存在しなかった。
【００１２】
そこで、本発明は、ウエスト部分の分割部分をウエストサイズ調節自在に結合する結合具としてボタン、ドット釦等も使用することができるとともに、連続的にウエストサイズを変化させることができる状態とウエストサイズを固定した状態とを容易に切り替えることができるウエストサイズ調節機構付衣服を提供することを課題とするものである。
【００１３】
【課題を解決するための手段】
請求項１の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他のファスナーテープが縫付けられたファスナーと、前記衣服の下前のベルト部に取り付けられた弾性材と、前記衣服の下前のベルト部に前記弾性材を介してベルト方向に移動可能に取り付けられた所定長さの中央タブと、前記中央タブの一部と前記弾性材とを前記衣服の下前のベルト部に被さることによって覆うオーバーベルトとを具備するものであって、前記一方のファスナーテープの上端はスライディングテープ及びゴムテープによって前記衣服の上前の上端に縫付けられ、前記スライディングテープの下端は前記一方のファスナーテープの上端に縫付けられ、前記スライディングテープの上端は前記衣服の上前のベルト部に縫付けられて、前記スライディングテープは前記衣服の前中心方向に傾斜した状態で縫付けられており、前記結合具は、前記中央タブの先端部分と、前記中央タブが伸びていない状態における先端から一定長さ離れた位置の前記衣服の下前のベルト部とに取り付けられた各１個のボタンと、前記衣服の上前のベルト部の前記スライディングテープと前記ゴムテープとの間に設けられた穴かがりされたボタンホールとからなるものである。
【００１４】
ここで、「タック」はフラシとも呼ばれ、衣服の生地を上下方向に沿って所定長さだけ折り重なり部分が生ずるように二度折り返してなるものである。この折り重なり部分はタックの上端で最も幅が大きく、下方に行くにしたがって小さくなり、前記所定長さ下がった位置で消滅する。また、「弾性材」としては、ストレッチテープ（ゴム入り布テープ）、ゴムテープ、スパンレックス等の材質を用いることができる。
【００１５】
これによって、着用する人の腰周り寸法に合わせて衣服のウエストベルトの寸法を結合具及びタックの折り重なり部分により調節することができる。ここで、結合具は、衣服の下前のベルト部に弾性材を介して移動可能に取り付けられた所定長さの中央タブの先端と、中央タブが伸びていない状態における先端から一定長さ離れた位置のベルト部とに取り付けられた各１個のボタンと、衣服の上前のベルト部に設けられた穴かがりされたボタンホールとからなる。したがって、中央タブの先端に取り付けられたボタンをボタンホールに係止した場合には、中央タブが取り付けられた弾性材の伸縮可能な範囲内で連続的にウエストサイズを変化させることができる（フリーサイズ）。また、ベルト部に取り付けられたボタンをボタンホールに係止した場合には、ウエストサイズは一定のサイズに固定される。さらに、中央タブの一部と弾性材とはベルト部に被さるオーバーベルトによって覆われているため、見栄えも良く斬新なデザインとなる。
【００１６】
このボタンホールは、一方のファスナーテープの上端を支持しているスライディングテープが取り付けられている上前のベルト部に設けられているが、ボタンホールがスライディングテープの一部を打ち抜いて穴かがりによってスライディングテープが共に縫付けられたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部にボタンホールを設けて穴かがりをしても一方のファスナーテープの移動を妨げることがない。
【００１７】
このようにして、結合具としてボタンも使用することができるとともに、連続的にウエストサイズを変化させることができるフリーサイズ状態とウエストサイズを固定した状態とを容易に切り替えることができるウエストサイズ調節機構付衣服となる。
【００１８】
請求項２の発明にかかるウエストサイズ調節機構付衣服は、請求項１の構成において、前記下前のベルト部の構成は、前記下前のベルト部が２枚のベルト生地を少しだけ重ねて前記下前のベルト部の裏側部分のみを縫付けて前記中央タブの一部と前記弾性材とを覆うように折り返されて縫付けられたものであって、前記中央タブの先端部分は縫付けられていない前記下前のベルト部の表側部分から突出しているものである。
【００１９】
かかる構成によって、着用する人の腰周り寸法に合わせて衣服のウエストベルトの寸法を結合具及びタックの折り重なり部分により調節することができる。ここで、結合具は、衣服の下前のベルト部に弾性材を介して移動可能に取り付けられた所定長さの中央タブの先端と、中央タブが伸びていない状態における先端から一定長さ離れた位置のベルト部とに取り付けられた各１個のボタンと、衣服の上前のベルト部に設けられた穴かがりされたボタンホールとからなる。
【００２０】
したがって、中央タブの先端に取り付けられたボタンをボタンホールに係止した場合には、中央タブが取り付けられた弾性材の伸縮可能な範囲内で連続的にウエストサイズを変化させることができる（フリーサイズ）。また、ベルト部に取り付けられたボタンをボタンホールに係止した場合には、ウエストサイズは一定のサイズに固定される。さらに、中央タブの一部と弾性材とは２枚のベルト生地を少しだけ重ねて構成されたベルト部によって覆われているため、見栄えも良く斬新なデザインとなる。
【００２１】
ここでボタンホールは、一方のファスナーテープの上端を支持しているスライディングテープが取り付けられている上前のベルト部に設けられているが、ボタンホールがスライディングテープの一部を打ち抜いて穴かがりによってスライディングテープが共に縫付けられたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部にボタンホールを設けて穴かがりをしても一方のファスナーテープの移動を妨げることがない。
【００２２】
このようにして、結合具としてボタンも使用することができるとともに、連続的にウエストサイズを変化させることができるフリーサイズ状態とウエストサイズを固定した状態とを容易に切り替えることができ、さらにベルト部を薄手に仕上げることができて厚手の生地からなる衣服にも適したウエストサイズ調節機構付衣服となる。
【００２３】
請求項３の発明にかかるウエストサイズ調節機構付衣服は、請求項２の構成において、前記衣服の下前のベルト部に前記弾性材を介して前記中央タブを取り付けた際のステッチを隠すために、前記ステッチの上にベルト通し、皮ラベル、布ネーム、ワッペンのいずれかを取り付けたものである。
【００２４】
請求項２の構成においては、このステッチの上にベルト通し、皮ラベル、布ネーム、ワッペンのいずれかを取り付けることによって、ステッチが隠れて見栄えが良くなる。
【００２５】
このようにして、結合具としてボタンも使用することができるとともに、連続的にウエストサイズを変化させることができるフリーサイズ状態とウエストサイズを固定した状態とを容易に切り替えることができ、かつ見栄えも良いウエストサイズ調節機構付衣服となる。
【００２６】
請求項４の発明にかかるウエストサイズ調節機構付衣服は、請求項１乃至請求項３のいずれか１つの構成において、前記結合具は、前記中央タブの先端部分と、前記中央タブが伸びていない状態における先端から一定長さ離れた位置の前記衣服の下前のベルト部とに取り付けられた各１個の凹側のドット釦と、前記衣服の上前のベルト部に取り付けられた凸側のドット釦とからなることを特徴とするものである。
【００２７】
したがって、衣服の上前のベルト部に取り付けられた凸側のドット釦を中央タブの先端部分に取り付けた凹側のドット釦に嵌めた場合には、中央タブが取り付けられた弾性材の伸縮可能な範囲内で連続的にウエストサイズを変化させることができる（フリーサイズ）。また、凸側のドット釦を下前のベルト部に取り付けられた凹側のドット釦に嵌めた場合には、ウエストサイズは一定のサイズに固定される。
【００２８】
この凸側のドット釦は、一方のファスナーテープの上端を支持しているスライディングテープが取り付けられている上前のベルト部に取り付けられているが、凸側のドット釦が上前のベルト部を貫通して取り付けられている場合、スライディングテープの一部を打ち抜いてスライディングテープが凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部を貫通して凸側のドット釦が取り付けられている場合でも一方のファスナーテープの移動を妨げることがない。これに対して、凸側のドット釦が上前のベルト部の裏側に取り付けられている場合には、一方のファスナーテープの移動を妨げる心配はない。
【００２９】
このようにして、結合具としてドット釦も使用することができるとともに、連続的にウエストサイズを変化させることができるフリーサイズ状態とウエストサイズを固定した状態とを容易に切り替えることができるウエストサイズ調節機構付衣服となる。
【００３０】
請求項５の発明にかかるウエストサイズ調節機構付衣服は、請求項１乃至請求項３のいずれか１つの構成において、前記結合具は、前記中央タブの先端部分と、前記中央タブが伸びていない状態における先端から一定長さ離れた位置の前記衣服の下前のベルト部とに取り付けられた各１個の受構成体と、前記衣服の上前のベルト部の裏側に取り付けられた鉤構成体とからなるものである。
【００３１】
したがって、上前のベルト部の裏側に取り付けられた鉤構成体を中央タブの先端部分に取り付けられた受構成体に係止した場合には、中央タブが取り付けられた弾性材の伸縮可能な範囲内で連続的にウエストサイズを変化させることができる（フリーサイズ）。また、鉤構成体を下前のベルト部に取り付けられた受構成体に係止した場合には、ウエストサイズは一定のサイズに固定される。
【００３２】
このようにして、連続的にウエストサイズを変化させることができるフリーサイズ状態とウエストサイズを固定した状態とを容易に切り替えることができるウエストサイズ調節機構付衣服となる。
【００３３】
請求項６の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に取り付けられた鉤構成体とからなり、前記中央タブの裏側に凸側のドット釦が取り付けられ、前記衣服の下前のベルト部に凹側のドット釦が取り付けられているものである。
【００３４】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブの裏側の凸側のドット釦を下前のベルト部の凹側のドット釦に嵌めることによって、中央タブが固定されて、ウエストサイズは一定のサイズに固定される。
【００３５】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【００３６】
このようにして、結合具としてボタンやドット釦も使用することができるとともに、連続的にウエストサイズを変化させることができるフリーサイズ状態とウエストサイズを固定した状態とを容易に切り替えることができるウエストサイズ調節機構付衣服となる。
【００３７】
請求項７の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と、前記衣服の上前のベルト部の裏側に設けられた鉤構成体とからなり、前記衣服の下前のベルト部に２つの受部を有する受構成体が取り付けられ、前記衣服の上前のベルト部の裏側に２つの鉤部を有する鉤構成体が取り付けられているものである。
【００３８】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、上前のベルト部の裏側の２つの鉤部を有する鉤構成体を下前のベルト部の２つの受部を有する受構成体に係止することによって、ウエストサイズは一定のサイズに固定される。ここで、２つの鉤部を有する鉤構成体と２つの受部を有する受構成体によって、４通りのサイズの固定位置が可能となる。
【００３９】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【００４０】
このようにして、結合具としてボタンやドット釦も使用することができるとともに、連続的にウエストサイズを変化させることができるフリーサイズ状態とウエストサイズを固定した状態とを容易に切り替えることができ、固定したウエストサイズを４通りのサイズの中から選択できるウエストサイズ調節機構付衣服となる。
【００４１】
請求項８の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と、前記衣服の上前のベルト部の裏側に設けられた鉤構成体とからなり、前記衣服の下前のベルト部にマジックテープ（登録商標）の硬い側または軟らかい側が取り付けられ、前記中央タブの裏側にマジックテープ（登録商標）の軟らかい側または硬い側が取り付けられているものである。
【００４２】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブの裏側のマジックテープ（登録商標）の軟らかい側または硬い側を下前のベルト部のマジックテープ（登録商標）の硬い側または軟らかい側に接着することによって、ウエストサイズは一定のサイズに固定される。ここで、両方のマジックテープ（登録商標）の幅の分だけ固定するウエストサイズを連続的に小刻みに変化させることができる。
【００４３】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【００４４】
このようにして、結合具としてボタンやドット釦も使用することができるとともに、連続的にウエストサイズを変化させることができるフリーサイズ状態とウエストサイズを固定した状態とを容易に切り替えることができ、固定するウエストサイズに幅を持たせることができるウエストサイズ調節機構付衣服となる。
【００４５】
請求項９の発明にかかるウエストサイズ調節機構付衣服は、請求項１乃至請求項８のいずれか１つの構成において、前記オーバーベルトまたは前記下前のベルト部の表側部分から突出している前記中央タブの先端部分と同一形状の飾りタブを前記衣服の上前のベルト部に左右対称になるように設けたものである。
【００４６】
請求項１乃至請求項８の構成においては、下前のベルト部に弾性材を介して取り付けられた中央タブの先端にボタンまたは凹側のドット釦または受構成体を取り付けて、上前のベルト部の対応する結合具と結合させることによって、連続的にウエストサイズを変化させることができる。しかし、衣服の下前だけにオーバーベルトまたは下前のベルト部の表側部分から中央タブの先端が突出しているのは、デザイン上バランスが悪い。そこで、上前のベルト部にも左右対称になる位置に中央タブの先端部分と同一形状の飾りタブを設けることによって、バランスがとれてデザイン的にも優れたものとなる。
【００４７】
このようにして、結合具としてボタンやドット釦も使用することができるとともに、連続的にウエストサイズを変化させることができるフリーサイズ状態とウエストサイズを固定した状態とを容易に切り替えることができ、デザイン的にもバランスがとれて優れたものとなるウエストサイズ調節機構付衣服となる。
【００４８】
請求項１０の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に１個と前記衣服の下前のベルト部に複数個取り付けられた受構成体と前記衣服の上前のベルト部の裏側に設けられた鉤構成体とからなり、前記衣服の上前のベルト部には前記衣服の下前のベルト部側に伸びた持ち出しが設けられているものである。
【００４９】
したがって、中央タブに取り付けられたボタンを上前のベルト部のボタンホールに係止するか、中央タブに取り付けられた凹側のドット釦に上前のベルト部の凸側のドット釦を嵌め合わせるか、上前のベルト部の裏側の鉤構成体を中央タブの先端部分の受構成体に係止することによって、中央タブが取り付けられた弾性材の伸縮可能な範囲内で連続的にウエストサイズを変化させることができる（フリーサイズ）。一方、下前のベルト部に複数個取り付けられた受構成体のいずれかに鉤構成体を係止することによって、ウエストサイズは複数通りの一定のサイズに固定される。しかし、上前に近い側の受構成体に鉤構成体を係止した場合には、上前から遠い側の受構成体と中央タブの先端部分の受構成体が見えてしまって見苦しい。また、人によってはフリーサイズのときに中央タブが見えるのを嫌う場合もある。そこで、上前のベルト部に下前のベルト部側に伸びた持ち出しを設けることによって、これらの受構成体や伸びた中央タブを覆い隠して外見上も美しくすっきり見せることができる。
【００５０】
このようにして、連続的にウエストサイズを変化させることができるフリーサイズ状態とウエストサイズを固定した状態とを容易に切り替えることができるとともに、下前に取り付けられた受構成体や伸びた中央タブを覆い隠して外見上も美しくすっきり見せることができるウエストサイズ調節機構付衣服となる。
【００５１】
請求項１１の発明にかかるウエストサイズ調節機構付衣服は、請求項１乃至請求項１０のいずれか１つの構成において、前記弾性材には、その最大伸びを制限する伸び止め材を並設したものである。
【００５２】
したがって、タックの折り重なり部分が引き延ばされる長さ以上にウエストサイズが大きくならないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【００５３】
このようにして、連続的にウエストサイズを変化させることができるフリーサイズ状態とウエストサイズを固定した状態とを容易に切り替えることができるとともに、ウエスト周りの見栄えが損なわれることがなく弾性材の寿命を長くすることができるウエストサイズ調節機構付衣服となる。
【００５４】
請求項１２の発明にかかるウエストサイズ調節機構付衣服は、請求項１の構成において、更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、前記伸び止め材は、前記弾性材に並設されてその最大伸びを制限するものであり、前記オーバーベルトは前記ベルト部に被さることによって前記脇タブの一部をも覆うものであり、前記脇タブには穴かがりされたボタンホールが設けられ、前記脇タブの近傍の前記下前のベルト部にはベルト方向に沿って複数のボタンが取り付けられているものである。
【００５５】
これによって、着用する人の腰周り寸法に合わせて衣服のウエストベルトの寸法を結合具及びタックの折り重なり部分により調節することができる。ここで、結合具は、中央タブの先端部分に取り付けられたボタンと上前のベルト部に設けられた穴かがりされたボタンホール、または中央タブの先端部分に取り付けられた凹側のドット釦と上前のベルト部に取り付けられた凸側のドット釦、または中央タブの先端部分に取り付けられた受構成体と上前のベルト部の裏側に設けられた鉤構成体とからなる。
【００５６】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブと一体に移動する脇タブには穴かがりされたボタンホールが設けられ、脇タブの近傍の下前のベルト部にはベルト方向に沿って複数のボタンが取り付けられているので、中央タブに近い側のボタンを脇タブのボタンホールに係止した場合にはウエストサイズの変化範囲は大きく、中央タブに遠い側のボタンを脇タブのボタンホールに係止した場合にはウエストサイズの変化範囲は小さくなる。そして、中央タブに最も遠い側のボタンを脇タブのボタンホールに係止した場合には、ウエストサイズは固定される。
【００５７】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【００５８】
このようにして、結合具としてボタンやドット釦も使用することができるとともに、連続的にウエストサイズを変化させることができるフリーサイズ状態とウエストサイズを固定した状態とを容易に切り替えることができるウエストサイズ調節機構付衣服となる。
【００５９】
請求項１３の発明にかかるウエストサイズ調節機構付衣服は、請求項１の構成において、更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、前記伸び止め材は、前記弾性材に並設されてその最大伸びを制限するものであり、前記脇タブには穴かがりされたボタンホールが設けられ、前記脇タブの近傍の前記下前のベルト部にはベルト方向に沿って複数のボタンが取り付けられており、前記下前のベルト部の構成は、前記下前のベルト部が２枚のベルト生地を間隔を置いて配置した上からもう１枚のベルト生地を前記２枚のベルト生地に重ねて前記下前のベルト部の裏側部分のみを縫付けて前記中央タブの一部と前記脇タブの一部と前記弾性材とを覆うように折り返されて縫付けられたものであって、前記中央タブ及び前記脇タブの先端部分は縫付けられていない前記下前のベルト部の表側部分から突出しているものである。
【００６０】
これによって、着用する人の腰周り寸法に合わせて衣服のウエストベルトの寸法を結合具及びタックの折り重なり部分により調節することができる。ここで、結合具は、中央タブの先端部分に取り付けられたボタンと上前のベルト部に設けられた穴かがりされたボタンホール、または中央タブの先端部分に取り付けられた凹側のドット釦と上前のベルト部に取り付けられた凸側のドット釦、または中央タブの先端部分に取り付けられた受構成体と上前のベルト部の裏側に設けられた鉤構成体とからなる。
【００６１】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。
【００６２】
そして、中央タブと一体に移動する脇タブには穴かがりされたボタンホールが設けられ、脇タブの近傍の下前のベルト部にはベルト方向に沿って複数のボタンが取り付けられているので、中央タブに近い側のボタンを脇タブのボタンホールに係止した場合にはウエストサイズの変化範囲は大きく、中央タブに遠い側のボタンを脇タブのボタンホールに係止した場合にはウエストサイズの変化範囲は小さくなる。そして、中央タブに最も遠い側のボタンを脇タブのボタンホールに係止した場合には、ウエストサイズは固定される。
【００６３】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【００６４】
このようにして、結合具としてボタンやドット釦も使用することができるとともに、連続的にウエストサイズを変化させることができるフリーサイズ状態とウエストサイズを固定した状態とを容易に切り替えることができ、ウエストサイズの変化範囲も段階的に変えることができ、厚手の生地にも適用できるウエストサイズ調節機構付衣服となる。
【００６５】
請求項１４の発明にかかるウエストサイズ調節機構付衣服は、請求項１２または請求項１３の構成において、前記脇タブには前記穴かがりされたボタンホールの代わりに裏面にマジックテープ（登録商標）の硬い側または軟らかい側が取り付けられ、前記脇タブの近傍の前記下前のベルト部には前記複数のボタンの代わりにマジックテープ（登録商標）の軟らかい側または硬い側が取り付けられているものである。
【００６６】
したがって、上前ベルト部との結合具が取り付けられた中央タブと一体に移動する脇タブの裏面のマジックテープ（登録商標）の硬い側を、脇タブの近傍の下前のベルト部に取り付けられたマジックテープ（登録商標）の軟らかい側に接着することによって、ウエストサイズの調節をすることができる。脇タブの裏面のマジックテープ（登録商標）を下前のベルト部のマジックテープ（登録商標）の中央タブに近い側に接着した場合には、中央タブが取り付けられた弾性材の伸縮可能な範囲内で連続的にウエストサイズを変化させることができる（フリーサイズ）。脇タブの裏面のマジックテープ（登録商標）を下前のベルト部のマジックテープ（登録商標）の中央タブからより遠い側に接着するにしたがって、ウエストサイズの変化範囲はより小さくなる。そして、中央タブに最も遠い側に接着した場合には、ウエストサイズは固定される。
【００６７】
このようにして、脇タブの裏面と脇タブの近傍の下前のベルト部に１対のマジックテープ（登録商標）を取り付けることによって、連続的にウエストサイズを変化させることができるフリーサイズ状態とウエストサイズを固定した状態とを容易に切り替えることができ、ウエストサイズの変化範囲も連続的に小刻みに変えることができるウエストサイズ調節機構付衣服となる。
【００６８】
請求項１５の発明にかかるウエストサイズ調節機構付衣服は、請求項１２または請求項１３の構成において、前記脇タブには前記穴かがりされたボタンホールの代わりに裏面に２以上の鉤部を有する鉤構成体が取り付けられ、前記脇タブの近傍の前記下前のベルト部には前記複数のボタンの代わりに受構成体が取り付けられているものである。
【００６９】
したがって、脇タブの裏側に取り付けられた鉤構成体の２以上の鉤部のうち、中央タブから最も遠い鉤部を下前のベルト部の受構成体に係止した場合には、中央タブが取り付けられた弾性材の伸縮可能な範囲内で連続的にウエストサイズを変化させることができる（フリーサイズ）。中央タブにより近い鉤部を下前のベルト部の受構成体に係止するにしたがって、ウエストサイズの変化範囲はより小さくなる。そして、中央タブに最も近い鉤部を下前のベルト部の受構成体に係止した場合には、ウエストサイズは固定される。
【００７０】
このようにして、連続的にウエストサイズを変化させることができるフリーサイズ状態とウエストサイズを固定した状態とを容易に切り替えることができ、ウエストサイズの変化範囲も段階的に変えることができるウエストサイズ調節機構付衣服となる。
【００７１】
請求項１６の発明にかかるウエストサイズ調節機構付衣服は、請求項１２または請求項１３の構成において、前記脇タブには前記穴かがりされたボタンホールの代わりに裏面に凸側のドット釦が取り付けられ、前記脇タブの近傍の前記下前のベルト部には前記複数のボタンの代わりにベルト方向に沿って複数の凹側のドット釦が取り付けられていることを特徴とするものである。
【００７２】
したがって、脇タブの裏面に取り付けられた凸側のドット釦を、下前のベルト部に取り付けられた複数の凹側のドット釦のうち中央タブに最も近い凹側のドット釦に嵌めた場合には、中央タブが取り付けられた弾性材の伸縮可能な範囲内で連続的にウエストサイズを変化させることができる（フリーサイズ）。中央タブにより遠い凹側のドット釦に脇タブの裏面の凸側のドット釦を嵌めるにしたがって、ウエストサイズの変化範囲はより小さくなる。そして、中央タブに最も遠い凹側のドット釦に脇タブの裏面の凸側のドット釦を嵌めた場合には、ウエストサイズは固定される。
【００７３】
このようにして、連続的にウエストサイズを変化させることができるフリーサイズ状態とウエストサイズを固定した状態とを容易に切り替えることができ、ウエストサイズの変化範囲も段階的に変えることができるウエストサイズ調節機構付衣服となる。
【００７４】
請求項１７の発明にかかるウエストサイズ調節機構付衣服は、請求項１の構成において、前記結合具は、前記中央タブの先端部分に設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた受構成体とからなり、前記中央タブの一部と前記弾性材は前記衣服の上前のベルト部によって覆われているものである。
【００７５】
このように、本発明のウエストサイズ調節機構付衣服においては、ベルト方向に移動可能な中央タブが、請求項１〜１６の発明にかかるウエストサイズ調節機構付衣服とは異なり、上前のベルト部に弾性材を介して取り付けられている。したがって、この中央タブの先端部分に設けられた穴かがりしたボタンホールに下前のベルト部に取り付けられたボタンを係止することによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【００７６】
ここで、上前のベルト部に中央タブが取り付けられているため、このタイプのウエストサイズ調節機構付衣服においては、上前のベルト部を貫通してボタンホールが設けられたり凸側のドット釦が取り付けられることがない。したがって、一方のファスナーテープの上端を上前の上端に縫付けて支持しているスライディングテープが固定されてしまう恐れもない。また、中央タブの一部と弾性材は上前のベルト部によって覆われているため、見栄えも良くなっている。
【００７７】
このようにして、結合具としてボタンを用いることができるとともに、連続的にウエストサイズを変化させることができるフリーサイズ状態とウエストサイズを固定した状態とを容易に切り替えることができるウエストサイズ調節機構付衣服となる。
【００７８】
請求項１８の発明にかかるウエストサイズ調節機構付衣服は、請求項１７の構成において、前記結合具は、前記中央タブの先端部分に取り付けられた凸側のドット釦と、前記衣服の下前のベルト部に取り付けられた凹側のドット釦と、前記衣服の上前のベルト部の裏側に取り付けられた鉤構成体と、前記衣服の下前のベルト部に取り付けられた受構成体とからなるものである。
【００７９】
したがって、中央タブの先端部分に取り付けられた凸側のドット釦を下前のベルト部に取り付けられた凹側のドット釦に嵌めることによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【００８０】
このようにして、結合具としてドット釦を用いることができるとともに、連続的にウエストサイズを変化させることができるフリーサイズ状態とウエストサイズを固定した状態とを容易に切り替えることができるウエストサイズ調節機構付衣服となる。
【００８１】
請求項１９の発明にかかるウエストサイズ調節機構付衣服は、請求項１７の構成において、前記結合具は、前記中央タブの先端部分の裏側と、前記衣服の上前のベルト部の裏側とに取り付けられた各１個の鉤構成体と、前記衣服の下前のベルト部に取り付けられた受構成体とからなるものである。
【００８２】
したがって、中央タブの先端部分の裏側に取り付けられた鉤構成体を下前のベルト部に取り付けられた受構成体に係止することによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【００８３】
このようにして、連続的にウエストサイズを変化させることができるフリーサイズ状態とウエストサイズを固定した状態とを容易に切り替えることができるウエストサイズ調節機構付衣服となる。
【００８４】
請求項２０の発明にかかるウエストサイズ調節機構付衣服は、請求項１７乃至請求項１９のいずれか１つの構成において、前記衣服の上前のベルト部に前記弾性材を介して前記中央タブを取り付けた際のステッチを隠すために、前記ステッチの上にベルト通し、皮ラベル、布ネーム、ワッペンのいずれかを取り付けたものである。
【００８５】
このステッチの上にベルト通し、皮ラベル、布ネーム、ワッペンのいずれかを取り付けることによって、ステッチが隠れて見栄えが良くなる。
【００８６】
このようにして、結合具としてボタンやドット釦も使用することができるとともに、連続的にウエストサイズを変化させることができるフリーサイズ状態とウエストサイズを固定した状態とを容易に切り替えることができ、かつ見栄えも良いウエストサイズ調節機構付衣服となる。
【００８７】
請求項２１の発明にかかるウエストサイズ調節機構付衣服は、請求項１７乃至請求項２０のいずれか１つの構成において、前記弾性材には、その最大伸びを制限する伸び止め材を並設したものである。
【００８８】
したがって、タックの折り重なり部分が引き延ばされる長さ以上にウエストサイズが大きくならないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【００８９】
このようにして、連続的にウエストサイズを変化させることができるフリーサイズ状態とウエストサイズを固定した状態とを容易に切り替えることができるとともに、ウエスト周りの見栄えが損なわれることがなく弾性材の寿命を長くすることができるウエストサイズ調節機構付衣服となる。
【００９０】
請求項２２の発明にかかるウエストサイズ調節機構付衣服は、請求項１の構成において、更に、前記衣服の上前のベルト部が前記衣服の下前のベルト部側に突出した所定長さの持ち出しを具備するものであって、前記結合具は、前記持ち出しに設けられた穴かがりした一定長さのボタンホールと、前記衣服の下前のベルト部に取り付けられたボタンと、前記衣服の上前のベルト部の裏側に取り付けられた鉤構成体と、前記衣服の下前のベルト部に前記一定長さ以下離して取り付けられた複数の受構成体とからなるものである。
【００９１】
これによって、着用する人の腰周り寸法に合わせて衣服のウエストベルトの寸法を結合具及びタックの折り重なり部分により調節することができる。また、上前のベルト部には、下前のベルト部側に突出した所定長さの持ち出しが設けられている。ここで、結合具である持ち出しに設けられたボタンホールに下前のベルト部に取り付けられたボタンを係止し、上前のベルト部の裏側に取り付けられた鉤構成体を下前のベルト部に取り付けられた複数の受構成体のいずれかに係止する。上前に近い側の受構成体に係止した場合には、ウエストサイズは大きくなって、ボタンはボタンホールの下前側に移動する。上前に遠い側の受構成体に係止した場合には、ウエストサイズは小さくなって、ボタンはボタンホールの上前側に移動する。２つの受構成体はボタンホールの長さ（一定長さ）以下しか離れていないため、ボタンはボタンホール内を余裕をもって移動することができる。
【００９２】
そして、上前のベルト部に設けられた持ち出しによって２つの受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【００９３】
請求項２３の発明にかかるウエストサイズ調節機構付衣服は、請求項２２の構成において、前記結合具は、前記持ち出しに設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた２以上の受部を有する受構成体とからなるものである。
【００９４】
したがって、持ち出しに設けられたボタンホールに下前のベルト部に取り付けられたボタンを係止し、上前のベルト部の裏側に取り付けられた鉤構成体を下前のベルト部に取り付けられた受構成体の２以上の受部のいずれかに係止する。上前に近い側の受部に係止した場合には、ウエストサイズは大きくなって、ボタンはボタンホールの下前側に移動する。上前に遠い側の受部に係止した場合には、ウエストサイズは小さくなって、ボタンはボタンホールの上前側に移動する。
【００９５】
そして、上前のベルト部に設けられた持ち出しによって２以上の受部を有する受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【００９６】
請求項２４の発明にかかるウエストサイズ調節機構付衣服は、請求項２２の構成において、前記結合具は、前記持ち出しに設けられた穴かがりしたボタンホールと、前記衣服の下前のベルト部に取り付けられたボタンと、前記衣服の上前のベルト部の裏側に取り付けられた２以上の鉤部を有する鉤構成体と、前記衣服の下前のベルト部に取り付けられた受構成体とからなるものである。
【００９７】
したがって、持ち出しに設けられたボタンホールに下前のベルト部に取り付けられたボタンを係止し、上前のベルト部の裏側に取り付けられた鉤構成体の２以上の鉤部のいずれかを下前のベルト部に取り付けられた受構成体に係止する。下前に近い側の鉤部を係止した場合には、ウエストサイズは大きくなって、ボタンはボタンホールの下前側に移動する。下前に遠い側の鉤部を係止した場合には、ウエストサイズは小さくなって、ボタンはボタンホールの上前側に移動する。
【００９８】
そして、上前のベルト部に設けられた持ち出しによって受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【００９９】
請求項２５の発明にかかるウエストサイズ調節機構付衣服は、請求項１の構成において、更に、前記衣服の上前のベルト部内と前記衣服の下前のベルト部内にそれぞれ弾性材を介して取り付けられ、前記衣服の上前のベルト部の開口部と前記衣服の下前のベルト部の開口部とからそれぞれ突出した１対の飾りベルトを具備するものであって、前記結合具は、前記１対の飾りベルトの一方の先端部分に設けられた穴かがりしたボタンホールと、前記１対の飾りベルトの他方の先端部分に取り付けられたボタンと、前記衣服の上前のベルト部の裏側に取り付けられた鉤構成体と、前記衣服の下前のベルト部に取り付けられた１または２以上の受構成体とからなるものである。
【０１００】
これによって、着用する人の腰周り寸法に合わせて衣服のウエストベルトの寸法を結合具及びタックの折り重なり部分により調節することができる。ここで、結合具としての１対の飾りベルトの一方の先端部分に設けられた穴かがりしたボタンホールに、１対の飾りベルトの他方の先端部分に取り付けられたボタンを係止することによって、１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０１０１】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０１０２】
請求項２６の発明にかかるウエストサイズ調節機構付衣服は、請求項２５の構成において、前記結合具は、前記１対の飾りベルトの一方の先端部分に取り付けられた２個のＤカンと、前記２個のＤカンに巻き付けられて止められる前記１対の飾りベルトの他方と、前記衣服の上前のベルト部の裏側に取り付けられた鉤構成体と、前記衣服の下前のベルト部に取り付けられた１または２以上の受構成体とからなるものである。
【０１０３】
Ｄカンとは略Ｄの字形をした金具で、これを一方の飾りベルトの先端に２個取り付けることによって、他方の飾りベルトをまず２個のＤカンの中に通して折り返し、一方のＤカンの外側に巻き付けてからもう一方のＤカンの内側をくぐらせることによって、他方の飾りベルトを２個のＤカンで固定して止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０１０４】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０１０５】
請求項２７の発明にかかるウエストサイズ調節機構付衣服は、請求項２５の構成において、前記結合具は、前記１対の飾りベルトの一方の先端部分に取り付けられたピン付きバックルと、前記１対の飾りベルトの他方に設けられた複数のベルト孔と、前記衣服の上前のベルト部の裏側に取り付けられた鉤構成体と、前記衣服の下前のベルト部に取り付けられた１または２以上の受構成体とからなるものである。
【０１０６】
したがって、一方の飾りベルトの先端部分に取り付けられたピン付きバックルに他方の飾りベルトを通して、バックルのピンを他方の飾りベルトの複数のベルト孔に挿入することによって、１対の飾りベルトを止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０１０７】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０１０８】
請求項２８の発明にかかるウエストサイズ調節機構付衣服は、請求項２５の構成において、前記結合具は、前記１対の飾りベルトの一方の先端部分に取り付けられた金具と、前記１対の飾りベルトの他方の先端部分に取り付けられた前記金具に係止されるもう１つの金具と、前記衣服の上前のベルト部の裏側に取り付けられた鉤構成体と、前記衣服の下前のベルト部に取り付けられた１または２以上の受構成体とからなるものである。
【０１０９】
したがって、一方の飾りベルトの先端部分に取り付けられた金具に他方の飾りベルトの先端部分に取り付けられたもう１つの金具を係止することによって、１対の飾りベルトを止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０１１０】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０１１１】
請求項２９の発明にかかるウエストサイズ調節機構付衣服は、請求項１の構成において、前記結合具は、前記衣服の下前または上前のベルト部に直接取り付けられたピン付きバックル付きベルトと、前記衣服の上前または下前のベルト部に直接取り付けられた複数のベルト孔付きベルトとからなるものである。
【０１１２】
これによって、着用する人の腰周り寸法に合わせて衣服のウエストベルトの寸法を結合具及びタックの折り重なり部分により調節することができる。ここで、結合具としてピン付きバックル付きベルトと複数のベルト孔付きベルトとをそれぞれ下前のベルト部と上前のベルト部に直接取り付けている。したがって、構成が簡単になって製造工程が短縮されるとともに、デザイン的にもすっきりとしたものとなる。そして、複数のベルト孔付きベルトをピン付きバックル付きベルトの先端のピン付きバックルに通して、バックルのピンを複数のベルト孔のいずれかに挿入することによって両者が結合され、挿入するベルト孔の位置を変えることによってウエストサイズを調節することができる。
【０１１３】
このようにして、簡単な構成でウエストサイズを容易に調節することができるとともに、デザイン的にも優れたウエストサイズ調節機構付衣服となる。
【０１１４】
請求項３０の発明にかかるウエストサイズ調節機構付衣服は、請求項２９の構成において、前記結合具は、前記衣服の下前または上前のベルト部に直接取り付けられた長さ調節機構付きベルトとその先端に取り付けられた嵌合バックルの一方と、前記衣服の上前または下前のベルト部に直接取り付けられた先端に前記嵌合バックルの他方が取り付けられたベルトとからなるものである。
【０１１５】
したがって、構成が簡単になって製造工程が短縮されるとともに、デザイン的にもすっきりとしたものとなる。そして、一方の嵌合バックルと他方の嵌合バックルとが嵌合することによって両方のベルトが結合され、長さ調節機構付きベルトによってウエストサイズを連続的に調節することができる。
【０１１６】
このようにして、簡単な構成でウエストサイズを容易に連続的に調節することができるとともに、デザイン的にも優れたウエストサイズ調節機構付衣服となる。
【０１１７】
請求項３１の発明にかかるウエストサイズ調節機構付衣服は、請求項２９の構成において、前記結合具は、前記衣服の上前または下前のベルト部に直接取り付けられた先端に２個のＤカンが取り付けられたベルトと、前記衣服の下前または上前のベルト部に直接取り付けられた前記２個のＤカンに巻き付けられて止められるベルトとからなるものである。
【０１１８】
したがって、構成が簡単になって製造工程が短縮されるとともに、デザイン的にもすっきりとしたものとなる。そして、上述したようにベルトを２個のＤカンに巻き付けることによって両方のベルトが結合され、ベルトを２個のＤカンに巻き付ける位置を変えることによって、ウエストサイズを連続的に調節することができる。
【０１１９】
このようにして、簡単な構成でウエストサイズを容易に連続的に調節することができるとともに、デザイン的にも優れたウエストサイズ調節機構付衣服となる。
【０１２０】
請求項３２の発明にかかるウエストサイズ調節機構付衣服は、請求項２９の構成において、前記結合具は、前記衣服の上前または下前のベルト部に直接取り付けられた先端にピンなしバックルが取り付けられたベルトと、前記衣服の下前または上前のベルト部に直接取り付けられた中間にマジックテープ（登録商標）の硬い側または軟らかい側が取り付けられ先端にマジックテープ（登録商標）の軟らかい側または硬い側が取り付けられたベルトとからなるものである。
【０１２１】
したがって、構成が簡単になって製造工程が短縮されるとともに、デザイン的にもすっきりとしたものとなる。そして、マジックテープ（登録商標）が取り付けられたベルトをもう一方のベルトの先端のピンなしバックルに通して折り返し、ベルトの先端のマジックテープ（登録商標）をベルトの中間のマジックテープ（登録商標）に接着することによって両方のベルトが結合され、マジックテープ（登録商標）を接着する位置を変えることによってウエストサイズを連続的に調節することができる。
【０１２２】
このようにして、簡単な構成でウエストサイズを容易に連続的に調節することができるとともに、デザイン的にも優れたウエストサイズ調節機構付衣服となる。
【０１２３】
請求項３３の発明にかかるウエストサイズ調節機構付衣服は、請求項２９の構成において、前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、両方のベルトが通されるピンなしバックルとからなるものである。
【０１２４】
したがって、構成が簡単になって製造工程が短縮されるとともに、デザイン的にもすっきりとしたものとなり、また左右対称の構成となる。そして、両方のマジックテープ（登録商標）が取り付けられたベルトをそれぞれピンなしバックルに通して折り返し、ベルトの先端のマジックテープ（登録商標）をベルトの中間のマジックテープ（登録商標）に接着することによって両方のベルトが結合され、マジックテープ（登録商標）を接着する位置を変えることによってウエストサイズを連続的に調節することができる。
【０１２５】
このようにして、簡単な構成でウエストサイズを容易に連続的に調節することができるとともに、デザイン的にも優れたウエストサイズ調節機構付衣服となる。
【０１２６】
請求項３４の発明にかかるウエストサイズ調節機構付衣服は、請求項２９の構成において、前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の上前または下前のベルト部端に縫付けられた両方のベルトが通されるピンなし１本線バックルとからなるものである。
【０１２７】
請求項３３の構成においては、ピンなしバックルがどちらのベルトにも取り付けられていないため、両方のベルトのマジックテープ（登録商標）を外した場合には、ピンなしバックルを紛失してしまう恐れがある。そこで、本発明においては、ピンなし１本線バックルを中央の１本線において上前または下前のベルト部端に縫付けることによって、かかる問題を解消している。但し、この構成においては、ピンなし１本線バックルが縫付けられた上前側のベルトはウエストサイズの調節には寄与しない飾りベルトとなり、下前側のベルトのみでウエストサイズの調節をすることになる。
【０１２８】
このようにして、簡単な構成でウエストサイズを容易に連続的に調節することができるとともに、デザイン的にも優れたウエストサイズ調節機構付衣服となる。
【０１２９】
請求項３５の発明にかかるウエストサイズ調節機構付衣服は、請求項２９の構成において、前記結合具は、前記衣服の上前または下前のベルト部に直接取り付けられた先端の表側にマジックテープ（登録商標）の硬い側または軟らかい側が取り付けられたベルトと、前記衣服の下前または上前のベルト部に直接取り付けられた先端の裏側にマジックテープ（登録商標）の軟らかい側または硬い側が取り付けられたベルトとからなるものである。
【０１３０】
本発明のウエストサイズ調節機構付衣服においては、ピンなしバックルを用いず、マジックテープ（登録商標）の取り付けられた１対のベルトのみで結合具を構成している。したがって、構成がより一層簡単になって製造工程がさらに短縮されるとともに、デザイン的にもよりすっきりとしたものとなる。そして、両方のベルトのマジックテープ（登録商標）を接着する位置を変えることによって、ウエストサイズを連続的に変化させることができる。
【０１３１】
このようにして、さらに簡単な構成でウエストサイズを容易に連続的に調節することができるとともに、デザイン的にもより優れたウエストサイズ調節機構付衣服となる。
【０１３２】
請求項３６の発明にかかるウエストサイズ調節機構付衣服は、請求項２９の構成において、前記結合具は、前記衣服の上前のベルト部に直接取り付けられた中間に凹側のドット釦が取り付けられ先端に複数の凸側のドット釦が取り付けられたベルトと、前記衣服の下前のベルト部に直接取り付けられた中間に凹側のドット釦が取り付けられ先端に複数の凸側のドット釦が取り付けられたベルトと、両方のベルトが通されるピンなしバックルとからなるものである。
【０１３３】
したがって、構成が簡単になって製造工程が短縮されるとともに、デザイン的にもすっきりとしたものとなり、また左右対称の構成となる。そして、両方のベルトをそれぞれピンなしバックルに通して折り返し、ベルトの先端の複数の凸側のドット釦のいずれかをベルトの中間の凹側のドット釦に嵌めることによって両方のベルトが結合され、中間の凹側のドット釦に嵌めるベルトの先端の複数の凸側のドット釦を変えることによってウエストサイズを調節することができる。
【０１３４】
このようにして、結合具としてドット釦を使用できるとともに、簡単な構成でウエストサイズを容易に調節することができ、デザイン的にも優れたウエストサイズ調節機構付衣服となる。
【０１３５】
請求項３７の発明にかかるウエストサイズ調節機構付衣服は、請求項２９の構成において、前記結合具は、前記衣服の上前のベルト部に直接取り付けられた中間に複数のボタンが取り付けられ先端に穴かがりされたボタンホールが設けられたベルトと、前記衣服の下前のベルト部に直接取り付けられた中間に複数のボタンが取り付けられ先端に穴かがりされたボタンホールが設けられたベルトと、両方のベルトが通されるピンなしバックルとからなるものである。
【０１３６】
したがって、構成が簡単になって製造工程が短縮されるとともに、デザイン的にもすっきりとしたものとなり、また左右対称の構成となる。そして、両方のベルトをそれぞれピンなしバックルに通して折り返し、ベルトの先端のボタンホールにベルトの中間の複数のボタンのいずれかを係止することによって両方のベルトが結合され、ボタンホールに係止する中間の複数のボタンを変えることによってウエストサイズを調節することができる。
【０１３７】
このようにして、結合具としてボタンを使用できるとともに、簡単な構成でウエストサイズを容易に調節することができ、デザイン的にも優れたウエストサイズ調節機構付衣服となる。
【０１３８】
請求項３８の発明にかかるウエストサイズ調節機構付衣服は、請求項２９の構成において、前記結合具は、前記衣服の上前のベルト部に直接取り付けられたベルト布またはリボン布と、前記衣服の下前のベルト部に直接取り付けられたベルト布またはリボン布とからなるものである。
【０１３９】
したがって、構成が簡単になって製造工程が短縮されるとともに、デザイン的にもすっきりとしたものとなり、また左右対称の構成となる。そして、両方のベルト布またはリボン布を衣服の前明の中央で結び合わせることによって両方のベルト布またはリボン布が結合され、結び合わせる位置を変えることによってウエストサイズを連続的に調節することができる。
【０１４０】
このようにして、簡単な構成でウエストサイズを容易に連続的に調節することができるとともに、デザイン的にも優れたウエストサイズ調節機構付衣服となる。
【０１４１】
請求項３９の発明にかかるウエストサイズ調節機構付衣服は、請求項２９の構成において、前記結合具は、樹脂製のレールとそのレールに嵌合して任意の位置で係止可能にスライドするスライダーとからなるベルトアジャスターであって、前記スライダーを布ベルトを介して前記衣服の上前または下前のベルト部に取り付け、前記レールを前記衣服の下前または上前のベルト部に直接取り付けたものである。
【０１４２】
このようなベルトアジャスターは、帽子（キャップ）のサイズを調整したりするのに広く使われているものである。したがって、構成が簡単になって製造工程が短縮されるとともに、デザイン的にもすっきりとしたものとなる。そして、スライダーをレールに嵌合させてスライドさせ、任意の位置で係止させることによってウエストサイズを連続的に調節することができる。
【０１４３】
このようにして、簡単な構成でウエストサイズを容易に連続的に調節することができるとともに、デザイン的にも優れたウエストサイズ調節機構付衣服となる。
【０１４４】
請求項４０の発明にかかるウエストサイズ調節機構付衣服は、請求項２９の構成において、前記結合具は、前記衣服の上前のベルト部に共布ベルトを介して取り付けられた紐と、前記衣服の下前のベルト部に共布ベルトを介して取り付けられた紐とからなるものである。
【０１４５】
したがって、構成が簡単になって製造工程が短縮されるとともに、デザイン的にもすっきりとしたものとなる。そして、両方の紐を衣服の前明の中央で結び合わせることによって両方の紐が結合され、結び合わせる位置を変えることによってウエストサイズを連続的に調節することができる。
【０１４６】
このようにして、簡単な構成でウエストサイズを容易に連続的に調節することができるとともに、デザイン的にも優れたウエストサイズ調節機構付衣服となる。
【０１４７】
請求項４１の発明にかかるウエストサイズ調節機構付衣服は、請求項２９の構成において、前記結合具は、前記衣服の上前または下前のベルト部にベルトを介して取り付けられた鎖と、前記衣服の下前または上前のベルト部にベルトを介して取り付けられた先端にナスカンの付いた鎖とからなるものである。
【０１４８】
したがって、構成が簡単になって製造工程が短縮されるとともに、デザイン的にもすっきりとしたものとなる。そして、上前または下前のベルト部に取り付けられた鎖のいずれかの孔に下前または上前のベルト部に取り付けられた鎖の先端のナスカンを嵌合させることによって両方の鎖が結合され、ナスカンを嵌合させる位置を変えることによってウエストサイズをほぼ連続的に調節することができる。
【０１４９】
このようにして、簡単な構成でウエストサイズを容易にほぼ連続的に調節することができるとともに、デザイン的にも優れたウエストサイズ調節機構付衣服となる。
【０１５０】
請求項４２の発明にかかるウエストサイズ調節機構付衣服は、請求項１の構成において、前記結合具は、前記衣服の下前のベルト部にファスナーラインの左右において取り付けられた各１個のボタンと、前記衣服の上前のベルト部に設けられた穴かがりされたボタンホールとからなるものである。
【０１５１】
これによって、着用する人の腰周り寸法に合わせて衣服のウエストベルトの寸法を結合具及びタックの折り重なり部分により調節することができる。また、構成が簡単になって製造工程が短縮されるとともに、デザイン的にもすっきりとしたものとなる。そして、上前のベルト部に近い側のボタンをボタンホールに係止した場合にはウエストサイズは大きくなり、上前のベルト部に遠い側のボタンをボタンホールに係止した場合にはウエストサイズは小さくなる。
【０１５２】
ここで、結合具としてボタンとボタンホールを用いており、ボタンホールは、一方のファスナーテープの上端を支持しているスライディングテープが取り付けられている上前のベルト部に設けられることになるが、スライディングテープが穴かがりされたボタンホールと共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールを用いても一方のファスナーテープの移動を妨げることがない。
【０１５３】
このようにして、結合具としてボタンを使用することができるとともに、簡単な構成でウエストサイズを容易に調節することができ、デザイン的にも優れたウエストサイズ調節機構付衣服となる。
【０１５４】
請求項４３の発明にかかるウエストサイズ調節機構付衣服は、請求項４２の構成において、前記結合具は、前記衣服の下前のベルト部にファスナーラインの左右において取り付けられた各１個の凹側のドット釦と、前記衣服の上前のベルト部に取り付けられた凸側のドット釦とからなるものである。
【０１５５】
これによって、着用する人の腰周り寸法に合わせて衣服のウエストベルトの寸法を結合具及びタックの折り重なり部分により調節することができる。また、構成が簡単になって製造工程が短縮されるとともに、デザイン的にもすっきりとしたものとなる。そして、上前のベルト部に近い側の凹側のドット釦に凸側のドット釦を嵌めた場合にはウエストサイズは大きくなり、上前のベルト部に遠い側の凹側のドット釦に凸側のドット釦を嵌めた場合にはウエストサイズは小さくなる。
【０１５６】
ここで、結合具としてドット釦を用いており、凸側のドット釦は一方のファスナーテープの上端を支持しているスライディングテープが取り付けられている上前のベルト部に取り付けられることになるが、スライディングテープが凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてドット釦を用いた場合でも一方のファスナーテープの移動を妨げることがない。
【０１５７】
このようにして、結合具としてドット釦を使用することができるとともに、簡単な構成でウエストサイズを容易に調節することができ、デザイン的にも優れたウエストサイズ調節機構付衣服となる。
【０１５８】
請求項４４の発明にかかるウエストサイズ調節機構付衣服は、請求項１乃至請求項４３のいずれか１つの構成において、前記衣服の上前に設けられた上下方向に伸びるタックの代わりに前記衣服の下前に上下方向に伸びるタックが設けられ、前記衣服の下前に設けられたタックに縫代となる一方のファスナーテープが縫付けられ、かつ、前記衣服の上前に縫代となる他のファスナーテープが縫付けられているものである。
【０１５９】
請求項１乃至請求項４３の発明にかかるウエストサイズ調節機構付衣服においては、いずれも衣服の上前に上下方向に伸びるタックが設けられており、このタックに一方のファスナーテープが縫付けられて、結合具によってウエストサイズが大きくなる場合にはタックの折り重なり部分が広がることによってファスナーが一体に移動する。これによって、着用する人のウエストサイズだけでなく腰近傍の寸法が多少変化しても、着用感や見栄えを損なうことがない。しかし、このタックは見栄えをより良くするために衣服の上前に設けられているものであって、衣服の下前に上下方向に伸びるタックを設けても、見栄えの点では多少劣るが同様の作用効果を得ることができる。
【０１６０】
このように、請求項１乃至請求項４３のいずれか１つの構成において、衣服の下前に上下方向に伸びるタックを設けることによって、衣服の上前にタックを設けた場合と同様の作用効果を得ることができるウエストサイズ調節機構付衣服となる。
【０１６１】
【発明の実施の形態】
以下、本発明のウエストサイズ調節機構付衣服を主に婦人用パンツ（ズボン）に適用した場合の実施の形態について説明する。なお、婦人用パンツにおいては、通常は前明の部分を右前とする場合が多いが、以下の各実施の形態においては前明の部分を左前とした場合について説明する。また、本発明のウエストサイズ調節機構付衣服は、紳士用ズボン、Ｇパン、スカート、子供服等にも適用できるものである。
【０１６２】
実施の形態１
まず、本発明の実施の形態１について、図１乃至図５を参照して説明する。図１は本発明の実施の形態１にかかるウエストサイズ調節機構付衣服のベルト部から前明部分までの構成を示す部分正面図である。図２は本発明の実施の形態１にかかるウエストサイズ調節機構付衣服の上前と下前とを分離した状態を示す部分拡大図である。図３は本発明の実施の形態１にかかるウエストサイズ調節機構付衣服のオーバーベルトを開いて中央タブの伸縮構造を示した部分拡大図である。図４は本発明の実施の形態１にかかるウエストサイズ調節機構付衣服のオーバーベルトの作成手順を示す説明図である。図５（ａ）は本発明の実施の形態１にかかるウエストサイズ調節機構付衣服の上前側のファスナーの取り付け構造を示す部分展開図、（ｂ）はボタンホールの位置を示す部分拡大図である。
【０１６３】
図１に示されるように、本実施の形態１のウエストサイズ調節機構付衣服としてのウエストサイズ調節機構付婦人用パンツ（以下、単に「パンツ」ともいう。）１は、上前ベルト部２に穴かがりされたボタンホール９が設けられており、下前ベルト部３に取り付けられたボタン８がこのボタンホール９に係止されることによって、上前身頃４と下前身頃５との前明１ａが閉じられて、パンツ（ズボン）１のウエストサイズが固定された状態になっている。下前ベルト部３には、さらにオーバーベルト６が被せられていて、このオーバーベルト６から中央タブ７の先端が突出しており、この中央タブ７の先端にはもう１つのボタン８が取り付けられている。後で詳しく述べるように、中央タブ７はオーバーベルト６の下に隠れている弾性材としてのゴムテープを介して、オーバーベルト６の下において下前ベルト部３に取り付けられており、ゴムテープの弾性力によってベルト方向即ち左右方向に移動可能になっている。
【０１６４】
さらに、図２に示されるように、下前ベルト部３に直接取り付けられたボタン８はパンツ（ズボン）１の前中心に位置しており、オーバーベルト６の開口部はパンツ（ズボン）１の前中心から約２．５ｃｍから約３ｃｍ向かって左側にずれたところに位置している。さらに、この前中心には下前５側のファスナーテープ５ａが縫付けられており、このファスナーテープ５ａのむし５ｂと噛み合う上前４側の図示されないファスナーテープは、上前４に設けられた図示されない上下方向に伸びるタックに縫付けられている。そして、ウエストサイズの調節に伴ってこのタックの折り重なり部分が広がることによってファスナーが移動して、着用する人のウエストサイズだけでなく腰近傍の寸法が多少変化しても、着用感や見栄えを損なうことがないようになっている。
【０１６５】
そして、中央タブ７はゴムテープの弾性力によってベルト方向に移動可能になっているため、中央タブ７の先端のボタン８を上前ベルト部２のボタンホール９に係止した場合には、ウエストサイズはゴムテープが伸縮可能な範囲内でフリーサイズとなり、ゆったりとした着用感が得られる。一方、下前ベルト部３に直接取り付けられたボタン８をボタンホール９に係止した場合には、前述の如くウエストサイズが固定された状態となる。このように、２つのボタン８を付け替えるだけで、連続的にウエストサイズを変化させることができるフリーサイズ状態とウエストサイズを固定した状態とを容易に切り替えることができる。
【０１６６】
次に、この中央タブ７の取り付け方法とオーバーベルト６の構造について、図３を参照して説明する。図３に示されるように、中央タブ７は弾力性に富んだ伸縮自在のゴムテープ１０と伸縮性のない綿テープ１１によって、下前ベルト部３に取り付けられている。中央タブ７の長さは約７．５ｃｍであり、綿テープ１１はゴムテープ１０よりも約２．５ｃｍ長くなっている。これらのゴムテープ１０と綿テープ１１の端を揃えて、中央タブ７の後端に図のような約０．５ｃｍ幅のステッチで縫い外れがないように頑丈に縫付ける。そして、ゴムテープ１０と綿テープ１１の反対側の端を揃えて、下前ベルト部３に二重ステッチで強固に縫付ける。
【０１６７】
これによって、ゴムテープ１０に引っ張り力がかかっていない状態においては、綿テープ１１はゴムテープ１０より長い分だけ弛みを生じており、中央タブ７が移動してゴムテープ１０に引っ張り力がかかった場合には、ゴムテープ１０は綿テープ１１の長さまでしか伸びないことになる。即ち、綿テープ１１はゴムテープ１０の最大伸び長さを制限する伸び止め材としての役割を果たしており、タックの折り重なり部分が引き延ばされる長さ以上にウエストサイズが大きくならないように弾性材としてのゴムテープ１０の伸びの長さを制限することができるから、皺がよったりしてウエスト周りの見栄えが損なわれることがない。また、ゴムテープ１０に過度の引っ張り力がかかるのを防止することができるから、ゴムテープ１０の寿命が長くなる。
【０１６８】
一方、オーバーベルト６には、オーバーベルト６を補強するベルト芯６ａと中央タブ７の滑りを良くするための裏地６ｂが取り付けられている。オーバーベルト６は、下前ベルト部３と下前身頃５とを地縫いするときに間に挟み込まれて一緒に縫付けられる。そして、上述の如く中央タブ７とゴムテープ１０と綿テープ１１が取り付けられた後に、これらの部材を覆うように下前ベルト部３を挟み込んで下前ベルト部３の裏側へ縫付けられる。
【０１６９】
このオーバーベルト６の作成方法について、図４を参照して説明する。まず、図４（ａ）に示されるように、オーバーベルト６の裏側にベルト芯６ａを貼り付ける。次に、これを裏返して、図４（ｂ）に示されるように、オーバーベルト６の表側に裏地６ｂを地縫い６ｃで縫付ける。そして、再び裏返して、図４（ｃ）に示されるように、裏地６ｂを折り返してオーバーベルト６の端よりも１〜２ｍｍ内側に入ったところでアイロンで押さえて折り目を付ける。最後に、図４（ｄ）に示されるように、反対側の端６ｄをベルト芯６ａのところで折り返してアイロンで押さえて折り目を付ける。このようにして作成したオーバーベルト６を、前述の如く、下前ベルト部３と下前身頃５の間に挟んで縫付ける。
【０１７０】
次に、上前４側のファスナーテープの取り付け構造について、図５を参照して説明する。図５（ａ）に示されるように、上前ベルト部２を縫い上げる前の状態においては、上前表身頃４と上前立見返し４ｃの折り返し部分から右側に上前ベルト見返し２ａが突出しており、上前ベルト部２の上方にはベルト布見返し２ｂが設けられている。そして、上前ベルト部２の中心にはベルト芯２ｃが上前ベルト部２の全周に亘って貼り付けられている。なお、上前ベルト部２はベルト布見返し２ｂの左端の部分で破断されて示されており、実際には上前ベルト部２及びベルト芯２ｃは図の左側へさらに伸びて続いている。
【０１７１】
一方、上前立見返し４ｃには上下方向に伸びるタック４ｄが設けられており、このタック４ｄの折り重なり部分の上側の布地には一方のファスナーテープ４ａが縫付けられている。そして、この一方のファスナーテープ４ａの上端はスライディングテープ１３及びゴムテープ１４によって上前ベルト部２の上端に縫付けられて支持されている。これによって、一方のファスナーテープ４ａのむし４ｂが、図２に示される下前５のファスナーテープ５ａのむし５ｂと噛み合って前明１ａが閉じられた状態において、パンツ（ズボン）１のウエストサイズが伸びた場合には、タック４ｄの折り重なり部分が広がることによってファスナーテープ４ａが図５の右側に移動して、ウエストベルトの下部もそのサイズが広くなる。これによって、着用する人の腰周り寸法に合わせてパンツ（ズボン）１の腰周り寸法を中央タブ７の移動によって調節し、同時に着用する人の腰の下部周りの寸法をタック４ｄによってファスナーテープ４ａを適宜動かすことによって調節することができる。
【０１７２】
上前ベルト部２は、ベルト布見返し２ｂをベルト芯２ｃの上端に沿って折り返して上前表身頃４の裏側に縫付け、さらに上前ベルト見返し２ａを上前表身頃４の右側の折り返し部分に沿って折り返してベルト布見返し２ｂに縫付けることによって、図５（ｂ）に示されるように仕上げられる。ここで、先に説明したように、上前ベルト部２には穴かがりされたボタンホール９が設けられるが、図５（ｂ）に示されるように、ボタンホール９は上前ベルト部２内に取り付けられたスライディングテープ１３及びゴムテープ１４の一部を貫通しており、ボタンホール９の穴かがりによってスライディングテープ１３及びゴムテープ１４も共に縫付けられてしまう。しかし、本実施の形態１のパンツ（ズボン）１においては、一方のファスナーテープ４ａがスライディングテープ１３のみでなくゴムテープ１４によっても支持されているため、タック４ｄの折り重なり部分が引き延ばされる際には、ゴムテープ１４の伸縮力によって一方のファスナーテープ４ａもそれにつれて移動することができる。このように、上前ベルト部２にボタンホール９を設けて穴かがりをしても一方のファスナーテープ４ａの移動を妨げることがない。
【０１７３】
このようにして、本実施の形態１のパンツ（ズボン）１においては、結合具としてボタンも使用することができるとともに、連続的にウエストサイズを変化させることができるフリーサイズ状態とウエストサイズを固定した状態とを容易に切り替えることができる。
【０１７４】
なお、本実施の形態１においては、上前ベルト部２を上前ベルト見返し２ａとベルト布見返し２ｂを設けてこれらを折り返すことによって構成しているが、その他にも、ベルト布見返し２ｂの代わりに上前ベルト部２の裏側に共布を付けて縫付ける構成や、上前ベルト部２の裏側全体に見返しが付く構成、上前ベルト部２の全体をベルト布見返し２ｂのように布を被せて輪にして覆う構成等がある。また、紳士用ズボンの場合には、上前ベルト部２の裏側にマーベルトが付けられる場合もある。
【０１７５】
実施の形態２
次に、本発明の実施の形態２について、図６を参照して説明する。図６（ａ）は本発明の実施の形態２にかかるウエストサイズ調節機構付衣服の下前ベルト部の表側の構成を示す図、（ｂ）は下前ベルト部の裏側の構成を上下逆にして示す部分展開図である。
【０１７６】
図６（ａ）に示されるように、本実施の形態２のウエストサイズ調節機構付衣服としてのパンツ（ズボン）１は下前ベルト部３にオーバーベルトがなく、２枚のベルト生地１５，１６が重ねられて下前ベルト部３が形成されており、上側のベルト生地１５の端部から中央タブ７の先端が外に出ている。この中央タブ７の先端部分とそこから一定長さ離れた位置の下前ベルト部３とには、各１個のボタン８が取り付けられている。
【０１７７】
図６（ｂ）に示されるように、この中央タブ７には、実施の形態１と同様にゴムテープ１０とそれより約２．５ｃｍ長い綿テープ１１が端を揃えて、中央タブ７の後端に図のような約０．５ｃｍ幅のステッチで縫い外れがないように頑丈に縫付けられている。そして、ゴムテープ１０と綿テープ１１は反対側の端を揃えて、下前ベルト部３のベルト生地１５にステッチ１４ａで強固に縫付けられている。また、実施の形態１と同様に、綿テープ１１はゴムテープ１０の最大伸び長さを制限する伸び止め材としての役割を果たしている。２枚のベルト生地１５，１６は下前ベルト部３の裏側にあたる部分のみステッチ１７で縫付けられており、下前ベルト部３の表側にあたる部分は縫付けられていない。したがって、この縫付けられていない表側部分から中央タブ７の先端が突出することができる。
【０１７８】
本実施の形態２のパンツ（ズボン）１においては、下前ベルト部３を２枚のベルト生地１５，１６を少しだけ重ねて縫付けた構成となっており、オーバーベルトを用いていないため、下前ベルト部３全体を薄手に仕上げることができる。したがって、厚手の生地からなるパンツに適した構成となり、またオーバーベルトを作成する必要がないため構造が簡単になり、作業時間も短縮することができる。また、ゴムテープ１０と綿テープ１１の後端部は、下前ベルト部３のベルト生地１５の表側にステッチ１４ａで縫付けられているため、パンツ（ズボン）１の完成状態において表側からステッチ１４ａが見えてしまう。そこで、このステッチ１４ａを隠すために、ステッチ１４ａの上にベルト通し、皮ラベル、布ネーム、ワッペン等を取り付けることによって、パンツ（ズボン）１の見栄えを良くすることができる。
【０１７９】
そして、パンツ（ズボン）１の上前の構成は、図２、図５に示される実施の形態１と同様である。したがって中央タブ７はゴムテープ１０の弾性力によってベルト方向に移動可能になっているため、中央タブ７の先端のボタン８を上前ベルト部２のボタンホール９に係止した場合には、ウエストサイズはゴムテープ１０が伸縮可能な範囲内でフリーサイズとなり、ゆったりとした着用感が得られる。一方、下前ベルト部３に直接取り付けられたボタン８をボタンホール９に係止した場合には、ウエストサイズが固定された状態となる。このように、２つのボタン８を付け替えるだけで、連続的にウエストサイズを変化させることができるフリーサイズ状態とウエストサイズを固定した状態とを容易に切り替えることができる。
【０１８０】
このようにして、本実施の形態２のパンツ（ズボン）１においては、結合具としてボタンも使用することができるとともに、連続的にウエストサイズを変化させることができるフリーサイズ状態とウエストサイズを固定した状態とを容易に切り替えることができ、さらに下前ベルト部３を薄手に仕上げることができて厚手の生地からなるパンツ（Ｇパン、綿パン等）に最適なものとなる。
【０１８１】
なお、本実施の形態２のパンツ１を紳士用ズボンに適用する場合には、ウエスト裏側のマーベルトにステッチを掛けるとマーベルトの布がバイヤスのため捩れて、皺や波の原因になり易いため中止め（中でステッチ掛け）をする。また、図６（ｂ）に示されるように、ゴムテープ１０の上に綿テープ１１がたるんだ状態で載っているため、ベルト生地１５を折り返して包んだときにベルト生地１５の素材によっては波になりあたりが出る。このような場合は、ゴムテープ１０を上にして綿テープ１１を下にすればあたりが出ないので良い。
【０１８２】
本実施の形態２及び上記実施の形態１においては、結合具としてボタン８とボタンホール９を用いた場合について説明したが、代わりにドット釦を使用することもできる。即ち、図２，図６の２個のボタン８の代わりに２個の凹側のドット釦を下前側に取り付け、図２，図５のボタンホール９の代わりに凸側のドット釦を上前側に取り付ける。凸側のドット釦を中央タブ７の先端の凹側のドット釦に嵌めた場合には、ウエストサイズはゴムテープ１０が伸縮可能な範囲内でフリーサイズとなり、ゆったりとした着用感が得られる。一方、凸側のドット釦を下前ベルト部３に直接取り付けられた凹側のドット釦に嵌めた場合には、ウエストサイズが固定された状態となる。このように、ドット釦を嵌め替えるだけで、連続的にウエストサイズを変化させることができるフリーサイズ状態とウエストサイズを固定した状態とを容易に切り替えることができる。
【０１８３】
また、凸側のドット釦を上前側に取り付ける際には、図５（ｂ）に示されるようにスライディングテープ１３またはゴムテープ１４の一部を打ち抜いてしまうこともあるが、ゴムテープ１４の伸縮力によって一方のファスナーテープ４ａが自由に移動できるので、ドット釦を結合具として用いたことによって一方のファスナーテープ４ａの移動を妨げることはない。
【０１８４】
このようにして、結合具としてドット釦も使用することができるとともに、連続的にウエストサイズを変化させることができるフリーサイズ状態とウエストサイズを固定した状態とを容易に切り替えることができるパンツ（ズボン）１となる。
【０１８５】
実施の形態３
次に、本発明の実施の形態３について、図７を参照して説明する。図７は本発明の実施の形態３にかかるウエストサイズ調節機構付衣服の下前及び上前のベルト部付近の表側の構成を示す図である。なお、実施の形態１と同一の部分については同一の符号を付して説明を一部省略する。
【０１８６】
図７に示されるように、本実施の形態３のパンツ（ズボン）１は、下前ベルト部３にオーバーベルト６が設けられ、その端部から中央タブ７の先端が突出している。中央タブ７の後端にはゴムテープ及び綿テープが縫付けられ、ゴムテープ及び綿テープの他端は下前ベルト部３に縫付けられて、オーバーベルト６によって覆い隠されている。これらのゴムテープ及び綿テープの取り付け構造、オーバーベルト６の作り方及び取り付け方については、実施の形態１と同様である。中央タブ７の先端部分及びそこから一定長さ離れた下前ベルト部３には、各１個の受構成体１８が取り付けられている。これに対して、上前ベルト部２の裏側には、破線で示されるように１個の鉤構成体１９が取り付けられている。
【０１８７】
中央タブ７はゴムテープの弾性力によってベルト方向に移動可能になっているため、中央タブ７の先端の受構成体１８に上前ベルト部２の鉤構成体１９を係止した場合には、ウエストサイズはゴムテープが伸縮可能な範囲内でフリーサイズとなり、ゆったりとした着用感が得られる。一方、下前ベルト部３に直接取り付けられた受構成体１８に鉤構成体１９を係止した場合には、ウエストサイズが固定された状態となる。このように、鉤構成体１９をかけ替えるだけで、連続的にウエストサイズを変化させることができるフリーサイズ状態とウエストサイズを固定した状態とを容易に切り替えることができる。そして、上前ベルト部２には鉤構成体１９が裏面に取り付けられるだけなので、上前側の一方のファスナーテープ４ａの移動を妨げる心配がないため、ゴムテープ１４を用いることなく、一方のファスナーテープ４ａを支持するのはスライディングテープ１３のみとしても良い。
【０１８８】
このようにして、本実施の形態３のパンツ（ズボン）１においては、連続的にウエストサイズを変化させることができるフリーサイズ状態とウエストサイズを固定した状態とを容易に切り替えることができる。
【０１８９】
実施の形態４
次に、本発明の実施の形態４について、図８乃至図１１を参照して説明する。図８（ａ）は本発明の実施の形態４にかかるウエストサイズ調節機構付衣服を小さいウエストサイズで着用した場合のベルト部付近の表側を示す部分正面図、（ｂ）は大きいウエストサイズで着用した場合のベルト部付近の表側を示す部分正面図である。図９は本発明の実施の形態４にかかるウエストサイズ調節機構付衣服の下前と上前のベルト部付近の表側の構成を示す部分拡大図である。図１０（ａ）は本発明の実施の形態４にかかるウエストサイズ調節機構付衣服のオーバーベルトを外して中央タブを裏返して見たときの下前の構成を示す部分拡大図、（ｂ）は中央タブへのドット釦の取り付け状態を示す図である。図１１は本発明の実施の形態４にかかるウエストサイズ調節機構付衣服のベルト部近傍を裏側から見て示す図である。なお、実施の形態１と同一の部分については同一の符号を付して説明を一部省略する。
【０１９０】
図８（ａ）に示されるように、本実施の形態４のウエストサイズ調節機構付衣服としてのパンツ（ズボン）１を小さいウエストサイズ（ウエストサイズ固定状態）で着用した場合には、オーバーベルト６の内側端部と上前ベルト部２が殆どくっついた状態になって、中央タブ７はほんの少ししか見えない。これに対して、図８（ｂ）に示されるように、パンツ（ズボン）１を大きいウエストサイズ（フリーサイズ状態）で着用した場合には、中央タブ７がオーバーベルト６の内側端部から大きく突出してウエストサイズが大きくなるとともに、図示しない上前のタックが広がることによってファスナーが移動して前明１ａがやや右に傾いた状態となり、着用する人のウエストサイズだけでなく腰近傍の寸法が多少変化しても、着用感や見栄えを損なうことがないようになっている。
【０１９１】
そして、図９に示されるように、本実施の形態４のパンツ（ズボン）１においても、結合具として受構成体と鉤構成体を用いている。即ち、下前ベルト部３のオーバーベルト６の開口部から突出した中央タブ７の先端部分に受構成体１８が取り付けられ、上前ベルト部２の裏側に鉤構成体１９が取り付けられている。なお、オーバーベルト６の開口部は、前中心となる下前ファスナーテープ５ａの縫付け部分から約２．５ｃｍから約３ｃｍ離れている。実施の形態１と同様に中央タブ７はゴムテープの伸縮力によって移動可能となっているので、鉤構成体１９を受構成体１８に係止した状態においては、パンツ（ズボン）１は連続的にウエストサイズを変化させることができるフリーサイズ状態となる。これに対して、ウエストサイズを固定した状態とするには、中央タブ７の裏側と下前ベルト部３に取り付けられた一組のドット釦を嵌め合わせることによって行う。
【０１９２】
即ち、図１０（ａ）に示されるように、ゴムテープ１０及び綿テープ１１によって下前ベルト部３に取り付けられた中央タブ７の裏側には凸側のドット釦２０が取り付けられており、これに対して下前ベルト部３の前中心５ａから約２．５ｃｍの位置には凹側のドット釦２１が取り付けられている。これによって、鉤構成体１９を受構成体１８に係止した状態において、凸側のドット釦２０を凹側のドット釦２１に嵌めることによって、中央タブ７は移動できなくなりウエストサイズが固定された状態になる。このように、本実施の形態４のパンツ（ズボン）１においては、連続的にウエストサイズを変化させることができるフリーサイズ状態とウエストサイズが固定された状態とを容易に切り替えることができる。
【０１９３】
なお、図１０（ｂ）に示されるように、中央タブ７の凸側のドット釦２０を取り付ける部分には、補強のために裏側に硬めの芯７ａが貼られている。この硬めの芯７ａは、中央タブ７の裏側全面に貼り付けても良い。また、凸側のドット釦２０は中央タブ７の裏側に取り付けられているだけなので、中央タブ７が強く引っ張られた場合には、凸側のドット釦２０が周辺の布とともに引っ張られて型崩れする恐れがある。これを防ぐために、凸側のドット釦２０の周囲に中央タブを貫通するステッチを掛けて補強することが望ましい。
【０１９４】
そして、図１１に示されるように、本実施の形態４のパンツ（ズボン）１は紳士用ズボンであって、上前ベルト部２と下前ベルト部３の裏側にはそれぞれマーベルト２２，２３が設けられている。鉤構成体１９は、上前ベルト部２の端から約１．５ｃｍ離れた位置に取り付けられており、図１０で凸側のドット釦２０は中央タブ７の先端から約３ｃｍ離れた位置に取り付けられている。そして、図９で受構成体１８は中央タブ７の先端から約２ｃｍ離れた位置に取り付けられているため、凸側のドット釦２０を凹側のドット釦２１に嵌めたウエストサイズ固定状態においては、図８（ａ）に示されるように中央タブ７が殆ど見えなくなる。
【０１９５】
本実施の形態４においては、結合具として受構成体１８及び鉤構成体１９を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため連続的にウエストサイズを変化させることができるフリーサイズ状態となり、中央タブ７の裏側の凸側のドット釦２０を下前ベルト部３の凹側のドット釦２１に嵌めるとウエストサイズが固定された状態となる。
【０１９６】
このようにして、本実施の形態４のパンツ（ズボン）１においては、結合具としてボタンやドット釦も使用することができるとともに、連続的にウエストサイズを変化させることができるフリーサイズ状態とウエストサイズを固定した状態とを容易に切り替えることができる。
【０１９７】
実施の形態５
次に、本発明の実施の形態５について、図１２及び図１３を参照して説明する。図１２は本発明の実施の形態５にかかるウエストサイズ調節機構付衣服を小さいウエストサイズで着用した場合のベルト部付近の表側を示す部分正面図である。図１３（ａ）は本発明の実施の形態５にかかるウエストサイズ調節機構付衣服の下前のベルト部付近の表側の構成を示す部分拡大図、（ｂ）は中央タブを裏返して見たときの下前の構成を示す部分拡大図である。なお、実施の形態１，４と同一の部分については同一の符号を付して一部説明を省略する。
【０１９８】
図１２に示されるように、本実施の形態５のパンツ（ズボン）１が実施の形態４と異なるのは、凸側のドット釦２０が中央タブ７を貫通して取り付けられている点と、凸側のドット釦２０、凹側のドット釦２１、受構成体１８の取り付け位置が異なる点である。この結果、図１２に示されるように、パンツ（ズボン）１を小さいウエストサイズで着用した場合（ウエストサイズが固定の場合）でも、中央タブ７がかなりの長さ見えている。
【０１９９】
図１３（ａ）に示されるように、オーバーベルト６の開口部から突出している中央タブ７の先端には、受構成体１８が取り付けられており、少し離れて凸側のドット釦２０が中央タブ７を貫通して取り付けられている。図１３（ｂ）に示されるように、この位置において中央タブ７を裏返すと、凹側のドット釦２１が凸側のドット釦２０に対応する位置において下前ベルト部３に取り付けられている。したがって、図１３（ａ）に示される位置が凸側のドット釦２０を凹側のドット釦２１に嵌め合わせた固定位置であり、受構成体１８に実施の形態４と同様に上前ベルト部２の裏側に取り付けられている鉤構成体を係止することによって、ウエストサイズが固定される。これに対して、ドット釦２０，２１を外して中央タブ７を移動可能な状態にすれば、連続的にウエストサイズを変化させることができるフリーサイズ状態となる。また、凸側のドット釦２０が中央タブ７を貫通して取り付けていることから補強用の芯が不要であり、さらにオーバーベルト６から飛び出して見える凸側のドット釦２０の頭が飾りにもなる。
【０２００】
本実施の形態５においては、結合具として受構成体１８及び図示されない鉤構成体を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため連続的にウエストサイズを変化させることができるフリーサイズ状態となり、中央タブ７の裏側の凸側のドット釦２０を下前ベルト部３の凹側のドット釦２１に嵌めるとウエストサイズが固定された状態となる。
【０２０１】
このようにして、本実施の形態５のパンツ（ズボン）１においては、結合具としてボタンやドット釦も使用することができるとともに、連続的にウエストサイズを変化させることができるフリーサイズ状態とウエストサイズを固定した状態とを容易に切り替えることができる。
【０２０２】
実施の形態６
次に、本発明の実施の形態６について、図１４を参照して説明する。図１４は本発明の実施の形態６にかかるウエストサイズ調節機構付衣服の下前と上前のベルト部付近の表側の構成を示す部分拡大図である。なお、実施の形態１，４と同一の部分については同一の符号を付して一部説明を省略する。
【０２０３】
図１４に示されるように、本実施の形態６のパンツ（ズボン）１が実施の形態４と異なるのは、凸側のドット釦２０及び凹側のドット釦２１が用いられておらず、代わりに下前ベルト部３に２つの受部を有する受構成体２４、上前ベルト部２の裏側に２つの鉤部を有する鉤構成体２５が取り付けられている点である。中央タブ７の取り付け構造や機能、オーバーベルトの構造等については、実施の形態１，４と同様である。したがって、上前ベルト部２の裏側の鉤構成体１９を中央タブ７の先端部分の受構成体１８に係止したのみの場合は、中央タブ７が移動可能なため連続的にウエストサイズを変化させることができるフリーサイズ状態となり、上前ベルト部２の裏側の２つの鉤部を有する鉤構成体２５を下前ベルト部３の２つの受部を有する受構成体２４に係止するとウエストサイズが固定された状態となる。この場合、鉤構成体２５のどちらの鉤部を受構成体２４のどちらの受部に係止するかによって、４通りのウエストサイズが選択できる。
【０２０４】
本実施の形態６においては、結合具として受構成体１８及び鉤構成体１９を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため連続的にウエストサイズを変化させることができるフリーサイズ状態となり、上前ベルト部２の裏側の２つの鉤部を有する鉤構成体２５を下前ベルト部３の２つの受部を有する受構成体２４に係止するとウエストサイズが固定された状態となる。この場合、鉤構成体２５のどちらの鉤部を受構成体２４のどちらの受部に係止するかによって、４通りのウエストサイズが選択できる。
【０２０５】
このようにして、本実施の形態６のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、固定したウエストサイズを４通りのサイズの中から選択することができる。
【０２０６】
実施の形態７
次に、本発明の実施の形態７について、図１５及び図１６を参照して説明する。図１５は本発明の実施の形態７にかかるウエストサイズ調節機構付衣服の下前と上前のベルト部付近の表側の構成を示す部分拡大図である。図１６は下前のオーバーベルトを開いて中央タブを裏返した状態を示す部分展開図である。なお、実施の形態１，４と同一の部分については同一の符号を付して一部説明を省略する。
【０２０７】
図１５，図１６に示されるように、本実施の形態７のパンツ（ズボン）１が実施の形態４と異なるのは、凸側のドット釦２０及び凹側のドット釦２１が用いられておらず、代わりに下前ベルト部３にマジックテープ（登録商標）の硬い側２６ｂが取り付けられ、中央タブ７の裏側全面にマジックテープ（登録商標）の軟らかい側２６ａが取り付けられている点である。図１６に示されるように、中央タブ７の取り付け構造や機能、オーバーベルト６の構造等については、実施の形態１，４と同様である。したがって、上前ベルト部２の裏側の鉤構成体１９を中央タブ７の先端部分の受構成体１８に係止したのみの場合は、中央タブ７が移動可能なため連続的にウエストサイズを変化させることができるフリーサイズ状態となり、中央タブ７の裏側のマジックテープ（登録商標）の軟らかい側２６ａを下前ベルト部３のマジックテープ（登録商標）の硬い側２６ｂに接着することによって、ウエストサイズは一定のサイズに固定される。ここで、両方のマジックテープ（登録商標）２６ａ，２６ｂの幅の分だけ固定するウエストサイズに幅を持たせることができる。
【０２０８】
本実施の形態７においては、結合具として受構成体１８及び鉤構成体１９を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため連続的にウエストサイズを変化させることができるフリーサイズ状態となり、中央タブ７の裏側のマジックテープ（登録商標）の軟らかい側２６ａを下前ベルト部３のマジックテープ（登録商標）の硬い側２６ｂに接着することによって、ウエストサイズは一定のサイズに固定される。ここで、両方のマジックテープ（登録商標）２６ａ，２６ｂの幅の分だけ固定するウエストサイズに幅を持たせることができる。
【０２０９】
このようにして、本実施の形態７のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、固定したウエストサイズも一定の範囲内で連続的に自由に調節することができる。
【０２１０】
実施の形態８
次に、本発明の実施の形態８について、図１７を参照して説明する。図１７は本発明の実施の形態８にかかるウエストサイズ調節機構付衣服の下前及び上前のベルト部付近の表側の構成を示す図である。なお、実施の形態１，４と同一の部分については同一の符号を付して説明を一部省略する。
【０２１１】
本実施の形態８のパンツ（ズボン）１は、図７に示される実施の形態３のパンツ（ズボン）１の変形例である。即ち、図１７は上前ベルト２の裏側に取り付けられた図示しない鉤構成体が下前ベルト３に取り付けられた図示しない受構成体に係止されて、ウエストサイズが固定された状態を示している。ここで、オーバーベルト６の開口部は前中心から約５ｃｍ離れた位置にあり、図７に示される実施の形態３の約２．５ｃｍから約３ｃｍの倍近く離れている。このオーバーベルト６の開口部から中央タブ２７の半円形の先端が突出しており、中央タブ２７の先端部分に取り付けられた受構成体１８はオーバーベルト６の下に隠れている。
【０２１２】
中央タブ７に代わる中央タブ２７の取り付け構造や機能、オーバーベルト６の構造等については、実施の形態１，４と同様である。この受構成体１８に上前ベルト２の裏側に取り付けられた図示しない鉤構成体を係止することによって、中央タブ２７は移動可能であるため、連続的にウエストサイズを変化させることができるフリーサイズ状態となる。
【０２１３】
一方、図１７に示されるウエストサイズ固定状態においては、上前ベルト部２に飾りタブ２８と飾りオーバーベルト２９が設けられており、左右対称になっている。実施の形態１〜７のように、下前だけにオーバーベルト６または下前ベルト部３の表側部分から中央タブ７の先端が突出しているのは、デザイン上バランスが悪い。そこで、上前ベルト部２にも左右対称になる位置に中央タブ２７の先端部分と同一形状の飾りタブ２８及び飾りオーバーベルト２９を設けることによって、バランスがとれてデザイン的にも優れたものとなる。本実施の形態８においては、先端が半円形の中央タブ２７及び飾りタブ２８を用いた例について説明したが、中央タブ及び飾りタブの先端形状は同一形状であれば、中央タブ７のような矩形でも三角形でもどんな形状であっても良い。
【０２１４】
このようにして、本実施の形態８のパンツ（ズボン）１は、連続的にウエストサイズを変化させることができるフリーサイズ状態とウエストサイズを固定した状態とを容易に切り替えることができるとともに、デザイン的にもバランスがとれて優れたものとなる。
【０２１５】
実施の形態９
次に、本発明の実施の形態９について、図１８を参照して説明する。図１８は本発明の実施の形態９にかかるウエストサイズ調節機構付衣服の下前及び上前のベルト部付近の表側の構成を示す図である。なお、実施の形態１，４と同一の部分については同一の符号を付して説明を一部省略する。
【０２１６】
本実施の形態９のパンツ（ズボン）１も、図７に示される実施の形態３のパンツ（ズボン）１の変形例である。即ち、図１８に示されるように、下前ベルト部３に被せられたオーバーベルト６の開口部は前中心５ａから約５ｃｍ離れており、オーバーベルト６の開口部からは中央タブ７の先端が突出している。この中央タブ７の先端には受構成体１８が取り付けられており、前中心５ａから約１．５ｃｍと約３ｃｍ離れた下前ベルト部３の２箇所にもそれぞれ受構成体１８が取り付けられている。一方、上前ベルト部２の裏側には上前身頃４の端から約１ｃｍ離れた位置に鉤構成体１９が取り付けられている。そして、上前ベルト部２は上前身頃４の端から約２．５ｃｍ突出して持ち出し３０が設けられている。
【０２１７】
したがって、上前ベルト部２の裏側の鉤構成体１９を中央タブ７の先端部分の受構成体１８に係止することによって、中央タブ７が取り付けられたゴムテープの伸縮可能な範囲内で連続的にウエストサイズを変化させることができる。一方、下前ベルト部３に２個取り付けられた受構成体１８のいずれかに鉤構成体１９を係止することによって、ウエストサイズは２種類の一定のサイズに固定される。しかし、上前に近い側の受構成体１８に鉤構成体１９を係止した場合には、上前から遠い側の受構成体１８と中央タブ７の先端部分の受構成体１８が見えてしまって見苦しい。そこで、上前ベルト部２に下前ベルト部３側に伸びた持ち出し３０を設けることによって、これらの受構成体１８を覆い隠して外見上も美しくすっきり見せることができる。
【０２１８】
このようにして、本実施の形態９のパンツ（ズボン）１においては、連続的にウエストサイズを変化させることができる状態とウエストサイズを固定した状態とを容易に切り替えることができるとともに、下前に取り付けられた受構成体を覆い隠して外見上も美しくすっきり見せることができる。
【０２１９】
なお、実施の形態１のように、上前ベルト部２にボタンホール９を設けて、中央タブ７の先端のボタン８をボタンホール９に係止してフリーサイズにした場合においても、婦人物においては中央タブ７の色を変えたりしてデザインとして好まれる場合もあるが、人によっては伸びた中央タブ７が見えるのを嫌うため、本実施の形態９のパンツ１と同様に上前ベルト部２に下前ベルト部３側に伸びた持ち出し３０を設けることによって、伸びた中央タブ７が覆い隠されて外見上も美しくすっきり見せることができる。この点については、上前ベルト部２に凸側のドット釦を取り付けて、中央タブ７の先端に凹側のドット釦を取り付けて嵌め合わせる場合も同様で、上前ベルト部２に下前ベルト部３側に伸びた持ち出し３０を設けることによって、伸びた中央タブ７が覆い隠されて外見上も美しくすっきり見せることができる。
【０２２０】
さらに、中央タブ７を伸ばしたときの伸び部分を隠すため、持ち出し３０の長さを約５〜１０ｃｍと長くして先端に少し長め（通常は２．０ｃｍのところ２．３〜２．５ｃｍぐらい）のボタンホールを設け、一方オーバーベルト６の上にボタンを縫付ける針足を少し長めにしてボタンを取り付け、ボタンホールに係止することによって、持ち出し３０の先端が浮き上るのを防ぎつつ、中央タブ７が伸縮するのに伴ってボタンがボタンホール内を移動できるので、見た目にも自然で外見上も美しくすっきり見せることができる。
【０２２１】
なお、持ち出し３０の先端の形状は矩形に限られず、三角形、半円、その他どんな形にもすることができる。
【０２２２】
実施の形態１０
次に、本発明の実施の形態１０について、図１９乃至図２２を参照して説明する。図１９は本発明の実施の形態１０にかかるウエストサイズ調節機構付衣服を小さいウエストサイズで着用した場合のベルト部付近の表側を示す部分正面図である。図２０（ａ）は本発明の実施の形態１０にかかるウエストサイズ調節機構付衣服を小さいウエストサイズで着用した場合の下前のベルト部付近の表側の構成を示す部分拡大図、（ｂ）は大きいウエストサイズで着用した場合の下前のベルト部付近の表側の構成を示す部分拡大図である。図２１は本発明の実施の形態１０にかかるウエストサイズ調節機構付衣服の中央タブ及び脇タブの取り付け構造を示す図である。図２２は本発明の実施の形態１０にかかるウエストサイズ調節機構付衣服のオーバーベルトを開いた状態の下前のベルト部付近の表側の構成を示す部分拡大図である。
【０２２３】
図１９に示されるように、本実施の形態１０のパンツ（ズボン）１は、中央タブ７と連動し、オーバーベルト６の反対側（脇側）の開口部から突出する脇タブ３１を有している。オーバーベルト６の反対側の開口部付近には、２つのボタン３２が下前ベルト部３に取り付けられており、脇タブ３１には２つのボタン３２が係止される穴かがりされたボタンホール３３が設けられている。図１９は脇タブ３１のボタンホール３３に２つのボタン３２のうち外側のボタン３２が係止された状態を示しており、脇タブ３１が最も突出して中央タブ７が最も引っ込んでパンツ（ズボン）１のウエストサイズが最小となっている。
【０２２４】
このように、中央タブ７と脇タブ３１は連動するようになっている。即ち、図２０（ａ）に示されるように、脇タブ３１のボタンホール３３に外側のボタン３２を係止した状態が脇タブ３１が最大限突出して中央タブ７が最小限突出した状態であり、この状態で中央タブ７の先端の受構成体１８に図示しない上前ベルト部２の裏側に取り付けられた鉤構成体を係止することによって、図１９に示されるようにウエストサイズが最小に固定された状態となる。これに対して、図２０（ｂ）に示されるように、脇タブ３１のボタンホール３３にボタン３２を係止しない状態として、中央タブ７の先端の受構成体１８に図示しない上前ベルト部２の裏側に取り付けられた鉤構成体を係止すると、ウエストサイズは中央タブ７が最大限に突出した状態から図２０（ａ）に示される状態までの間で連続的に変化させられるフリーサイズ状態となる。
【０２２５】
中央タブ７の伸縮できる幅は約２．５ｃｍであり、２つのボタン３２は図２０（ｂ）に示される脇タブ３１が最小限に突出した状態におけるボタンホール３３の穴部から約１．２５ｃｍのピッチで取り付けられている。また、前中心５ａからオーバーベルト６の中央タブ７側の開口部までの距離も約２．５ｃｍである。したがって、脇タブ３１のボタンホール３３にボタン３２を係止しない場合にはフリーサイズ状態の範囲は約２．５ｃｍであり、内側のボタン３２を係止した場合にはフリーサイズ状態の範囲は約１．２５ｃｍとなる。そして、外側のボタン３２を係止した場合にはウエストサイズが固定された状態となる。
【０２２６】
次に、中央タブ７と脇タブ３１の取り付け構造について、図２１，図２２を参照して説明する。中央タブ７の後端に強固に縫付けられたゴムテープ１０と綿テープ１１の他端は、下前ベルト部３にステッチ１０ａによって強固に縫付けられる。ここで、綿テープ１１はゴムテープ１０よりも約２．５ｃｍ長いため、ステッチ１０ａから約１．２５ｃｍ離れた位置において綿テープ１１がステッチ３１ａによって脇タブ３１に強固に縫付けられる。そして、図２２に示されるように、オーバーベルト６によって、ゴムテープ１０と綿テープ１１及び中央タブ７と脇タブ３１の縫付け部分が覆い隠される。なお、ステッチ１０ａの位置はオーバーベルト６の脇側開口部より約２ｃｍ入ったところなので、脇タブ３１を最大限引き出しても脇タブ３１と綿テープ１１の縫付け部３１ａがオーバーベルト６の開口部から露出してしまうことはない。
【０２２７】
また、本実施の形態１０においては、綿テープ１１をゴムテープ１０の上に配置した場合について説明したが、綿テープ１１をゴムテープ１０の下に配置することもできる。この場合には、ゴムテープ１０の下に空間を作って綿テープ１１が自由に出入りできるように、綿テープ１１とゴムテープ１０の端を横止めミシンステッチで上下とも縫付ける。さらに、綿テープ１１をゴムテープ１０の上に配置した場合、パンツ１の素材によっては綿テープ１１の上面があたって動きにくい場合がある。このようなときは、オーバーベルト６の表地と裏地の間に芯を入れて補強することによって、綿テープ１１のあたりを防ぐことができる。
【０２２８】
また、本実施の形態１０においては、結合具として受構成体１８及び図示しない鉤構成体を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため約２．５ｃｍの範囲内で連続的にウエストサイズを変化させることができるフリーサイズ状態となり、脇タブ３１のボタンホール３３に内側のボタン３２を係止した場合には約１．２５ｃｍの範囲内でフリーサイズ状態となり、外側のボタン３２を係止した場合にはウエストサイズは最小のサイズに固定される。
【０２２９】
このようにして、本実施の形態１０のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、フリーサイズ状態の範囲も２通りに切り替えることができる。
【０２３０】
なお、図２０（ｂ）に示されるボタンホール３３の穴部の位置に３つめのボタンを下前ベルト部３に取り付けて、ボタンホール３３に係止して脇タブ３１を固定するようにしても良い。
【０２３１】
実施の形態１１
次に、本発明の実施の形態１１について、図２３及び図２４を参照して説明する。図２３は本発明の実施の形態１１にかかるウエストサイズ調節機構付衣服を小さいウエストサイズで着用した場合のベルト部付近の表側を示す部分正面図である。図２４は本発明の実施の形態１１にかかるウエストサイズ調節機構付衣服の下前及び上前のベルト部付近の表側の構成を示す部分拡大図である。
【０２３２】
図２３に示されるように、本実施の形態１１のパンツ（ズボン）１も、実施の形態１０と同様に取り付けられた中央タブ７及び脇タブ３１を具備しており、実施の形態１０のボタン３２とボタンホール３３の代わりに、下前ベルト部３にマジックテープ（登録商標）の軟らかい側３４を取り付け、脇タブ３１の裏側にマジックテープ（登録商標）の硬い側を取り付けている。そして、脇タブ３１のマジックテープ（登録商標）を接着しない状態においては、中央タブ７が一定の範囲内で移動できるフリーサイズの状態となり、脇タブ３１のマジックテープ（登録商標）を下前ベルト部３のマジックテープ（登録商標）３４に接着した状態においては、中央タブ７が移動できる範囲がだんだん小さくなり、マジックテープ（登録商標）を中央タブ７から最も遠い側において接着した場合には、ウエストサイズが最小のサイズに固定された状態となる。
【０２３３】
即ち、図２４に示されるように、オーバーベルト６の左右の開口部から中央タブ７と脇タブ３１の先端がそれぞれ突出しており、オーバーベルト６の構造や中央タブ７と脇タブ３１の取り付け構造等は、実施の形態１０と同様である。中央タブ７の先端から約１ｃｍのところには受構成体１８が取り付けられており、脇タブ３１の先端部分には約１．５ｃｍの幅に亘ってマジックテープ（登録商標）の硬い側３５が取り付けられている。さらに、最も引っ込んだ状態の脇タブ３１の先端から約２．５ｃｍの幅に亘って、下前ベルト部３にマジックテープ（登録商標）の軟らかい側３４が取り付けられている。中央タブ７の移動範囲は約２．５ｃｍなので、マジックテープ（登録商標）３４，３５が接着していない状態においては、脇タブ３１がマジックテープ（登録商標）の軟らかい側３４をほぼ覆い隠してしまう図２３に示される状態から、脇タブ３１がマジックテープ（登録商標）の軟らかい側３４の上から外れる図２４に示される状態まで移動できる。
【０２３４】
したがって、上前ベルト部２の裏側に端から約０．５ｃｍの位置に取り付けられている鉤構成体１９を中央タブ７の先端の受構成体１８に係止することによって、ウエストサイズを約２．５ｃｍの範囲内で連続的に変化させられるフリーサイズ状態となる。一方、脇タブ３１の裏側のマジックテープ（登録商標）の硬い側３５を下前ベルト部３のマジックテープ（登録商標）の軟らかい側３４に接着することによって、ウエストサイズを連続的に変化させられる範囲が狭くなる。脇タブ３１の裏面のマジックテープ（登録商標）３５を下前ベルト部３のマジックテープ（登録商標）３４の中央タブ７からより遠い側に接着するにしたがって、ウエストサイズの変化範囲はより小さくなる。そして、マジックテープ（登録商標）３４，３５を中央タブ７に最も遠い側において接着した場合には、ウエストサイズは最小のサイズに固定される。
【０２３５】
本実施の形態１１においては、結合具として受構成体１８及び鉤構成体１９を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため約２．５ｃｍの範囲内で連続的にウエストサイズを変化させることができるフリーサイズ状態となり、脇タブ３１の裏面のマジックテープ（登録商標）３５を下前ベルト部３のマジックテープ（登録商標）３４の中央タブ７からより遠い側に接着するにしたがって、ウエストサイズの変化範囲はより小さくなる。そして、マジックテープ（登録商標）３４，３５を中央タブ７に最も遠い側において接着した場合には、ウエストサイズは最小のサイズに固定される。
【０２３６】
このようにして、本実施の形態１１のパンツ（ズボン）１においては、結合具としてボタンやドット釦も使用することができるとともに、脇タブ３１の裏面と脇タブ３１の近傍の下前ベルト部３に１対のマジックテープ（登録商標）３４，３５を取り付けることによって、連続的にウエストサイズを変化させることができるフリーサイズ状態とウエストサイズを固定した状態とを容易に切り替えることができ、ウエストサイズの変化範囲も連続的に小刻みに変えることができる。
【０２３７】
実施の形態１２
次に、本発明の実施の形態１２について、図２５を参照して説明する。図２５は本発明の実施の形態１２にかかるウエストサイズ調節機構付衣服の下前及び上前のベルト部付近の表側の構成を示す部分拡大図である。
【０２３８】
図２５に示されるように、本実施の形態１２のパンツ（ズボン）１も、実施の形態１０と同様にして取り付けられた中央タブ７，脇タブ３１及びオーバーベルト６を具備しており、実施の形態１０のボタン３２とボタンホール３３の代わりに、下前ベルト部３に受構成体３７を取り付け、脇タブ３１の裏側に２つの鉤部を有する鉤構成体３６を取り付けている。そして、中央タブ７の先端部分には受構成体１８が取り付けられているので、この受構成体１８に上前ベルト部２の裏側に取り付けられた鉤構成体１９を係止することによって、脇タブ３１の裏側の鉤構成体３６を下前ベルト部３の受構成体３７に係止しない場合には、中央タブ７が移動可能なため約２．５ｃｍの範囲内で連続的にウエストサイズを変化させることができるフリーサイズ状態となる。また、脇タブ３１の裏側の鉤構成体３６の脇タブ３１の先端に近い側の鉤部を下前ベルト部３の受構成体３７に係止した場合には、中央タブ７の移動範囲が狭くなるため、連続的にウエストサイズを変化させることができる範囲も狭くなる。また、脇タブ３１の裏側の鉤構成体３６の脇タブ３１の先端から遠い側の鉤部を下前ベルト部３の受構成体３７に係止した場合には、ウエストサイズは最小のサイズに固定される。
【０２３９】
本実施の形態１２においては、結合具として受構成体１８及び鉤構成体１９を用いた場合について説明したが、代わりに中央タブ７の先端部分に取り付けられたボタンと上前ベルト部２に設けられた穴かがりされたボタンホールを結合具としても良いし、中央タブ７の先端部分に取り付けられた凹側のドット釦と上前ベルト部２に取り付けられた凸側のドット釦を結合具として用いても良い。いずれの場合にも、結合具で中央タブ７の先端部分と上前ベルト部２を結合したのみの状態においては、中央タブ７が移動可能なため約２．５ｃｍの範囲内で連続的にウエストサイズを変化させることができるフリーサイズ状態となり、脇タブ３１の裏面の鉤構成体３６の脇タブ３１の先端に近い側の鉤部を下前ベルト部３の受構成体３７に係止した場合には、中央タブ７の移動範囲が狭くなるため、連続的にウエストサイズを変化させることができる範囲も狭くなる。また、脇タブ３１の裏側の鉤構成体３６の脇タブ３１の先端から遠い側の鉤部を下前ベルト部３の受構成体３７に係止した場合には、ウエストサイズは最小のサイズに固定される。
【０２４０】
このようにして、本実施の形態１２のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、ウエストサイズの変化範囲も２通りに変えることができる。
【０２４１】
実施の形態１３
次に、本発明の実施の形態１３について、図２６を参照して説明する。図２６は本発明の実施の形態１３にかかるウエストサイズ調節機構付衣服を大きいウエストサイズで着用した場合のベルト部付近の表側を示す部分正面図である。
【０２４２】
図２６に示されるように、本実施の形態１３のパンツ（ズボン）１も、実施の形態１０と同様にして取り付けられた中央タブ７，脇タブ３１及びオーバーベルト６を具備しており、実施の形態１０のボタン３２とボタンホール３３の代わりに、下前ベルト部３に２個の凹側のドット釦３９を取り付け、脇タブ３１を貫通して凸側のドット釦３８を取り付けている。本実施の形態１３においても、中央タブ７と上前ベルト２を結合する結合具は、中央タブ７の先端部分に取り付けられた受構成体と上前ベルト部２の裏側に取り付けられた鉤構成体でも良いし、中央タブ７の先端部分に取り付けられたボタンと上前ベルト部２に設けられた穴かがりされたボタンホールでも良いし、中央タブ７の先端部分に取り付けられた凹側のドット釦と上前ベルト部２に取り付けられた凸側のドット釦でも良い。
【０２４３】
いずれの場合にも、結合具で中央タブ７の先端部分と上前ベルト部２を結合したのみの状態においては、中央タブ７が移動可能なため約２．５ｃｍの範囲内で連続的にウエストサイズを変化させることができるフリーサイズ状態となり、脇タブ３１の凸側のドット釦３８を下前ベルト部３のオーバーベルト６に近い側の凹側のドット釦３９に嵌め合わせた場合には、中央タブ７の移動範囲が狭くなるため、連続的にウエストサイズを変化させることができる範囲も狭くなる。また、脇タブ３１の凸側のドット釦３８を下前ベルト部３のオーバーベルトから遠い側の凹側のドット釦３９に嵌め合わせた場合には、ウエストサイズは最小のサイズに固定される。
【０２４４】
このようにして、本実施の形態１３のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、ウエストサイズの変化範囲も２通りに変えることができる。
【０２４５】
なお、図２６に示される凸側のドット釦３８の位置に３つめの凹側のドット釦を下前ベルト部３に取り付けて、嵌め合わせて脇タブ３１を固定するようにしても良い。
【０２４６】
実施の形態１４
次に、本発明の実施の形態１４について、図２７を参照して説明する。図２７（ａ）は本発明の実施の形態１４にかかるウエストサイズ調節機構付衣服を小さいウエストサイズで着用した場合のベルト部付近の表側を示す部分正面図、（ｂ）は下前ベルト部の裏側の構成を上下逆にして示す部分展開図である。
【０２４７】
本実施の形態１４は、図１９乃至図２２に示される実施の形態１０の変形例であり、図１９と同一の部分については同一の符号を付して一部説明を省略する。図２７（ａ）に示されるように、本実施の形態１４のパンツ（ズボン）１は、図１９に示される実施の形態１０のパンツ（ズボン）１と外見上は同じである。即ち、中央タブ７と連動し、オーバーベルト４０の反対側（脇側）の開口部から突出する脇タブ３１を有しており、オーバーベルト４０の反対側の開口部付近には２つのボタン３２が下前ベルト部４２に取り付けられており、脇タブ３１には２つのボタン３２が係止される穴かがりされたボタンホール３３が設けられている。図２７は脇タブ３１のボタンホール３３に２つのボタン３２のうち外側のボタン３２が係止された状態を示しており、脇タブ３１が最も突出して中央タブ７が最も引っ込んでパンツ（ズボン）１のウエストサイズが最小となっている。
【０２４８】
本実施の形態１４が実施の形態１０と異なるのは、図２７（ｂ）に示されるように、下前ベルト部が３枚の生地４０，４１，４２から構成されている点である。即ち、間隔をおいて配置された２枚のベルト生地４１，４２にそれぞれ重なるようにオーバーベルト生地４０を被せて、下前ベルト部の裏側になる部分のみをステッチ４１ａ，４２ａでそれぞれ縫い止める。そして、一点鎖線の部分から折り返して下前身頃５に縫付けることによって、ゴムテープ１０，綿テープ１１及びこれらの中央タブ７と脇タブ３１への縫付け部分を覆い隠すオーバーベルト４０となる。かかる構成によって、下前ベルト部を薄手に仕上げることができるので、厚手の生地からなるパンツ（ズボン）１（Ｇパン、綿パン等）に適したものとなる。
【０２４９】
本実施の形態１４においても、中央タブ７と上前ベルト２を結合する結合具は、中央タブ７の先端部分に取り付けられた受構成体と上前ベルト部２の裏側に取り付けられた鉤構成体でも良いし、中央タブ７の先端部分に取り付けられたボタンと上前ベルト部２に設けられた穴かがりされたボタンホールでも良いし、中央タブ７の先端部分に取り付けられた凹側のドット釦と上前ベルト部２に取り付けられた凸側のドット釦でも良い。
【０２５０】
いずれの場合にも、結合具で中央タブ７の先端部分と上前ベルト部２を結合したのみの状態においては、中央タブ７が移動可能なため約２．５ｃｍの範囲内で連続的にウエストサイズを変化させることができるフリーサイズ状態となり、脇タブ３１のボタンホール３３に下前ベルト部３のオーバーベルト４０に近い側のボタン３２を係止した場合には、中央タブ７の移動範囲が狭くなるため、連続的にウエストサイズを変化させることができる範囲も狭くなる。また、脇タブ３１のボタンホール３３に下前ベルト部３のオーバーベルト４０から遠い側のボタン３２を係止した場合には、ウエストサイズは最小のサイズに固定される。
【０２５１】
このようにして、本実施の形態１４のパンツ（ズボン）１においては、結合具としてボタンやドット釦も使用することができるとともに、連続的にウエストサイズを変化させることができるフリーサイズ状態とウエストサイズを固定した状態とを容易に切り替えることができ、さらに下前ベルト部を薄手に仕上げることができて厚手の生地からなるパンツ（Ｇパン、綿パン等）に最適なものとなる。
【０２５２】
実施の形態１５
次に、本発明の実施の形態１５について、図２８乃至図３１を参照して説明する。図２８は本発明の実施の形態１５にかかるウエストサイズ調節機構付衣服を大きいウエストサイズで着用した場合のベルト部付近の表側を示す部分正面図である。図２９（ａ）は本発明の実施の形態１５にかかるウエストサイズ調節機構付衣服の上前ベルト部の裏側を展開して示した図、（ｂ）は上前ベルト部の内部に中央タブをゴムテープ及び綿テープを介して取り付けた状態を示す図、（ｃ）は上前ベルト布の上前身頃への縫付け方を示す図、（ｄ）は完成したウエストサイズ調節機構付衣服の下前及び上前のベルト部付近の表側の構成を示す部分拡大図である。図３０（ａ）は本発明の実施の形態１５にかかるウエストサイズ調節機構付衣服のステッチをベルト通しで隠した場合のベルト部付近の表側を示す部分正面図、（ｂ）はステッチを皮ラベルで隠した場合のベルト部付近の表側を示す部分正面図である。図３１は本発明の実施の形態１５にかかるウエストサイズ調節機構付衣服の変形例を示す下前及び上前のベルト部付近の表側の構成を示す部分拡大図である。
【０２５３】
図２８に示されるように、本実施の形態１５のパンツ（ズボン）１においては、上前ベルト部２から中央タブ４４が突出している。中央タブ４４には、穴かがりされたボタンホール４６が設けられており、このボタンホール４６に下前ベルト部３に取り付けられたボタン４５が係止されることによって、中央タブ４４が一定範囲内で移動するフリーサイズのウエストサイズとなる。
【０２５４】
次に、このように上前ベルト部２に中央タブ４４を設ける方法について、図２９を参照して説明する。図２９（ａ）に示されるように、まず上前見返し４ｃに設けられたタック４ｄに一方のファスナーテープ４ａを縫付けて、ファスナー移動可能にする。一方のファスナーテープ４ａの上端は、ファスナーテープ４ａの移動方向に傾けたスライディングテープ１３でベルト布２ｂの裏側に縫付ける。続いて、ベルト布２ｂの端とベルト裏地２ｄを地縫いする。そして、図２９（ｂ）に示されるように、ベルト裏地２ｄを折り返してベルト布２ｂよりも１〜２ｍｍ引っ込むようにしてアイロンで押さえる。次に、中央タブ４４の後端に、ゴムテープ４７とそれより約２．５ｃｍ長い綿テープ４８の端を揃えて強固に縫付ける。ゴムテープ４７と綿テープ４８の反対側の端も揃えて、ベルト芯２ｃ及びベルト布２ｂを貫通してステッチ４３で強固に縫付ける。
【０２５５】
続いて、図２９（ｃ）に示されるように、ベルト布２ｂを折り返して上前ベルト部２を形成し、上前ベルト部２の表側（図においては裏側）から落としミシン２ｅをかけてベルト布２ｂを筒状に縫付ける。但し、上前ベルト部２の端から１ｃｍ入ったところからファスナーテープ４ａの脇０．５ｃｍまでは、ファスナーテープ４ａの移動を妨げないように落としミシンをかけないでおく。また、上前ベルト部２の裏側には鉤構成体４９が取り付けられる。一方、図２９（ｄ）に示されるように、下前ベルト部３には、ボタン４５と、ファスナーテープ５ａの延長線上に受構成体５０が縫付けられて取り付けられる。これによって、上前ベルト部２の裏側の鉤構成体４９を受構成体５０に係止した場合にはウエストサイズは最小のサイズに固定され、中央タブ４４のボタンホール４６にボタン４５を係止した場合には、中央タブ４４が移動可能な範囲即ち約２．５ｃｍの範囲内で連続的にウエストサイズを変化させられるフリーサイズの状態となる。また、綿テープ４８は、ゴムテープ４７が伸びる範囲を制限して中央タブ４４が移動しすぎないように制御する伸び止め材としての役割を果たしている。
【０２５６】
図２８，図２９（ｄ）に示されるように、ゴムテープ４７と綿テープ４８を縫付けたステッチ４３は、上前ベルト部２の表側に表れるので、そのままでは見栄えが悪い。そこで、図３０（ａ）に示されるように、ステッチ４３の上にベルト通し５２を取り付けたり、図３０（ｂ）に示されるように、ステッチ４３の上に皮ラベル５３を貼り付けたりすることによって、ステッチ４３を隠してパンツ（ズボン）１の見栄えを良くすることができる。なお、図３０（ａ）に示されるように、ステッチ４３の上にベルト通し５２を取り付けた場合には、下前ベルト部３の対称な位置にも同じベルト通し５２を取り付けてバランスを良くする。
【０２５７】
次に、本実施の形態１５のパンツ（ズボン）１の変形例について、図３１を参照して説明する。この変形例においては、中央タブ４４に穴かがりをしたボタンホールを設ける代わりに、凸側のドット釦５４を貫通させて取り付けている。また、下前ベルト部３には、ボタンの代わりに凹側のドット釦５５を取り付けている。さらに、上前ベルト部２の裏側には鉤構成体４９が取り付けられており、下前ベルト部３のファスナーテープ５ａの延長線上には受構成体５０が取り付けられている。中央タブ４４の取り付け構造等についても、本実施の形態１５のパンツ（ズボン）１と同様である。このような構成のパンツ（ズボン）１において、鉤構成体４９を受構成体５０に係止した場合はウエストサイズは最小のサイズに固定され、中央タブ４４の凸側のドット釦５４を凹側のドット釦５５に嵌め合わせた場合には、中央タブ４４が移動可能な範囲即ち約２．５ｃｍの範囲内で連続的にウエストサイズを変化させられるフリーサイズの状態となる。
【０２５８】
このようにして、本実施の形態１５のパンツ（ズボン）１においては、結合具としてボタンやドット釦も使用することができるとともに、連続的にウエストサイズを変化させることができるフリーサイズ状態とウエストサイズを固定した状態とを容易に切り替えることができる。
【０２５９】
実施の形態１６
次に、本発明の実施の形態１６について、図３２及び図３３を参照して説明する。図３２（ａ）は本発明の実施の形態１６にかかるウエストサイズ調節機構付衣服を大きいウエストサイズで着用した場合のベルト部付近の表側を示す部分正面図、（ｂ）は飾りベルトの取り付け構造を示す拡大図、（ｃ）は下前ベルト部と上前ベルト部とを分離した状態を示す拡大図である。図３３（ａ），（ｂ），（ｃ）は、いずれも本発明の実施の形態１６にかかるウエストサイズ調節機構付衣服の変形例を示す図である。
【０２６０】
図３２（ａ）に示されるように、本実施の形態１６のパンツ（ズボン）１は、１対の飾りベルト５８，５９の先端に取り付けられた互いに係止される１対の金具５６，５７によって、前明１ａが閉じられている。１対の飾りベルト５８，５９は、下前ベルト部３と下前ベルト部上布３Ａとの間の開口部、上前ベルト部２と上前ベルト部上布２Ａとの間の開口部からそれぞれ突出している。図３２（ｂ）に示されるように、１対の飾りベルト５８，５９の後端部にはそれぞれ弾性材としてのゴムテープ６０，６１と図示しない伸び止め材としての綿テープが強固に縫付けられており、ゴムテープ６０，６１と綿テープの端はそれぞれ下前ベルト部３と上前ベルト部２に強固に縫付けられている。そして、図３２（ｃ）に示されるように、下前５のファスナーテープ５ａの延長線上には、間隔を空けて２つの受構成体６２が下前ベルト部３に取り付けられている。また、上前ベルト部２の裏側には鉤構成体６３が取り付けられている。
【０２６１】
これによって、１対の金具５６，５７が係止された状態で鉤構成体６３が２つの受構成体６２のいずれかに係止されるとウエストサイズは固定された状態となり、鉤構成体６３と受構成体６２とを分離すると、ゴムテープ６０，６１が綿テープによって伸びを規制される範囲内においてウエストサイズを連続的に変化させられるフリーサイズの状態となる。
【０２６２】
次に、本実施の形態１６の３つの変形例について、図３３を参照して説明する。図３３（ａ）に示されるように、第１の変形例は、飾りベルト５８の先端にボタン６４を取り付けて、飾りベルト５９の先端に穴かがりされたボタンホール６５を設け、ボタン６４をボタンホール６５に係止することによって１対の飾りベルト５８，５９を結合するものである。１対の飾りベルト５８，５９がゴムテープ及び綿テープによって一定範囲内で伸縮自在となっている点や、下前ベルト部３に２つの受構成体６２が、上前ベルト部の裏側に鉤構成体６３が取り付けられている点については、以下の他の変形例についても同様である。これによって、鉤構成体６３が２つの受構成体６２のいずれかに係止されている場合には、ウエストサイズは固定された状態となり、鉤構成体６３と受構成体６２とを分離すると、ゴムテープが綿テープによって伸びを規制される範囲内においてウエストサイズを連続的に変化させられるフリーサイズの状態となる。
【０２６３】
図３３（ｂ）に示されるように、第２の変形例は、１対の飾りベルト５８，５９を細めにして、飾りベルト５９の先端に２個のＤカン６６を取り付け、飾りベルト５８の先端を２個のＤカン６６に巻き付けて止めることによって、１対の飾りベルト５８，５９を結合している。これによって、鉤構成体６３が２つの受構成体６２のいずれかに係止されている場合には、ウエストサイズは固定された状態となり、鉤構成体６３と受構成体６２とを分離すると、ゴムテープが綿テープによって伸びを規制される範囲内においてウエストサイズを連続的に変化させられるフリーサイズの状態となる。さらに、この第２の変形例においては、飾りベルト５８のどの部分を２個のＤカン６６に巻き付けて止めるかによって、フリーサイズの変化する範囲を変えることができる。
【０２６４】
図３３（ｃ）に示されるように、第３の変形例は、１対の飾りベルト５８，５９を細めにして、飾りベルト５８の先端にピン付きバックル６７を取り付け、飾りベルト５９の数箇所にベルト孔６９を設けて、いずれかのベルト孔６９にピン付きバックル６７のピン６８を挿入することによって、１対の飾りベルト５８，５９を結合している。これによって、鉤構成体６３が２つの受構成体６２のいずれかに係止されている場合には、ウエストサイズは固定された状態となり、鉤構成体６３と受構成体６２とを分離すると、ゴムテープが綿テープによって伸びを規制される範囲内においてウエストサイズを連続的に変化させられるフリーサイズの状態となる。さらに、この第３の変形例においては、飾りベルト５９のどのベルト孔６９にピン６８を挿入して止めるかによって、フリーサイズの変化する範囲を変えることができる。
【０２６５】
このようにして、本実施の形態１６のパンツ（ズボン）１においては、結合具として１対の飾りベルトを使用しているためにデザイン的に優れたものにすることができるとともに、連続的にウエストサイズを変化させることができるフリーサイズ状態とウエストサイズを固定した状態とを容易に切り替えることができ、ウエストサイズを固定した状態を２段階に変化させることができる。
【０２６６】
実施の形態１７
次に、本発明の実施の形態１７について、図３４乃至図３６を参照して説明する。図３４（ａ）は本発明の実施の形態１７にかかるウエストサイズ調節機構付衣服を大きいウエストサイズで着用した場合のベルト部付近の表側を示す部分正面図、（ｂ）は下前ベルト部と上前ベルト部とを分離した状態を示す拡大図、（ｃ）は上前ベルト部の裏側を示す拡大図である。図３５，図３６は、いずれも本発明の実施の形態１７にかかるウエストサイズ調節機構付衣服の変形例を示す図である。
【０２６７】
本実施の形態１７のパンツ（ズボン）１は、図１８に示される実施の形態９のように上前ベルト部２側に持ち出しを付けた場合に、この持ち出し部分が跳ね上がることがないようにしたものである。即ち、図３４（ａ）に示されるように、上前ベルト部２に設けられた持ち出し７０に約２．１ｃｍの長さの穴かがりされたボタンホール７１を設け、下前ベルト部３にボタン７２を取り付けて、このボタン７２をボタンホール７１に係止することによって、上前身頃４と下前身頃５を結合するとともに持ち出し７０が跳ね上がるのを防止するものである。そして、図３４（ｂ），（ｃ）に示されるようにパンツ（ズボン）１の上前ベルト部２の裏側には鉤構成体７４が取り付けられており、下前ベルト部３には約１．８ｃｍの間隔をおいて２つの受構成体７３が取り付けられている。
【０２６８】
２つの受構成体７３のうち上前ベルト部２よりの受構成体７３に鉤構成体７４を係止した場合にはウエストサイズは最大となり、上前ベルト部２から離れた側の受構成体７３に鉤構成体７４を係止した場合にはウエストサイズは最小となる。そして、２つの受構成体７３の間隔は約１．８ｃｍであり、ボタンホール７１の長さは約２．１ｃｍであるため、どちらの受構成体７３に鉤構成体７４を係止した場合でもボタン７２はボタンホール７１の左右に無理なく移動することができる。そして、上前ベルト部２に設けられた持ち出し７０によって２つの受構成体７３が覆い隠されるため、極めて見栄えが良くなる。さらに、持ち出し７０にはボタンホール７１が設けられて下前ベルト部３に取り付けられたボタン７２が係止されるため、持ち出し７０の先端が浮き上るのが防止され、ウエストサイズを容易に調節できるとともに外見上もすっきりとしたデザインとなる。
【０２６９】
なお、本実施の形態１７のパンツ（ズボン）１においても、実施の形態９と同様に一定の範囲内で移動自在な中央タブを設けてその先端にボタン７２を取り付けるようにしても良い。これによって、受構成体７３と鉤構成体７４を分離した場合には連続的にウエストサイズを変化させられるフリーサイズの状態となり、しかも２つの受構成体７３が持ち出し７０によって覆い隠されるため、デザイン的にも優れたものとなる。また、受構成体７３の数は２つに限られず、複数であれば何個であっても良い。
【０２７０】
次に、本実施の形態１７の変形例について、図３５，図３６を参照して説明する。図３５に示されるように、第１の変形例は上前ベルト部２の裏側に鉤構成体７４の代わりに２つの鉤部を有する鉤構成体７５が取り付けられ、下前ベルト部３には１つの受構成体のみが取り付けられたものである。したがって、持ち出し７０に設けられたボタンホール７１に下前ベルト部３に取り付けられたボタン７２を係止し、上前ベルト部２の裏側に取り付けられた鉤構成体７５の２以上の鉤部のいずれかを下前ベルト部３に取り付けられた受構成体７３に係止する。下前ベルト部３に近い側の鉤部を係止した場合には、ウエストサイズは大きくなって、ボタン７２はボタンホール７１の下前側に移動する。下前ベルト部３に遠い側の鉤部を係止した場合には、ウエストサイズは小さくなって、ボタン７２はボタンホール７１の上前側に移動する。
【０２７１】
そして、上前ベルト部２に設けられた持ち出し７０によって受構成体７３が覆い隠されるため、極めて見栄えが良くなる。さらに、持ち出し７０にはボタンホール７１が設けられて下前ベルト部３に取り付けられたボタン７２が係止されるため、持ち出し７０の先端が浮き上るのが防止され、ウエストサイズを容易に調節できるとともに外見上もすっきりとしたデザインとなる。なお、鉤構成体７５の鉤部の数は２つに限られず、２以上であれば幾つであっても良い。
【０２７２】
図３６に示されるように、第２の変形例は、上前ベルト部２の裏側に鉤構成体７４が取り付けられ、下前ベルト部３に２つの受部を有する受構成体７６が取り付けられたものである。したがって、持ち出し７０に設けられたボタンホール７１に下前ベルト部３に取り付けられたボタン７２を係止し、上前ベルト部２の裏側に取り付けられた鉤構成体７４を下前ベルト部３に取り付けられた受構成体７６の２つの受部のいずれかに係止する。上前に近い側の受部に係止した場合には、ウエストサイズは大きくなって、ボタン７２はボタンホール７１の下前側に移動する。上前に遠い側の受部に係止した場合には、ウエストサイズは小さくなって、ボタン７２はボタンホール７１の上前側に移動する。
【０２７３】
そして、上前ベルト部２に設けられた持ち出し７０によって２つの受部を有する受構成体７６が覆い隠されるため、極めて見栄えが良くなる。さらに、持ち出し７０にはボタンホール７１が設けられて下前ベルト部３に取り付けられたボタン７２が係止されるため、持ち出し７０の先端が浮き上るのが防止され、ウエストサイズを容易に調節できるとともに外見上もすっきりとしたデザインとなる。なお、受構成体７６の受部の数は２つに限られず、２以上であれば幾つであっても良い。
【０２７４】
実施の形態１８
次に、本発明の実施の形態１８について、図３７乃至図３９を参照して説明する。図３７（ａ）は本発明の実施の形態１８にかかるウエストサイズ調節機構付衣服を中間のウエストサイズで着用した場合のベルト部付近の表側を示す部分正面図、（ｂ）は下前ベルト部と上前ベルト部とを分離した状態を示す拡大図である。図３８（ａ）は本発明の実施の形態１８の第１の変形例にかかるウエストサイズ調節機構付衣服を中間のウエストサイズで着用した場合のベルト部付近の表側を示す部分正面図、（ｂ）は下前ベルト部と上前ベルト部とを分離した状態を示す拡大図である。図３９（ａ）は本発明の実施の形態１８の第２の変形例にかかるウエストサイズ調節機構付衣服を中間のウエストサイズで着用した場合のベルト部付近の表側を示す部分正面図、（ｂ），（ｃ）は結合具の結合の仕方を示す説明図である。
【０２７５】
図３７（ａ），（ｂ）に示されるように、本実施の形態１８のパンツ（ズボン）１においては、結合具として上前ベルト部２及び下前ベルト部３に直接取り付けられた合成皮革ベルト７７，７８を用いている。合成皮革ベルト７８の先端にはピン付きバックル８０が取り付けられており、一方の合成皮革ベルト７７には３つのベルト孔７９が開けられていて、ピン付きバックル８０のピン８１を３つのベルト孔７９のいずれに挿入するかによって、本実施の形態１８のパンツ１のウエストサイズが調節される。
【０２７６】
このようにして、本実施の形態１８のパンツ（ズボン）１においては、簡単な構成でウエストサイズが調節でき、デザイン的にも優れたものとなる。なお、これとは逆に、ピン付きバックル８０付き合成皮革ベルト７８を上前ベルト部２に取り付けても良い。
【０２７７】
図３８（ａ），（ｂ）に示されるように、本実施の形態１８の第１の変形例のパンツ（ズボン）１においては、下前ベルト部３に直接取り付けられた長さ調節機構付き合成皮革ベルト８２の先端に取り付けられた嵌合バックルの一方８４ｂと、上前ベルト部２に直接取り付けられた合成皮革ベルト８３の先端に取り付けられた嵌合バックルの他方８４ａとが嵌合することによって、上前ベルト部２と下前ベルト部３が結合される。長さ調節機構付き合成皮革ベルト８２は、１本線付きバックル８５に合成皮革ベルト８２を通し、続いて嵌合バックルの一方８４ｂに通してから折り返して１本線付きバックル８５の１本線に合成皮革ベルト８２を通した後に端を縫付けた構成のものである。これによって、嵌合バックル８４を嵌合させた状態で１本線付きバックル８５を左右に移動させることによってウエストサイズを連続的に調節することができる。なお、これとは逆に、長さ調節機構付き合成皮革ベルト８２を上前ベルト部２に取り付けても良い。
【０２７８】
図３９（ａ），（ｂ），（ｃ）に示されるように、本実施の形態１８の第２の変形例のパンツ（ズボン）１においては、上前ベルト部２に直接取り付けられた合成皮革ベルト８６の先端に２個のＤカン８８が取り付けられ、下前ベルト部３に直接取り付けられた合成皮革ベルト８７を２個のＤカン８８を通して巻き付けることによって上前ベルト部２と下前ベルト部３が結合される。そして、２個のＤカン８８に巻き付けられた合成皮革ベルト８７をずらすことによって、パンツ１のウエストサイズを連続的に調節することができる。なお、これとは逆に、２個のＤカン８８付き合成皮革ベルト８６を下前ベルト部３に取り付けても良い。
【０２７９】
実施の形態１９
次に、本発明の実施の形態１９について、図４０乃至図４２を参照して説明する。図４０（ａ）は本発明の実施の形態１９にかかるウエストサイズ調節機構付衣服を中間のウエストサイズで着用した場合のベルト部付近の表側を示す部分正面図、（ｂ）は結合具の結合の仕方を示す説明図である。図４１（ａ）は本発明の実施の形態１９にかかるウエストサイズ調節機構付衣服の第１の変形例を示す図、（ｂ）は第２の変形例を示す図である。図４２は本発明の実施の形態１９にかかるウエストサイズ調節機構付衣服の第３の変形例を示す図である。
【０２８０】
図４０（ａ），（ｂ）に示されるように、本実施の形態１９のパンツ（ズボン）１においては、下前ベルト部３に合成皮革ベルト８９が直接取り付けられ、合成皮革ベルト８９の中間にはマジックテープ（登録商標）の硬い側９０ａが取り付けられ、先端にはマジックテープ（登録商標）の軟らかい側９０ｂが取り付けられている。一方、上前ベルト部２には合成皮革ベルト９１が直接取り付けられ、その先端にはピンなしバックル９２が取り付けられている。このピンなしバックル９２に合成皮革ベルト８９の先端を通して、合成皮革ベルト８９の先端に取り付けられたマジックテープ（登録商標）の軟らかい側９０ｂをマジックテープ（登録商標）の硬い側９０ａに密着させることによって、図４０（ａ）に示されるように、上前ベルト部２と下前ベルト部３が結合される。そして、マジックテープ（登録商標）の軟らかい側９０ｂを硬い側９０ａのどの辺に密着させるかによってパンツ１のウエストサイズを連続的に調節することができる。
【０２８１】
このようにして、本実施の形態１９のパンツ（ズボン）１においては、簡単な構成によって、ウエストサイズを連続的に調節することができる。
【０２８２】
図４１（ａ）に示されるように、本実施の形態１９の第１の変形例のパンツ（ズボン）１においては、下前ベルト部３に合成皮革ベルト８９が直接取り付けられ、合成皮革ベルト８９の中間にはマジックテープ（登録商標）の硬い側９０ａが取り付けられ、先端にはマジックテープ（登録商標）の軟らかい側９０ｂが取り付けられている。同様に、上前ベルト部２に合成皮革ベルト９３が直接取り付けられ、合成皮革ベルト９３の中間にはマジックテープ（登録商標）の硬い側９４ａが取り付けられ、先端にはマジックテープ（登録商標）の軟らかい側９４ｂが取り付けられている。そして、これらの合成皮革ベルト８９，９３を独立したピンなしバックル９５にそれぞれ通して、マジックテープ（登録商標）９０とマジックテープ（登録商標）９４をそれぞれ密着させることによって、図４１（ａ）に示されるように、上前ベルト部２と下前ベルト部３が結合される。
【０２８３】
そして、マジックテープ（登録商標）９０とマジックテープ（登録商標）９４をそれぞれどの辺で密着させるかによってパンツ１のウエストサイズを連続的に調節することができる。この変形例においては、２箇所のマジックテープ（登録商標）９０，９４で調節ができるので、ウエストサイズ調節の幅が大きくなるという利点がある。
【０２８４】
図４１（ｂ）に示されるように、本実施の形態１９の第２の変形例においては、１本線バックル９７の１本線の部分を上前ベルト部２の端部にベルト布９６で取り付けている。その他の部分は第１の変形例と同様であり、１本線バックル９７の１本線の左側に合成皮革ベルト８９を、右側に合成皮革ベルト９３をそれぞれ通してマジックテープ（登録商標）９０とマジックテープ（登録商標）９４をそれぞれ密着させる。これによって、第１の変形例においては独立したピンなしバックル９５を使用しており、両方のマジックテープ（登録商標）を剥がしたときにピンなしバックル９５を紛失してしまう恐れがあったが、この第２の変形例においては、１本線バックル９７を上前ベルト部２の端部にベルト布９６で取り付けているため、紛失の恐れはない。但し、合成皮革ベルト９３については、１本線バックル９７が上前ベルト部２に固定されているため、ウエストサイズ調節の効果はなく、左右対称とするための飾りベルトとなる。
【０２８５】
図４２に示されるように、本実施の形態１９の第３の変形例においては、バックル等を用いず、上前ベルト部２に直接取り付けられ先端の表側にマジックテープ（登録商標）の硬い側が取り付けられた合成皮革ベルト９８と、下前ベルト部３に直接取り付けられ先端の裏側にマジックテープ（登録商標）の軟らかい側が取り付けられた合成皮革ベルト９９とを結合具として用いている。そして、両方の合成皮革ベルト９８，９９の先端のマジックテープ（登録商標）１００を密着させることによって、上前ベルト部２と下前ベルト部３が結合される。ここで、マジックテープ（登録商標）１００の硬い側と軟らかい側とをどのぐらい重ね合せるかによって、パンツ１のウエストサイズを連続的に調節することができる。このようにして、極めて簡単な構成によってパンツ１のウエストサイズを連続的に調節することができる。
【０２８６】
なお、これとは逆に、先端の表側にマジックテープ（登録商標）の硬い側が取り付けられた合成皮革ベルト９８を下前ベルト部３に直接取り付け、先端の裏側にマジックテープ（登録商標）の軟らかい側が取り付けられた合成皮革ベルト９９を上前ベルト部２に直接取り付けても良い。また、合成皮革ベルト９８の先端の裏側にマジックテープ（登録商標）の硬い側を取り付け、合成皮革ベルト９９の先端の表側にマジックテープ（登録商標）の軟らかい側を取り付けても良い。
【０２８７】
実施の形態２０
次に、本発明の実施の形態２０について、図４３乃至図４５を参照して説明する。図４３は本発明の実施の形態２０にかかるウエストサイズ調節機構付衣服を着用した場合のベルト部付近の表側を示す部分正面図である。図４４は本発明の実施の形態２０にかかるウエストサイズ調節機構付衣服の第１の変形例を示す図である。図４５は本発明の実施の形態２０にかかるウエストサイズ調節機構付衣服の第２の変形例を示す図である。
【０２８８】
図４３に示されるように、本実施の形態２０のパンツ（ズボン）１においては、上前ベルト部２に直接取り付けられたベルト布１０１の中間に図示しない凹側のドット釦を取り付け、先端に２個の凸側のドット釦１０３を取り付けている。また、下前ベルト部３に直接取り付けられたベルト布１０２の中間に図示しない凹側のドット釦を取り付け、先端に２個の凸側のドット釦１０４を取り付けている。そして、独立したピンなしバックル１０５にベルト布１０１，１０２をそれぞれ通して、先端の２個の凸側のドット釦１０３，１０４のいずれかをそれぞれベルト布１０１，１０２の中間の凹側のドット釦に嵌め込む。外側の凸側のドット釦１０３，１０４を嵌め込んだ場合にはウエストサイズは大きくなり、内側の凸側のドット釦１０３，１０４を嵌め込んだ場合にはウエストサイズは小さくなる。
【０２８９】
このようにして、本実施の形態２０のパンツ（ズボン）１においては、簡単な構成でウエストサイズを調節することができ、またデザイン的にも優れたものとなる。なお、凹凸のドット釦の代わりに、ベルト布１０１，１０２の先端にボタンホールを設けてベルト布１０１，１０２の中間に複数のボタンを取り付けることによってウエストサイズを調節できるようにしても良い。また、凸側のドット釦の数は２つに限られず、３つ以上でも良い。
【０２９０】
図４４に示されるように、本実施の形態２０の第１の変形例のパンツ（ズボン）１においては、上前ベルト部２に直接取り付けられたベルト布１０６と下前ベルト部３に直接取り付けられたベルト布１０７を前中心で結ぶことによって、上前ベルト部２と下前ベルト部３を結合している。結び目をどこに作るかによって、パンツ１のウエストサイズを連続的に調節することができ、またデザイン的にも優れたものとなる。ベルト布１０６，１０７としては、共布ベルト布、共布リボン布、合成皮革ベルト布、その他の素材からなるベルト布を用いることができる。
【０２９１】
図４５に示されるように、本実施の形態２０の第２の変形例のパンツ（ズボン）１においては、ベルトアジャスターを結合具として用いている。ベルトアジャスターは、レール１１０とそのレール１１０に嵌合しながら移動するスライダー１０９とからなり、図４５（ｂ）の平面図に示されるようにレール１１０はステッチ１１０ａによって下前ベルト部３に縫付けられる。図４５（ｃ）の側面図に示されるようにレール１１０には幾つもの階段状の突起があり、スライダー１０９は裏側の図示しない４つの爪でこれらの突起に噛み合いながらカチカチと移動する。スライダー１０９を移動させるときには上下に動く止め具１０９ａを下に押さえて、図示しない４つの爪をレール１１０から開放して移動させ、止め具１０９ａを離すとその地点で図示しない４つの爪がレール１１０に噛み合って動かなくなる。このスライダー１０９が、止め布１０８を介して上前ベルト部２に取り付けられている。
【０２９２】
かかる構成によって、止め具１０９ａを押しながらスライダー１０９を左右に移動させることによって、パンツ１のウエストサイズを連続的に調節することができる。
【０２９３】
実施の形態２１
次に、本発明の実施の形態２１について、図４６乃至図４８を参照して説明する。図４６（ａ）は本発明の実施の形態２１にかかるウエストサイズ調節機構付衣服を着用した場合のベルト部付近の表側を示す部分正面図、（ｂ）は部分拡大図である。図４７（ａ）は本発明の実施の形態２１にかかるウエストサイズ調節機構付衣服の第１の変形例を示す図、（ｂ）は接続部分の拡大図である。図４８（ａ）は本発明の実施の形態２１にかかるウエストサイズ調節機構付衣服の第２の変形例を示す図、（ｂ）は接続部分の拡大図である。
【０２９４】
図４６（ａ），（ｂ）に示されるように、本実施の形態２１のパンツ（ズボン）１においては、下前ベルト部３に共布ベルト１１１Ａを取り付け、上前ベルト部２に共布ベルト１１１Ｂを取り付けて、それぞれの共布ベルト１１１Ａ，１１１Ｂの先端に取り付けられた紐１１２Ａ，１１２Ｂを結び合わせることによって、上前ベルト部２と下前ベルト部３を結合している。紐１１２Ａ，１１２Ｂの材質としては、合成皮革、共布、スピンドル等を用いることができ、結び目をどこに作るかによってパンツ１のウエストサイズを連続的に調節することができる。
【０２９５】
このようにして、本実施の形態２１のパンツ（ズボン）１においては、簡単な構成でウエストサイズを連続的に調節することができるとともに、左右対称でデザイン的にも優れたものとなる。
【０２９６】
図４７（ａ），（ｂ）に示されるように、本実施の形態２１の第１の変形例のパンツ（ズボン）１においては、下前ベルト部３にサッシュベルト１１３Ａを直接取り付け、上前ベルト部２にサッシュベルト１１３Ｂを直接取り付けて、サッシュベルト１１３Ｂの先端に２個のＤカン１１４を取り付けている。そして、図４７（ｂ）に示されるように、サッシュベルト１１３Ａを２個のＤカン１１４に通して巻き付けることによって、上前ベルト部２と下前ベルト部３を結合している。サッシュベルト１１３Ａ，１１３Ｂの素材としては、共布、合成皮革等を用いることができ、サッシュベルト１１３Ａを２個のＤカン１１４に対してずらすことによってパンツ１のウエストサイズを連続的に調節することができる。
【０２９７】
図４８（ａ），（ｂ）に示されるように、本実施の形態２１の第２の変形例のパンツ（ズボン）１においては、下前ベルト部３にベルト布１１５Ａが取り付けられ、ベルト布１１５Ａの先端には金属棒１１６Ａが取り付けられている。金属棒１１６Ａの上下端には鎖１１８が固定されており、鎖１１８の先端にはナスカン１１８ａが取り付けられている。一方、上前ベルト部２にはベルト布１１５Ｂが取り付けられ、ベルト布１１５Ｂの先端には金属棒１１６Ｂが取り付けられている。金属棒１１６Ｂの上下端には鎖１１７が固定されており、鎖１１７の先端には飾り金具１１７ａが取り付けられている。そして、ナスカン１１８Ａを鎖１１７のどこに係止するかによって、パンツ１のウエストサイズを連続的に調節することができる。
【０２９８】
実施の形態２２
次に、本発明の実施の形態２２について、図４９及び図５０を参照して説明する。図４９（ａ）は本発明の実施の形態２２にかかるウエストサイズ調節機構付衣服を小さいウエストサイズで着用した場合のベルト部付近の表側を示す部分正面図、（ｂ）は結合部分を示す部分拡大図である。図５０（ａ）は本発明の実施の形態２２にかかるウエストサイズ調節機構付衣服の変形例を示す図、（ｂ）は結合部分を示す部分拡大図である。
【０２９９】
図４９（ａ），（ｂ）に示されるように、本実施の形態２２のパンツ（ズボン）１においては、上前ベルト部２に穴かがりされたボタンホール１１９を設け、下前ベルト部３に間隔を空けて２個のボタン１２０を取り付けている。２個のボタン１２０は、前中心５ａの延長線の左右に分かれて取り付けられており、２個のボタン１２０の中心の間隔は約２．５ｃｍ〜約３．０ｃｍである。これらの２個のボタン１２０のうち上前ベルト部２に近い側のボタン１２０をボタンホール１１９に係止した場合にはパンツ１のウエストサイズは大きくなり、上前ベルト部２に遠い側のボタン１２０をボタンホール１１９に係止した場合にはパンツ１のウエストサイズは小さくなる。このようにして、本実施の形態２２のパンツ（ズボン）１においては、簡単な構成でウエストサイズを約２．５ｃｍ〜約３．０ｃｍの範囲内で調節することができる。
【０３００】
なお、上前ベルト部２の内部には、下前ファスナーテープ５ａと噛み合う上前ファスナーテープを移動自在に支持するスライディングテープ及びゴムテープが取り付けられているが、ボタンホール１１９を貫通させることによってスライディングテープが切り欠かれ、ボタンホール１１９の穴かがりによってスライディングテープが縫付けられたとしても、上前ファスナーテープは伸縮自在なゴムテープによっても支持されているため、上前ファスナーテープの移動が妨げられることはない。
【０３０１】
図５０（ａ），（ｂ）に示されるように、本実施の形態２２の変形例のパンツ（ズボン）１においては、上前ベルト部２に凸側のドット釦１２１を貫通させて取り付け、下前ベルト部３に間隔を空けて２個の凹側のドット釦１２２を取り付けている。２個の凹側のドット釦１２２は、前中心５ａの延長線の左右に分かれて取り付けられており、２個の凹側のドット釦１２２の中心の間隔は約２．５ｃｍ〜約３．０ｃｍである。これらの２個の凹側のドット釦１２２のうち上前ベルト部２に近い側の凹側のドット釦１２２に凸側のドット釦１２１を嵌合させた場合にはパンツ１のウエストサイズは大きくなり、上前ベルト部２に遠い側の凹側のドット釦１２２に凸側のドット釦１２１を嵌合させた場合にはパンツ１のウエストサイズは小さくなる。このようにして、本実施の形態２２の変形例のパンツ（ズボン）１においては、簡単な構成でウエストサイズを約２．５ｃｍ〜約３．０ｃｍの範囲内で調節することができる。
【０３０２】
なお、上前ベルト部２の内部には、下前ファスナーテープ５ａと噛み合う上前ファスナーテープを移動自在に支持するスライディングテープ及びゴムテープが取り付けられているが、凸側のドット釦１２１を貫通させることによってスライディングテープが切り欠かれたとしても、上前ファスナーテープは伸縮自在なゴムテープによっても支持されているため、上前ファスナーテープの移動が妨げられることはない。
【０３０３】
上記各実施の形態においては、それぞれウエストサイズを最小から最大まで約３．０ｃｍ大きくすることができるが、もっと大きくしたいと要求された場合には、補助的なものとして脇中心前後、または後脇側左右及び後中心に約１．５ｃｍ〜２．０ｃｍのシャーリングを入れることによって、全体で約７．０ｃｍ大きくすることができる。現在市場に出ている婦人物に関してはシャーリングが３〜４ｃｍあるため、横方向にミシンステッチで始末してある。これに対して、上記各実施の形態においては、各シャーリングが２ｃｍ程度で済むためミシン目もなく、目立たずなじんで伸びるので見栄えも良く、全体に大きくなるため特にＢ体、ＢＢ体の人には好適である。
【０３０４】
上記各実施の形態においては、本発明のウエストサイズ調節機構付衣服を主に婦人用パンツに適用した場合について説明したが、本発明のウエストサイズ調節機構付衣服は衣服全般について適用できるものであり、紳士用ズボン、Ｇパン、子供服、さらにはスカート、ワンピース等にも適用することができ、種々の衣服のウエストサイズ調節に用いることができるものである。
【０３０５】
また、上記各実施の形態においては、パンツの前明を左前とした場合について説明したが、パンツの前明を右前とすることもできる。この場合には、上記各実施の形態の結合具の配置は左右逆になる。
【０３０６】
さらに、上記各実施の形態においては、タックをパンツの上前に設けて上前のファスナーテープを移動自在とした場合について説明したが、タックをパンツの下前に設けて下前のファスナーテープを移動自在とすることもできる。
【０３０７】
ウエストサイズ調節機構付衣服のその他の部分の構造、形状、数量、材質、大きさ、接続関係等についても、上記各実施の形態に限定されるものではない。
【０３０８】
【発明の効果】
以上説明したように、請求項１の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他のファスナーテープが縫付けられたファスナーと、前記衣服の下前のベルト部に取り付けられた弾性材と、前記衣服の下前のベルト部に前記弾性材を介してベルト方向に移動可能に取り付けられた所定長さの中央タブと、前記中央タブの一部と前記弾性材とを前記衣服の下前のベルト部に被さることによって覆うオーバーベルトとを具備するものであって、前記一方のファスナーテープの上端はスライディングテープ及びゴムテープによって前記衣服の上前の上端に縫付けられ、前記スライディングテープの下端は前記一方のファスナーテープの上端に縫付けられ、前記スライディングテープの上端は前記衣服の上前のベルト部に縫付けられて、前記スライディングテープは前記衣服の前中心方向に傾斜した状態で縫付けられており、前記結合具は、前記中央タブの先端部分と、前記中央タブが伸びていない状態における先端から一定長さ離れた位置の前記衣服の下前のベルト部とに取り付けられた各１個のボタンと、前記衣服の上前のベルト部の前記スライディングテープと前記ゴムテープとの間に設けられた穴かがりされたボタンホールとからなることを特徴とするものである。
【０３０９】
これによって、着用する人の腰周り寸法に合わせて衣服のウエストベルトの寸法を結合具及びタックの折り重なり部分により調節することができる。ここで、結合具は、衣服の下前のベルト部に弾性材を介して移動可能に取り付けられた所定長さの中央タブの先端と、中央タブが伸びていない状態における先端から一定長さ離れた位置のベルト部とに取り付けられた各１個のボタンと、衣服の上前のベルト部に設けられた穴かがりされたボタンホールとからなる。したがって、中央タブの先端に取り付けられたボタンをボタンホールに係止した場合には、中央タブが取り付けられた弾性材の伸縮可能な範囲内で連続的にウエストサイズを変化させることができる（フリーサイズ）。また、ベルト部に取り付けられたボタンをボタンホールに係止した場合には、ウエストサイズは一定のサイズに固定される。さらに、中央タブの一部と弾性材とはベルト部に被さるオーバーベルトによって覆われているため、見栄えも良く斬新なデザインとなる。
【０３１０】
このボタンホールは、一方のファスナーテープの上端を支持しているスライディングテープが取り付けられている上前のベルト部に設けられているが、ボタンホールがスライディングテープの一部を打ち抜いて穴かがりによってスライディングテープが共に縫付けられたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部にボタンホールを設けて穴かがりをしても一方のファスナーテープの移動を妨げることがない。
【０３１１】
このようにして、結合具としてボタンも使用することができるとともに、連続的にウエストサイズを変化させることができるフリーサイズ状態とウエストサイズを固定した状態とを容易に切り替えることができるウエストサイズ調節機構付衣服となる。
【０３１２】
請求項２の発明にかかるウエストサイズ調節機構付衣服は、請求項１の構成において、前記下前のベルト部の構成は、前記下前のベルト部が２枚のベルト生地を少しだけ重ねて前記下前のベルト部の裏側部分のみを縫付けて前記中央タブの一部と前記弾性材とを覆うように折り返されて縫付けられたものであって、前記中央タブの先端部分は縫付けられていない前記下前のベルト部の表側部分から突出しているものである。
【０３１３】
かかる構成によって、着用する人の腰周り寸法に合わせて衣服のウエストベルトの寸法を結合具及びタックの折り重なり部分により調節することができる。ここで、結合具は、衣服の下前のベルト部に弾性材を介して移動可能に取り付けられた所定長さの中央タブの先端と、中央タブが伸びていない状態における先端から一定長さ離れた位置のベルト部とに取り付けられた各１個のボタンと、衣服の上前のベルト部に設けられた穴かがりされたボタンホールとからなる。
【０３１４】
したがって、中央タブの先端に取り付けられたボタンをボタンホールに係止した場合には、中央タブが取り付けられた弾性材の伸縮可能な範囲内で連続的にウエストサイズを変化させることができる（フリーサイズ）。また、ベルト部に取り付けられたボタンをボタンホールに係止した場合には、ウエストサイズは一定のサイズに固定される。さらに、中央タブの一部と弾性材とは２枚のベルト生地を少しだけ重ねて構成されたベルト部によって覆われているため、見栄えも良く斬新なデザインとなる。
【０３１５】
ここでボタンホールは、一方のファスナーテープの上端を支持しているスライディングテープが取り付けられている上前のベルト部に設けられているが、ボタンホールがスライディングテープの一部を打ち抜いて穴かがりによってスライディングテープが共に縫付けられたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部にボタンホールを設けて穴かがりをしても一方のファスナーテープの移動を妨げることがない。
【０３１６】
このようにして、結合具としてボタンも使用することができるとともに、連続的にウエストサイズを変化させることができるフリーサイズ状態とウエストサイズを固定した状態とを容易に切り替えることができ、さらにベルト部を薄手に仕上げることができて厚手の生地からなる衣服にも適したウエストサイズ調節機構付衣服となる。
【０３１７】
請求項３の発明にかかるウエストサイズ調節機構付衣服は、請求項２の構成において、前記衣服の下前のベルト部に前記弾性材を介して前記中央タブを取り付けた際のステッチを隠すために、前記ステッチの上にベルト通し、皮ラベル、布ネーム、ワッペンのいずれかを取り付けたものである。
【０３１８】
請求項２の構成においては、２枚のベルト生地を少しだけ重ねて構成された下前のベルト部によって中央タブの一部と弾性材とが覆われており、このステッチの上にベルト通し、皮ラベル、布ネーム、ワッペンのいずれかを取り付けることによって、請求項２に記載の効果に加えて、ステッチが隠れて見栄えが良くなる。
【０３１９】
このようにして、結合具としてボタンも使用することができるとともに、連続的にウエストサイズを変化させることができるフリーサイズ状態とウエストサイズを固定した状態とを容易に切り替えることができ、かつ見栄えも良いウエストサイズ調節機構付衣服となる。
【０３２０】
請求項４の発明にかかるウエストサイズ調節機構付衣服は、請求項１乃至請求項３のいずれか１つの構成において、前記結合具は、前記中央タブの先端部分と、前記中央タブが伸びていない状態における先端から一定長さ離れた位置の前記衣服の下前のベルト部とに取り付けられた各１個の凹側のドット釦と、前記衣服の上前のベルト部に取り付けられた凸側のドット釦とからなることを特徴とするものである。
【０３２１】
したがって、請求項１乃至請求項３のいずれか１つに記載の効果に加えて、衣服の上前のベルト部に取り付けられた凸側のドット釦を中央タブの先端部分に取り付けた凹側のドット釦に嵌めた場合には、中央タブが取り付けられた弾性材の伸縮可能な範囲内で連続的にウエストサイズを変化させることができる（フリーサイズ）。また、凸側のドット釦を下前のベルト部に取り付けられた凹側のドット釦に嵌めた場合には、ウエストサイズは一定のサイズに固定される。
【０３２２】
この凸側のドット釦は、一方のファスナーテープの上端を支持しているスライディングテープが取り付けられている上前のベルト部に取り付けられているが、凸側のドット釦が上前のベルト部を貫通して取り付けられている場合、スライディングテープの一部を打ち抜いてスライディングテープが凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、衣服の上前のベルト部を貫通して凸側のドット釦が取り付けられている場合でも一方のファスナーテープの移動を妨げることがない。これに対して、凸側のドット釦が上前のベルト部の裏側に取り付けられている場合には、一方のファスナーテープの移動を妨げる心配はない。
【０３２３】
このようにして、結合具としてドット釦も使用することができるとともに、連続的にウエストサイズを変化させることができるフリーサイズ状態とウエストサイズを固定した状態とを容易に切り替えることができるウエストサイズ調節機構付衣服となる。
【０３２４】
請求項５の発明にかかるウエストサイズ調節機構付衣服は、請求項１乃至請求項３のいずれか１つの構成において、前記結合具は、前記中央タブの先端部分と、前記中央タブが伸びていない状態における先端から一定長さ離れた位置の前記衣服の下前のベルト部とに取り付けられた各１個の受構成体と、前記衣服の上前のベルト部の裏側に取り付けられた鉤構成体とからなるものである。
【０３２５】
したがって、請求項１乃至請求項３のいずれか１つに記載の効果に加えて、上前のベルト部の裏側に取り付けられた鉤構成体を中央タブの先端部分に取り付けられた受構成体に係止した場合には、中央タブが取り付けられた弾性材の伸縮可能な範囲内で連続的にウエストサイズを変化させることができる（フリーサイズ）。また、鉤構成体を下前のベルト部に取り付けられた受構成体に係止した場合には、ウエストサイズは一定のサイズに固定される。
【０３２６】
このようにして、連続的にウエストサイズを変化させることができるフリーサイズ状態とウエストサイズを固定した状態とを容易に切り替えることができるウエストサイズ調節機構付衣服となる。
【０３２７】
請求項６の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に取り付けられた鉤構成体とからなり、前記中央タブの裏側に凸側のドット釦が取り付けられ、前記衣服の下前のベルト部に凹側のドット釦が取り付けられているものである。
【０３２８】
したがって、請求項１乃至請求項３のいずれか１つに記載の効果に加えて、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブの裏側の凸側のドット釦を下前のベルト部の凹側のドット釦に嵌めることによって、中央タブが固定されて、ウエストサイズは一定のサイズに固定される。
【０３２９】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【０３３０】
このようにして、結合具としてボタンやドット釦も使用することができるとともに、連続的にウエストサイズを変化させることができるフリーサイズ状態とウエストサイズを固定した状態とを容易に切り替えることができるウエストサイズ調節機構付衣服となる。
【０３３１】
請求項７の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と、前記衣服の上前のベルト部の裏側に設けられた鉤構成体とからなり、前記衣服の下前のベルト部に２つの受部を有する受構成体が取り付けられ、前記衣服の上前のベルト部の裏側に２つの鉤部を有する鉤構成体が取り付けられているものである。
【０３３２】
したがって、請求項１乃至請求項３のいずれか１つに記載の効果に加えて、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、上前のベルト部の裏側の２つの鉤部を有する鉤構成体を下前のベルト部の２つの受部を有する受構成体に係止することによって、ウエストサイズは一定のサイズに固定される。ここで、２つの鉤部を有する鉤構成体と２つの受部を有する受構成体によって、４通りのサイズの固定位置が可能となる。
【０３３３】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【０３３４】
このようにして、結合具としてボタンやドット釦も使用することができるとともに、連続的にウエストサイズを変化させることができるフリーサイズ状態とウエストサイズを固定した状態とを容易に切り替えることができ、固定したウエストサイズを４通りのサイズの中から選択できるウエストサイズ調節機構付衣服となる。
【０３３５】
請求項８の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と、前記衣服の上前のベルト部の裏側に設けられた鉤構成体とからなり、前記衣服の下前のベルト部にマジックテープ（登録商標）の硬い側または軟らかい側が取り付けられ、前記中央タブの裏側にマジックテープ（登録商標）の軟らかい側または硬い側が取り付けられているものである。
【０３３６】
したがって、請求項１乃至請求項３のいずれか１つに記載の効果に加えて、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブの裏側のマジックテープ（登録商標）の軟らかい側または硬い側を下前のベルト部のマジックテープ（登録商標）の硬い側または軟らかい側に接着することによって、ウエストサイズは一定のサイズに固定される。ここで、両方のマジックテープ（登録商標）の幅の分だけ固定するウエストサイズを連続的に小刻みに変化させることができる。
【０３３７】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【０３３８】
このようにして、結合具としてボタンやドット釦も使用することができるとともに、連続的にウエストサイズを変化させることができるフリーサイズ状態とウエストサイズを固定した状態とを容易に切り替えることができ、固定するウエストサイズに幅を持たせることができるウエストサイズ調節機構付衣服となる。
【０３３９】
請求項９の発明にかかるウエストサイズ調節機構付衣服は、請求項１乃至請求項８のいずれか１つの構成において、前記オーバーベルトまたは前記下前のベルト部の表側部分から突出している前記中央タブの先端部分と同一形状の飾りタブを前記衣服の上前のベルト部に左右対称になるように設けたものである。
【０３４０】
請求項１乃至請求項８の構成においては、下前のベルト部に弾性材を介して取り付けられた中央タブの先端にボタンまたは凹側のドット釦または受構成体を取り付けて、上前のベルト部の対応する結合具と結合させることによって、連続的にウエストサイズを変化させることができる。しかし、衣服の下前だけにオーバーベルトまたは下前のベルト部の表側部分から中央タブの先端が突出しているのは、デザイン上バランスが悪い。そこで、上前のベルト部にも左右対称になる位置に中央タブの先端部分と同一形状の飾りタブを設けることによって、請求項１乃至請求項８のいずれか１つに記載の効果に加えて、バランスがとれてデザイン的にも優れたものとなる。
【０３４１】
このようにして、結合具としてボタンやドット釦も使用することができるとともに、連続的にウエストサイズを変化させることができるフリーサイズ状態とウエストサイズを固定した状態とを容易に切り替えることができ、デザイン的にもバランスがとれて優れたものとなるウエストサイズ調節機構付衣服となる。
【０３４２】
請求項１０の発明にかかるウエストサイズ調節機構付衣服は、請求項１乃至請求項３のいずれか１つの構成において、前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に１個と前記衣服の下前のベルト部に複数個取り付けられた受構成体と前記衣服の上前のベルト部の裏側に設けられた鉤構成体とからなり、前記衣服の上前のベルト部には前記衣服の下前のベルト部側に伸びた持ち出しが設けられているものである。
【０３４３】
したがって、中央タブに取り付けられたボタンを上前のベルト部のボタンホールに係止するか、中央タブに取り付けられた凹側のドット釦に上前のベルト部の凸側のドット釦を嵌め合わせるか、上前のベルト部の裏側の鉤構成体を中央タブの先端部分の受構成体に係止することによって、中央タブが取り付けられた弾性材の伸縮可能な範囲内で連続的にウエストサイズを変化させることができる（フリーサイズ）。一方、下前のベルト部に複数個取り付けられた受構成体のいずれかに鉤構成体を係止することによって、ウエストサイズは複数通りの一定のサイズに固定される。しかし、上前に近い側の受構成体に鉤構成体を係止した場合には、上前から遠い側の受構成体と中央タブの先端部分の受構成体が見えてしまって見苦しい。また、人によってはフリーサイズのときに伸びた中央タブが見えるのを嫌う場合もある。そこで、上前のベルト部に下前のベルト部側に伸びた持ち出しを設けることによって、請求項１乃至請求項３のいずれか１つに記載の効果に加えて、これらの受構成体や伸びた中央タブを覆い隠して外見上も美しくすっきり見せることができる。
【０３４４】
このようにして、連続的にウエストサイズを変化させることができるフリーサイズ状態とウエストサイズを固定した状態とを容易に切り替えることができるとともに、下前に取り付けられた受構成体や伸びた中央タブを覆い隠して外見上も美しくすっきり見せることができるウエストサイズ調節機構付衣服となる。
【０３４５】
請求項１１の発明にかかるウエストサイズ調節機構付衣服は、請求項１乃至請求項１０のいずれか１つの構成において、前記弾性材には、その最大伸びを制限する伸び止め材を並設したものである。
【０３４６】
したがって、請求項１乃至請求項１０のいずれか１つに記載の効果に加えて、タックの折り重なり部分が引き延ばされる長さ以上にウエストサイズが大きくならないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【０３４７】
このようにして、連続的にウエストサイズを変化させることができるフリーサイズ状態とウエストサイズを固定した状態とを容易に切り替えることができるとともに、ウエスト周りの見栄えが損なわれることがなく弾性材の寿命を長くすることができるウエストサイズ調節機構付衣服となる。
【０３４８】
請求項１２の発明にかかるウエストサイズ調節機構付衣服は、請求項１の構成において、更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、前記伸び止め材は、前記弾性材に並設されてその最大伸びを制限するものであり、前記オーバーベルトは前記ベルト部に被さることによって前記脇タブの一部をも覆うものであり、前記脇タブには穴かがりされたボタンホールが設けられ、前記脇タブの近傍の前記下前のベルト部にはベルト方向に沿って複数のボタンが取り付けられているものである。
【０３４９】
これによって、着用する人の腰周り寸法に合わせて衣服のウエストベルトの寸法を結合具及びタックの折り重なり部分により調節することができる。ここで、結合具は、中央タブの先端部分に取り付けられたボタンと上前のベルト部に設けられた穴かがりされたボタンホール、または中央タブの先端部分に取り付けられた凹側のドット釦と上前のベルト部に取り付けられた凸側のドット釦、または中央タブの先端部分に取り付けられた受構成体と上前のベルト部の裏側に設けられた鉤構成体とからなる。
【０３５０】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。そして、中央タブと一体に移動する脇タブには穴かがりされたボタンホールが設けられ、脇タブの近傍の下前のベルト部にはベルト方向に沿って複数のボタンが取り付けられているので、中央タブに近い側のボタンを脇タブのボタンホールに係止した場合にはウエストサイズの変化範囲は大きく、中央タブに遠い側のボタンを脇タブのボタンホールに係止した場合にはウエストサイズの変化範囲は小さくなる。そして、中央タブに最も遠い側のボタンを脇タブのボタンホールに係止した場合には、ウエストサイズは固定される。
【０３５１】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【０３５２】
このようにして、結合具としてボタンやドット釦も使用することができるとともに、連続的にウエストサイズを変化させることができるフリーサイズ状態とウエストサイズを固定した状態とを容易に切り替えることができるウエストサイズ調節機構付衣服となる。
【０３５３】
請求項１３の発明にかかるウエストサイズ調節機構付衣服は、請求項１の構成において、更に、前記中央タブの反対側に伸び止め材を介して前記衣服の下前のベルト部に取り付けられ、前記中央タブと一体に移動可能な所定長さの脇タブを具備するものであって、
前記結合具は、前記中央タブの先端部分に取り付けられたボタンと前記衣服の上前のベルト部に設けられた穴かがりされたボタンホール、または前記中央タブの先端部分に取り付けられた凹側のドット釦と前記衣服の上前のベルト部に取り付けられた凸側のドット釦、または前記中央タブの先端部分に取り付けられた受構成体と前記衣服の上前のベルト部の裏側に設けられた鉤構成体とからなり、前記伸び止め材は、前記弾性材に並設されてその最大伸びを制限するものであり、前記脇タブには穴かがりされたボタンホールが設けられ、前記脇タブの近傍の前記下前のベルト部にはベルト方向に沿って複数のボタンが取り付けられており、前記下前のベルト部の構成は、前記下前のベルト部が２枚のベルト生地を間隔を置いて配置した上からもう１枚のベルト生地を前記２枚のベルト生地に重ねて前記下前のベルト部の裏側部分のみを縫付けて前記中央タブの一部と前記脇タブの一部と前記弾性材とを覆うように折り返されて縫付けられたものであって、前記中央タブ及び前記脇タブの先端部分は縫付けられていない前記下前のベルト部の表側部分から突出しているものである。
【０３５４】
これによって、着用する人の腰周り寸法に合わせて衣服のウエストベルトの寸法を結合具及びタックの折り重なり部分により調節することができる。ここで、結合具は、中央タブの先端部分に取り付けられたボタンと上前のベルト部に設けられた穴かがりされたボタンホール、または中央タブの先端部分に取り付けられた凹側のドット釦と上前のベルト部に取り付けられた凸側のドット釦、または中央タブの先端部分に取り付けられた受構成体と上前のベルト部の裏側に設けられた鉤構成体とからなる。
【０３５５】
したがって、中央タブの先端部分に取り付けられたボタンを上前のベルト部に設けられた穴かがりされたボタンホールに係止するか、上前のベルト部に取り付けられた凸側のドット釦を中央タブの先端部分に取り付けられた凹側のドット釦に嵌めるか、上前のベルト部の裏側に取り付けられた鉤構成体を中央タブの先端部分に取り付けられた受構成体に係止することによって、中央タブが取り付けられた弾性材の伸縮可能な範囲内で連続的にウエストサイズを変化させることができる（フリーサイズ）。
【０３５６】
そして、中央タブと一体に移動する脇タブには穴かがりされたボタンホールが設けられ、脇タブの近傍の下前のベルト部にはベルト方向に沿って複数のボタンが取り付けられているので、中央タブに近い側のボタンを脇タブのボタンホールに係止した場合にはウエストサイズの変化範囲は大きく、中央タブに遠い側のボタンを脇タブのボタンホールに係止した場合にはウエストサイズの変化範囲は小さくなる。そして、中央タブに最も遠い側のボタンを脇タブのボタンホールに係止した場合には、ウエストサイズは固定される。
【０３５７】
ここで、結合具としてボタンとボタンホールまたはドット釦を用いた場合は、前述の如く、ボタンホールまたは凸側のドット釦は、一方のファスナーテープの上端を支持しているスライディングテープが取り付けられている上前のベルト部に取り付けられることになるが、スライディングテープが穴かがりされたボタンホールまたは凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールまたはドット釦を用いた場合でも一方のファスナーテープの移動を妨げることがない。
【０３５８】
このようにして、結合具としてボタンやドット釦も使用することができるとともに、連続的にウエストサイズを変化させることができるフリーサイズ状態とウエストサイズを固定した状態とを容易に切り替えることができ、ウエストサイズの変化範囲も段階的に変えることができ、厚手の生地にも適用できるウエストサイズ調節機構付衣服となる。
【０３５９】
請求項１４の発明にかかるウエストサイズ調節機構付衣服は、請求項１２または請求項１３の構成において、前記脇タブには前記穴かがりされたボタンホールの代わりに裏面にマジックテープ（登録商標）の硬い側または軟らかい側が取り付けられ、前記脇タブの近傍の前記下前のベルト部には前記複数のボタンの代わりにマジックテープ（登録商標）の軟らかい側または硬い側が取り付けられているものである。
【０３６０】
したがって、請求項１２または請求項１３に記載の効果に加えて、上前ベルト部との結合具が取り付けられた中央タブと一体に移動する脇タブの裏面のマジックテープ（登録商標）の硬い側を、脇タブの近傍の下前のベルト部に取り付けられたマジックテープ（登録商標）の軟らかい側に接着することによって、ウエストサイズの調節をすることができる。脇タブの裏面のマジックテープ（登録商標）を下前のベルト部のマジックテープ（登録商標）の中央タブに近い側に接着した場合には、中央タブが取り付けられた弾性材の伸縮可能な範囲内で連続的にウエストサイズを変化させることができる（フリーサイズ）。脇タブの裏面のマジックテープ（登録商標）を下前のベルト部のマジックテープ（登録商標）の中央タブからより遠い側に接着するにしたがって、ウエストサイズの変化範囲はより小さくなる。そして、中央タブに最も遠い側に接着した場合には、ウエストサイズは固定される。
【０３６１】
このようにして、脇タブの裏面と脇タブの近傍の下前のベルト部に１対のマジックテープ（登録商標）を取り付けることによって、連続的にウエストサイズを変化させることができるフリーサイズ状態とウエストサイズを固定した状態とを容易に切り替えることができ、ウエストサイズの変化範囲も連続的に小刻みに変えることができるウエストサイズ調節機構付衣服となる。
【０３６２】
請求項１５の発明にかかるウエストサイズ調節機構付衣服は、請求項１２または請求項１３の構成において、前記脇タブには前記穴かがりされたボタンホールの代わりに裏面に２以上の鉤部を有する鉤構成体が取り付けられ、前記脇タブの近傍の前記下前のベルト部には前記複数のボタンの代わりに受構成体が取り付けられているものである。
【０３６３】
したがって、請求項１２または請求項１３に記載の効果に加えて、脇タブの裏側に取り付けられた鉤構成体の２以上の鉤部のうち、中央タブから最も遠い鉤部を下前のベルト部の受構成体に係止した場合には、中央タブが取り付けられた弾性材の伸縮可能な範囲内で連続的にウエストサイズを変化させることができる（フリーサイズ）。中央タブにより近い鉤部を下前のベルト部の受構成体に係止するにしたがって、ウエストサイズの変化範囲はより小さくなる。そして、中央タブに最も近い鉤部を下前のベルト部の受構成体に係止した場合には、ウエストサイズは固定される。
【０３６４】
このようにして、連続的にウエストサイズを変化させることができるフリーサイズ状態とウエストサイズを固定した状態とを容易に切り替えることができ、ウエストサイズの変化範囲も段階的に変えることができるウエストサイズ調節機構付衣服となる。
【０３６５】
請求項１６の発明にかかるウエストサイズ調節機構付衣服は、請求項１２または請求項１３の構成において、前記脇タブには前記穴かがりされたボタンホールの代わりに裏面に凸側のドット釦が取り付けられ、前記脇タブの近傍の前記下前のベルト部には前記複数のボタンの代わりにベルト方向に沿って複数の凹側のドット釦が取り付けられていることを特徴とするものである。
【０３６６】
したがって、請求項１２または請求項１３に記載の効果に加えて、脇タブの裏面に取り付けられた凸側のドット釦を、下前のベルト部に取り付けられた複数の凹側のドット釦のうち中央タブに最も近い凹側のドット釦に嵌めた場合には、中央タブが取り付けられた弾性材の伸縮可能な範囲内で連続的にウエストサイズを変化させることができる（フリーサイズ）。中央タブにより遠い凹側のドット釦に脇タブの裏面の凸側のドット釦を嵌めるにしたがって、ウエストサイズの変化範囲はより小さくなる。そして、中央タブに最も遠い凹側のドット釦に脇タブの裏面の凸側のドット釦を嵌めた場合には、ウエストサイズは固定される。
【０３６７】
このようにして、連続的にウエストサイズを変化させることができるフリーサイズ状態とウエストサイズを固定した状態とを容易に切り替えることができ、ウエストサイズの変化範囲も段階的に変えることができるウエストサイズ調節機構付衣服となる。
【０３６８】
請求項１７の発明にかかるウエストサイズ調節機構付衣服は、請求項１の構成において、前記結合具は、前記中央タブの先端部分に設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた受構成体とからなり、前記中央タブの一部と前記弾性材は前記衣服の上前のベルト部によって覆われているものである。
【０３６９】
このように、本発明のウエストサイズ調節機構付衣服においては、ベルト方向に移動可能な中央タブが、請求項１〜１６の発明にかかるウエストサイズ調節機構付衣服とは異なり、上前のベルト部に弾性材を介して取り付けられている。したがって、この中央タブの先端部分に設けられた穴かがりしたボタンホールに下前のベルト部に取り付けられたボタンを係止することによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【０３７０】
ここで、上前のベルト部に中央タブが取り付けられているため、このタイプのウエストサイズ調節機構付衣服においては、上前のベルト部を貫通してボタンホールが設けられたり凸側のドット釦が取り付けられることがない。したがって、一方のファスナーテープの上端を上前の上端に縫付けて支持しているスライディングテープが固定されてしまう恐れもない。また、中央タブの一部と弾性材は上前のベルト部によって覆われているため、見栄えも良くなっている。
【０３７１】
このようにして、結合具としてボタンを用いることができるとともに、連続的にウエストサイズを変化させることができるフリーサイズ状態とウエストサイズを固定した状態とを容易に切り替えることができるウエストサイズ調節機構付衣服となる。
【０３７２】
請求項１８の発明にかかるウエストサイズ調節機構付衣服は、請求項１７の構成において、前記結合具は、前記中央タブの先端部分に取り付けられた凸側のドット釦と、前記衣服の下前のベルト部に取り付けられた凹側のドット釦と、前記衣服の上前のベルト部の裏側に取り付けられた鉤構成体と、前記衣服の下前のベルト部に取り付けられた受構成体とからなるものである。
【０３７３】
したがって、請求項１７に記載の効果に加えて、中央タブの先端部分に取り付けられた凸側のドット釦を下前のベルト部に取り付けられた凹側のドット釦に嵌めることによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【０３７４】
このようにして、結合具としてドット釦を用いることができるとともに、連続的にウエストサイズを変化させることができるフリーサイズ状態とウエストサイズを固定した状態とを容易に切り替えることができるウエストサイズ調節機構付衣服となる。
【０３７５】
請求項１９の発明にかかるウエストサイズ調節機構付衣服は、請求項１７の構成において、前記結合具は、前記中央タブの先端部分の裏側と、前記衣服の上前のベルト部の裏側とに取り付けられた各１個の鉤構成体と、前記衣服の下前のベルト部に取り付けられた受構成体とからなるものである。
【０３７６】
したがって、請求項１７に記載の効果に加えて、中央タブの先端部分の裏側に取り付けられた鉤構成体を下前のベルト部に取り付けられた受構成体に係止することによって、中央タブが取り付けられた弾性材の伸縮可能な範囲内で連続的にウエストサイズを変化させることができる（フリーサイズ）。また、上前のベルト部の裏側に取り付けられた鉤構成体を下前のベルト部に取り付けられた受構成体に係止した場合には、ウエストサイズは一定のサイズに固定される。
【０３７７】
このようにして、連続的にウエストサイズを変化させることができるフリーサイズ状態とウエストサイズを固定した状態とを容易に切り替えることができるウエストサイズ調節機構付衣服となる。
【０３７８】
請求項２０の発明にかかるウエストサイズ調節機構付衣服は、請求項１７乃至請求項１９のいずれか１つの構成において、前記衣服の上前のベルト部に前記弾性材を介して前記中央タブを取り付けた際のステッチを隠すために、前記ステッチの上にベルト通し、皮ラベル、布ネーム、ワッペンのいずれかを取り付けたものである。
【０３７９】
請求項１７乃至請求項１９の構成においては、上前のベルト部によって中央タブの一部と弾性材とが覆われており、ステッチの上にベルト通し、皮ラベル、布ネーム、ワッペンのいずれかを取り付けることによって、請求項１７乃至請求項１９のいずれか１つに記載の効果に加えて、ステッチが隠れて見栄えが良くなる。
【０３８０】
このようにして、結合具としてボタンやドット釦も使用することができるとともに、連続的にウエストサイズを変化させることができるフリーサイズ状態とウエストサイズを固定した状態とを容易に切り替えることができ、かつ見栄えも良いウエストサイズ調節機構付衣服となる。
【０３８１】
請求項２１の発明にかかるウエストサイズ調節機構付衣服は、請求項１７乃至請求項２０のいずれか１つの構成において、前記弾性材には、その最大伸びを制限する伸び止め材を並設したものである。
【０３８２】
したがって、請求項１７乃至請求項２０のいずれか１つに記載の効果に加えて、タックの折り重なり部分が引き延ばされる長さ以上にウエストサイズが大きくならないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【０３８３】
このようにして、連続的にウエストサイズを変化させることができるフリーサイズ状態とウエストサイズを固定した状態とを容易に切り替えることができるとともに、ウエスト周りの見栄えが損なわれることがなく弾性材の寿命を長くすることができるウエストサイズ調節機構付衣服となる。
【０３８４】
請求項２２の発明にかかるウエストサイズ調節機構付衣服は、請求項１の構成において、更に、前記衣服の上前のベルト部が前記衣服の下前のベルト部側に突出した所定長さの持ち出しを具備するものであって、前記結合具は、前記持ち出しに設けられた穴かがりした一定長さのボタンホールと、前記衣服の下前のベルト部に取り付けられたボタンと、前記衣服の上前のベルト部の裏側に取り付けられた鉤構成体と、前記衣服の下前のベルト部に前記一定長さ以下離して取り付けられた複数の受構成体とからなるものである。
【０３８５】
これによって、着用する人の腰周り寸法に合わせて衣服のウエストベルトの寸法を結合具及びタックの折り重なり部分により調節することができる。また、上前のベルト部には、下前のベルト部側に突出した所定長さの持ち出しが設けられている。ここで、結合具である持ち出しに設けられたボタンホールに下前のベルト部に取り付けられたボタンを係止し、上前のベルト部の裏側に取り付けられた鉤構成体を下前のベルト部に取り付けられた複数の受構成体のいずれかに係止する。上前に近い側の受構成体に係止した場合には、ウエストサイズは大きくなって、ボタンはボタンホールの下前側に移動する。上前に遠い側の受構成体に係止した場合には、ウエストサイズは小さくなって、ボタンはボタンホールの上前側に移動する。２つの受構成体はボタンホールの長さ（一定長さ）以下しか離れていないため、ボタンはボタンホール内を余裕をもって移動することができる。
【０３８６】
そして、上前のベルト部に設けられた持ち出しによって２つの受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【０３８７】
請求項２３の発明にかかるウエストサイズ調節機構付衣服は、請求項２２の構成において、前記結合具は、前記持ち出しに設けられた穴かがりしたボタンホールと、前記衣服の下前のベルト部に取り付けられたボタンと、前記衣服の上前のベルト部の裏側に取り付けられた鉤構成体と、前記衣服の下前のベルト部に取り付けられた２以上の受部を有する受構成体とからなるものである。
【０３８８】
したがって、請求項２２に記載の効果に加えて、持ち出しに設けられたボタンホールに下前のベルト部に取り付けられたボタンを係止し、上前のベルト部の裏側に取り付けられた鉤構成体を下前のベルト部に取り付けられた受構成体の２以上の受部のいずれかに係止する。上前に近い側の受部に係止した場合には、ウエストサイズは大きくなって、ボタンはボタンホールの下前側に移動する。上前に遠い側の受部に係止した場合には、ウエストサイズは小さくなって、ボタンはボタンホールの上前側に移動する。
【０３８９】
そして、上前のベルト部に設けられた持ち出しによって２以上の受部を有する受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【０３９０】
請求項２４の発明にかかるウエストサイズ調節機構付衣服は、請求項２２の構成において、前記結合具は、前記持ち出しに設けられた穴かがりしたボタンホールと、前記衣服の下前のベルト部に取り付けられたボタンと、前記衣服の上前のベルト部の裏側に取り付けられた２以上の鉤部を有する鉤構成体と、前記衣服の下前のベルト部に取り付けられた受構成体とからなるものである。
【０３９１】
したがって、請求項２２に記載の効果に加えて、持ち出しに設けられたボタンホールに下前のベルト部に取り付けられたボタンを係止し、上前のベルト部の裏側に取り付けられた鉤構成体の２以上の鉤部のいずれかを下前のベルト部に取り付けられた受構成体に係止する。下前に近い側の鉤部を係止した場合には、ウエストサイズは大きくなって、ボタンはボタンホールの下前側に移動する。下前に遠い側の鉤部を係止した場合には、ウエストサイズは小さくなって、ボタンはボタンホールの上前側に移動する。
【０３９２】
そして、上前のベルト部に設けられた持ち出しによって受構成体が覆い隠されるため、極めて見栄えが良くなる。さらに、持ち出しにはボタンホールが設けられて下前のベルト部に取り付けられたボタンが係止されるため、持ち出しの先端が浮き上るのが防止され、ウエストサイズを容易に調節できるとともに外見上もすっきりとしたデザインのウエストサイズ調節機構付衣服となる。
【０３９３】
請求項２５の発明にかかるウエストサイズ調節機構付衣服は、請求項１の構成において、更に、前記衣服の上前のベルト部内と前記衣服の下前のベルト部内にそれぞれ弾性材を介して取り付けられ、前記衣服の上前のベルト部の開口部と前記衣服の下前のベルト部の開口部とからそれぞれ突出した１対の飾りベルトを具備するものであって、前記結合具は、前記１対の飾りベルトの一方の先端部分に設けられた穴かがりしたボタンホールと、前記１対の飾りベルトの他方の先端部分に取り付けられたボタンと、前記衣服の上前のベルト部の裏側に取り付けられた鉤構成体と、前記衣服の下前のベルト部に取り付けられた１または２以上の受構成体とからなるものである。
【０３９４】
これによって、着用する人の腰周り寸法に合わせて衣服のウエストベルトの寸法を結合具及びタックの折り重なり部分により調節することができる。ここで、結合具としての１対の飾りベルトの一方の先端部分に設けられた穴かがりしたボタンホールに、１対の飾りベルトの他方の先端部分に取り付けられたボタンを係止することによって、１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０３９５】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０３９６】
請求項２６の発明にかかるウエストサイズ調節機構付衣服は、請求項２５の構成において、前記結合具は、前記１対の飾りベルトの一方の先端部分に取り付けられた２個のＤカンと、前記２個のＤカンに巻き付けられて止められる前記１対の飾りベルトの他方と、前記衣服の上前のベルト部の裏側に取り付けられた鉤構成体と、前記衣服の下前のベルト部に取り付けられた１または２以上の受構成体とからなるものである。
【０３９７】
請求項２５に記載の効果に加えて、Ｄカンとは略Ｄの字形をした金具で、これを一方の飾りベルトの先端に２個取り付けることによって、他方の飾りベルトをまず２個のＤカンの中に通して折り返し、一方のＤカンの外側に巻き付けてからもう一方のＤカンの内側をくぐらせることによって、他方の飾りベルトを２個のＤカンで固定して止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０３９８】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０３９９】
請求項２７の発明にかかるウエストサイズ調節機構付衣服は、請求項２５の構成において、前記結合具は、前記１対の飾りベルトの一方の先端部分に取り付けられたピン付きバックルと、前記１対の飾りベルトの他方に設けられた複数のベルト孔と、前記衣服の上前のベルト部の裏側に取り付けられた鉤構成体と、前記衣服の下前のベルト部に取り付けられた１または２以上の受構成体とからなるものである。
【０４００】
したがって、請求項２５に記載の効果に加えて、一方の飾りベルトの先端部分に取り付けられたピン付きバックルに他方の飾りベルトを通して、バックルのピンを他方の飾りベルトの複数のベルト孔に挿入することによって、１対の飾りベルトを止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０４０１】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０４０２】
請求項２８の発明にかかるウエストサイズ調節機構付衣服は、請求項２５の構成において、前記結合具は、前記１対の飾りベルトの一方の先端部分に取り付けられた金具と、前記１対の飾りベルトの他方の先端部分に取り付けられた前記金具に係止されるもう１つの金具と、前記衣服の上前のベルト部の裏側に取り付けられた鉤構成体と、前記衣服の下前のベルト部に取り付けられた１または２以上の受構成体とからなるものである。
【０４０３】
したがって、請求項２５に記載の効果に加えて、一方の飾りベルトの先端部分に取り付けられた金具に他方の飾りベルトの先端部分に取り付けられたもう１つの金具を係止することによって、１対の飾りベルトを止めることができる。１対の飾りベルトは上前のベルト部内と下前のベルト部内にそれぞれ弾性材を介して取り付けられているので、弾性材の伸縮可能な範囲内で連続的にウエストサイズを変化させることができる（フリーサイズ）。また、上前のベルト部の裏側に取り付けられた鉤構成体を下前のベルト部に取り付けられた１または２以上の受構成体のいずれかに係止した場合には、ウエストサイズは一定のサイズに固定される。そして、結合具を取り付ける基材として１対の飾りベルトを用いていることから、特に婦人用には最適でデザイン的にも優れたものとなる。
【０４０４】
このようにして、連続的にウエストサイズを変化させることができるフリーサイズ状態とウエストサイズを固定した状態とを容易に切り替えることができるとともに、デザイン的にも優れたウエストサイズ調節機構付衣服となる。
【０４０５】
請求項２９の発明にかかるウエストサイズ調節機構付衣服は、請求項１の構成において、前記結合具は、前記衣服の下前または上前のベルト部に直接取り付けられたピン付きバックル付きベルトと、前記衣服の上前または下前のベルト部に直接取り付けられた複数のベルト孔付きベルトとからなるものである。
【０４０６】
これによって、着用する人の腰周り寸法に合わせて衣服のウエストベルトの寸法を結合具及びタックの折り重なり部分により調節することができる。ここで、結合具としてピン付きバックル付きベルトと複数のベルト孔付きベルトとをそれぞれ下前のベルト部と上前のベルト部に直接取り付けている。したがって、構成が簡単になって製造工程が短縮されるとともに、デザイン的にもすっきりとしたものとなる。そして、複数のベルト孔付きベルトをピン付きバックル付きベルトの先端のピン付きバックルに通して、バックルのピンを複数のベルト孔のいずれかに挿入することによって両者が結合され、挿入するベルト孔の位置を変えることによってウエストサイズを調節することができる。
【０４０７】
このようにして、簡単な構成でウエストサイズを容易に調節することができるとともに、デザイン的にも優れたウエストサイズ調節機構付衣服となる。
【０４０８】
請求項３０の発明にかかるウエストサイズ調節機構付衣服は、請求項２９の構成において、前記結合具は、前記衣服の下前または上前のベルト部に直接取り付けられた長さ調節機構付きベルトとその先端に取り付けられた嵌合バックルの一方と、前記衣服の上前または下前のベルト部に直接取り付けられた先端に前記嵌合バックルの他方が取り付けられたベルトとからなるものである。
【０４０９】
したがって、構成が簡単になって製造工程が短縮されるとともに、デザイン的にもすっきりとしたものとなる。そして、請求項２９に記載の効果に加えて、一方の嵌合バックルと他方の嵌合バックルとが嵌合することによって両方のベルトが結合され、長さ調節機構付きベルトによってウエストサイズを連続的に調節することができる。
【０４１０】
このようにして、簡単な構成でウエストサイズを容易に連続的に調節することができるとともに、デザイン的にも優れたウエストサイズ調節機構付衣服となる。
【０４１１】
請求項３１の発明にかかるウエストサイズ調節機構付衣服は、請求項２９の構成において、前記結合具は、前記衣服の上前または下前のベルト部に直接取り付けられた先端に２個のＤカンが取り付けられたベルトと、前記衣服の下前または上前のベルト部に直接取り付けられた前記２個のＤカンに巻き付けられて止められるベルトとからなるものである。
【０４１２】
したがって、構成が簡単になって製造工程が短縮されるとともに、デザイン的にもすっきりとしたものとなる。そして、請求項２９に記載の効果に加えて、上述したようにベルトを２個のＤカンに巻き付けることによって両方のベルトが結合され、ベルトを２個のＤカンに巻き付ける位置を変えることによって、ウエストサイズを連続的に調節することができる。
【０４１３】
このようにして、簡単な構成でウエストサイズを容易に連続的に調節することができるとともに、デザイン的にも優れたウエストサイズ調節機構付衣服となる。
【０４１４】
請求項３２の発明にかかるウエストサイズ調節機構付衣服は、請求項２９の構成において、前記結合具は、前記衣服の上前または下前のベルト部に直接取り付けられた先端にピンなしバックルが取り付けられたベルトと、前記衣服の下前または上前のベルト部に直接取り付けられた中間にマジックテープ（登録商標）の硬い側または軟らかい側が取り付けられ先端にマジックテープ（登録商標）の軟らかい側または硬い側が取り付けられたベルトとからなるものである。
【０４１５】
したがって、構成が簡単になって製造工程が短縮されるとともに、デザイン的にもすっきりとしたものとなる。そして、請求項２９に記載の効果に加えて、マジックテープ（登録商標）が取り付けられたベルトをもう一方のベルトの先端のピンなしバックルに通して折り返し、ベルトの先端のマジックテープ（登録商標）をベルトの中間のマジックテープ（登録商標）に接着することによって両方のベルトが結合され、マジックテープ（登録商標）を接着する位置を変えることによってウエストサイズを連続的に調節することができる。
【０４１６】
このようにして、簡単な構成でウエストサイズを容易に連続的に調節することができるとともに、デザイン的にも優れたウエストサイズ調節機構付衣服となる。
【０４１７】
請求項３３の発明にかかるウエストサイズ調節機構付衣服は、請求項２９の構成において、前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、両方のベルトが通されるピンなしバックルとからなるものである。
【０４１８】
したがって、構成が簡単になって製造工程が短縮されるとともに、デザイン的にもすっきりとしたものとなり、また左右対称の構成となる。そして、請求項２９に記載の効果に加えて、両方のマジックテープ（登録商標）が取り付けられたベルトをそれぞれピンなしバックルに通して折り返し、ベルトの先端のマジックテープ（登録商標）をベルトの中間のマジックテープ（登録商標）に接着することによって両方のベルトが結合され、マジックテープ（登録商標）を接着する位置を変えることによってウエストサイズを連続的に調節することができる。
【０４１９】
このようにして、簡単な構成でウエストサイズを容易に連続的に調節することができるとともに、デザイン的にも優れたウエストサイズ調節機構付衣服となる。
【０４２０】
請求項３４の発明にかかるウエストサイズ調節機構付衣服は、請求項２９の構成において、前記結合具は、前記衣服の上前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の下前のベルト部に直接取り付けられた中間にマジックテープ（登録商標）の硬い側または軟らかい側が取り付けられ先端にマジックテープ（登録商標）の軟らかい側または硬い側が取り付けられたベルトと、前記衣服の上前または下前のベルト部端に縫付けられた両方のベルトが通されるピンなし１本線バックルとからなるものである。
【０４２１】
請求項３３の構成においては、ピンなしバックルがどちらのベルトにも取り付けられていないため、両方のベルトのマジックテープ（登録商標）を外した場合には、ピンなしバックルを紛失してしまう恐れがある。そこで、本発明においては、請求項２９に記載の効果に加えて、ピンなし１本線バックルを中央の１本線において上前または下前のベルト部端に縫付けることによって、かかる問題を解消している。但し、この構成においては、ピンなし１本線バックルが縫付けられた上前側のベルトはウエストサイズの調節には寄与しない飾りベルトとなり、下前側のベルトのみでウエストサイズの調節をすることになる。
【０４２２】
このようにして、簡単な構成でウエストサイズを容易に連続的に調節することができるとともに、デザイン的にも優れたウエストサイズ調節機構付衣服となる。
【０４２３】
請求項３５の発明にかかるウエストサイズ調節機構付衣服は、請求項２９の構成において、前記結合具は、前記衣服の上前または下前のベルト部に直接取り付けられた先端の表側にマジックテープ（登録商標）の硬い側または軟らかい側が取り付けられたベルトと、前記衣服の下前または上前のベルト部に直接取り付けられた先端の裏側にマジックテープ（登録商標）の軟らかい側または硬い側が取り付けられたベルトとからなるものである。
【０４２４】
本発明のウエストサイズ調節機構付衣服においては、ピンなしバックルを用いず、マジックテープ（登録商標）の取り付けられた１対のベルトのみで結合具を構成している。したがって、請求項２９に記載の効果に加えて、構成がより一層簡単になって製造工程がさらに短縮されるとともに、デザイン的にもよりすっきりとしたものとなる。そして、両方のベルトのマジックテープ（登録商標）を接着する位置を変えることによって、ウエストサイズを連続的に変化させることができる。
【０４２５】
このようにして、さらに簡単な構成でウエストサイズを容易に連続的に調節することができるとともに、デザイン的にもより優れたウエストサイズ調節機構付衣服となる。
【０４２６】
請求項３６の発明にかかるウエストサイズ調節機構付衣服は、請求項２９の構成において、前記結合具は、前記衣服の上前のベルト部に直接取り付けられた中間に凹側のドット釦が取り付けられ先端に複数の凸側のドット釦が取り付けられたベルトと、前記衣服の下前のベルト部に直接取り付けられた中間に凹側のドット釦が取り付けられ先端に複数の凸側のドット釦が取り付けられたベルトと、両方のベルトが通されるピンなしバックルとからなるものである。
【０４２７】
したがって、構成が簡単になって製造工程が短縮されるとともに、デザイン的にもすっきりとしたものとなり、また左右対称の構成となる。そして、請求項２９に記載の効果に加えて、両方のベルトをそれぞれピンなしバックルに通して折り返し、ベルトの先端の複数の凸側のドット釦のいずれかをベルトの中間の凹側のドット釦に嵌めることによって両方のベルトが結合され、中間の凹側のドット釦に嵌めるベルトの先端の複数の凸側のドット釦を変えることによってウエストサイズを調節することができる。
【０４２８】
このようにして、結合具としてドット釦を使用できるとともに、簡単な構成でウエストサイズを容易に調節することができ、デザイン的にも優れたウエストサイズ調節機構付衣服となる。
【０４２９】
請求項３７の発明にかかるウエストサイズ調節機構付衣服は、請求項２９の構成において、前記結合具は、前記衣服の上前のベルト部に直接取り付けられた中間に複数のボタンが取り付けられ先端に穴かがりされたボタンホールが設けられたベルトと、前記衣服の下前のベルト部に直接取り付けられた中間に複数のボタンが取り付けられ先端に穴かがりされたボタンホールが設けられたベルトと、両方のベルトが通されるピンなしバックルとからなるものである。
【０４３０】
したがって、構成が簡単になって製造工程が短縮されるとともに、デザイン的にもすっきりとしたものとなり、また左右対称の構成となる。そして、請求項２９に記載の効果に加えて、両方のベルトをそれぞれピンなしバックルに通して折り返し、ベルトの先端のボタンホールにベルトの中間の複数のボタンのいずれかを係止することによって両方のベルトが結合され、ボタンホールに係止する中間の複数のボタンを変えることによってウエストサイズを調節することができる。
【０４３１】
このようにして、結合具としてボタンを使用できるとともに、簡単な構成でウエストサイズを容易に調節することができ、デザイン的にも優れたウエストサイズ調節機構付衣服となる。
【０４３２】
請求項３８の発明にかかるウエストサイズ調節機構付衣服は、請求項２９の構成において、前記結合具は、前記衣服の上前のベルト部に直接取り付けられたベルト布またはリボン布と、前記衣服の下前のベルト部に直接取り付けられたベルト布またはリボン布とからなるものである。
【０４３３】
したがって、構成が簡単になって製造工程が短縮されるとともに、デザイン的にもすっきりとしたものとなり、また左右対称の構成となる。そして、請求項２９に記載の効果に加えて、両方のベルト布またはリボン布を衣服の前明の中央で結び合わせることによって両方のベルト布またはリボン布が結合され、結び合わせる位置を変えることによってウエストサイズを連続的に調節することができる。
【０４３４】
このようにして、簡単な構成でウエストサイズを容易に連続的に調節することができるとともに、デザイン的にも優れたウエストサイズ調節機構付衣服となる。
【０４３５】
請求項３９の発明にかかるウエストサイズ調節機構付衣服は、請求項２９の構成において、前記結合具は、樹脂製のレールとそのレールに嵌合して任意の位置で係止可能にスライドするスライダーとからなるベルトアジャスターであって、前記スライダーを布ベルトを介して前記衣服の上前または下前のベルト部に取り付け、前記レールを前記衣服の下前または上前のベルト部に直接取り付けたものである。
【０４３６】
このようなベルトアジャスターは、帽子（キャップ）のサイズを調整したりするのに広く使われているものである。したがって、構成が簡単になって製造工程が短縮されるとともに、デザイン的にもすっきりとしたものとなる。そして、請求項２９に記載の効果に加えて、スライダーをレールに嵌合させてスライドさせ、任意の位置で係止させることによってウエストサイズを連続的に調節することができる。
【０４３７】
このようにして、簡単な構成でウエストサイズを容易に連続的に調節することができるとともに、デザイン的にも優れたウエストサイズ調節機構付衣服となる。
【０４３８】
請求項４０の発明にかかるウエストサイズ調節機構付衣服は、請求項２９の構成において、前記結合具は、前記衣服の上前のベルト部に共布ベルトを介して取り付けられた紐と、前記衣服の下前のベルト部に共布ベルトを介して取り付けられた紐とからなるものである。
【０４３９】
したがって、構成が簡単になって製造工程が短縮されるとともに、デザイン的にもすっきりとしたものとなる。そして、請求項２９に記載の効果に加えて、両方の紐を衣服の前明の中央で結び合わせることによって両方の紐が結合され、結び合わせる位置を変えることによってウエストサイズを連続的に調節することができる。
【０４４０】
このようにして、簡単な構成でウエストサイズを容易に連続的に調節することができるとともに、デザイン的にも優れたウエストサイズ調節機構付衣服となる。
【０４４１】
請求項４１の発明にかかるウエストサイズ調節機構付衣服は、請求項２９の構成において、前記結合具は、前記衣服の上前または下前のベルト部にベルトを介して取り付けられた鎖と、前記衣服の下前または上前のベルト部にベルトを介して取り付けられた先端にナスカンの付いた鎖とからなるものである。
【０４４２】
したがって、構成が簡単になって製造工程が短縮されるとともに、デザイン的にもすっきりとしたものとなる。そして、請求項２９に記載の効果に加えて、上前または下前のベルト部に取り付けられた鎖のいずれかの孔に下前または上前のベルト部に取り付けられた鎖の先端のナスカンを嵌合させることによって両方の鎖が結合され、ナスカンを嵌合させる位置を変えることによってウエストサイズをほぼ連続的に調節することができる。
【０４４３】
このようにして、簡単な構成でウエストサイズを容易にほぼ連続的に調節することができるとともに、デザイン的にも優れたウエストサイズ調節機構付衣服となる。
【０４４４】
請求項４２の発明にかかるウエストサイズ調節機構付衣服は、請求項１の構成において、前記結合具は、前記衣服の下前のベルト部にファスナーラインの左右において取り付けられた各１個のボタンと、前記衣服の上前のベルト部に設けられた穴かがりされたボタンホールとからなるものである。
【０４４５】
これによって、着用する人の腰周り寸法に合わせて衣服のウエストベルトの寸法を結合具及びタックの折り重なり部分により調節することができる。また、構成が簡単になって製造工程が短縮されるとともに、デザイン的にもすっきりとしたものとなる。そして、上前のベルト部に近い側のボタンをボタンホールに係止した場合にはウエストサイズは大きくなり、上前のベルト部に遠い側のボタンをボタンホールに係止した場合にはウエストサイズは小さくなる。
【０４４６】
ここで、結合具としてボタンとボタンホールを用いており、ボタンホールは、一方のファスナーテープの上端を支持しているスライディングテープが取り付けられている上前のベルト部に設けられることになるが、スライディングテープが穴かがりされたボタンホールと共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてボタンとボタンホールを用いても一方のファスナーテープの移動を妨げることがない。
【０４４７】
このようにして、結合具としてボタンを使用することができるとともに、簡単な構成でウエストサイズを容易に調節することができ、デザイン的にも優れたウエストサイズ調節機構付衣服となる。
【０４４８】
請求項４３の発明にかかるウエストサイズ調節機構付衣服は、請求項４２の構成において、前記結合具は、前記衣服の下前のベルト部にファスナーラインの左右において取り付けられた各１個の凹側のドット釦と、前記衣服の上前のベルト部に取り付けられた凸側のドット釦とからなるものである。
【０４４９】
これによって、着用する人の腰周り寸法に合わせて衣服のウエストベルトの寸法を結合具及びタックの折り重なり部分により調節することができる。また、構成が簡単になって製造工程が短縮されるとともに、デザイン的にもすっきりとしたものとなる。そして、請求項４２に記載の効果に加えて、上前のベルト部に近い側の凹側のドット釦に凸側のドット釦を嵌めた場合にはウエストサイズは大きくなり、上前のベルト部に遠い側の凹側のドット釦に凸側のドット釦を嵌めた場合にはウエストサイズは小さくなる。
【０４５０】
ここで、結合具としてドット釦を用いており、凸側のドット釦は一方のファスナーテープの上端を支持しているスライディングテープが取り付けられている上前のベルト部に取り付けられることになるが、スライディングテープが凸側のドット釦と共に固定されたとしても、一方のファスナーテープの上端はゴムテープによっても支持されているため、タックの折り重なり部分が引き延ばされる際には、ゴムテープの伸縮力によって一方のファスナーテープもそれにつれて移動することができる。このように、結合具としてドット釦を用いた場合でも一方のファスナーテープの移動を妨げることがない。
【０４５１】
このようにして、結合具としてドット釦を使用することができるとともに、簡単な構成でウエストサイズを容易に調節することができ、デザイン的にも優れたウエストサイズ調節機構付衣服となる。
【０４５２】
請求項４４の発明にかかるウエストサイズ調節機構付衣服は、請求項１乃至請求項４３のいずれか１つの構成において、前記衣服の上前に設けられた上下方向に伸びるタックの代わりに前記衣服の下前に上下方向に伸びるタックが設けられ、前記衣服の下前に設けられたタックに縫代となる一方のファスナーテープが縫付けられ、かつ、前記衣服の上前に縫代となる他のファスナーテープが縫付けられているものである。
【０４５３】
請求項１乃至請求項４３の発明にかかるウエストサイズ調節機構付衣服においては、いずれも衣服の上前に上下方向に伸びるタックが設けられており、このタックに一方のファスナーテープが縫付けられて、結合具によってウエストサイズが大きくなる場合にはタックの折り重なり部分が広がることによってファスナーが一体に移動する。これによって、着用する人のウエストサイズだけでなく腰近傍の寸法が多少変化しても、着用感や見栄えを損なうことがない。しかし、このタックは見栄えをより良くするために衣服の上前に設けられているものであって、請求項１乃至請求項４３のいずれか１つに記載の効果に加えて、衣服の下前に上下方向に伸びるタックを設けても、見栄えの点では多少劣るが同様の作用効果を得ることができる。
【０４５４】
このように、請求項１乃至請求項４３のいずれか１つの構成において、衣服の下前に上下方向に伸びるタックを設けることによって、衣服の上前にタックを設けた場合と同様の作用効果を得ることができるウエストサイズ調節機構付衣服となる。
【図面の簡単な説明】
【図１】  図１は本発明の実施の形態１にかかるウエストサイズ調節機構付衣服のベルト部から前明部分までの構成を示す部分正面図である。
【図２】  図２は本発明の実施の形態１にかかるウエストサイズ調節機構付衣服の上前と下前とを分離した状態を示す部分拡大図である。
【図３】  図３は本発明の実施の形態１にかかるウエストサイズ調節機構付衣服のオーバーベルトを開いて中央タブの伸縮構造を示した部分拡大図である。
【図４】  図４は本発明の実施の形態１にかかるウエストサイズ調節機構付衣服のオーバーベルトの作成手順を示す説明図である。
【図５】  図５（ａ）は本発明の実施の形態１にかかるウエストサイズ調節機構付衣服の上前側のファスナーの取り付け構造を示す部分展開図、（ｂ）はボタンホールの位置を示す部分拡大図である。
【図６】  図６（ａ）は本発明の実施の形態２にかかるウエストサイズ調節機構付衣服の下前ベルト部の表側の構成を示す図、（ｂ）は下前ベルト部の裏側の構成を上下逆にして示す部分展開図である。
【図７】  図７は本発明の実施の形態３にかかるウエストサイズ調節機構付衣服の下前及び上前のベルト部付近の表側の構成を示す図である。
【図８】  図８（ａ）は本発明の実施の形態４にかかるウエストサイズ調節機構付衣服を小さいウエストサイズで着用した場合のベルト部付近の表側を示す部分正面図、（ｂ）は大きいウエストサイズで着用した場合のベルト部付近の表側を示す部分正面図である。
【図９】  図９は本発明の実施の形態４にかかるウエストサイズ調節機構付衣服の下前と上前のベルト部付近の表側の構成を示す部分拡大図である。
【図１０】  図１０（ａ）は本発明の実施の形態４にかかるウエストサイズ調節機構付衣服のオーバーベルトを外して中央タブを裏返して見たときの下前の構成を示す部分拡大図、（ｂ）は中央タブへのドット釦の取り付け状態を示す図である。
【図１１】  図１１は本発明の実施の形態４にかかるウエストサイズ調節機構付衣服のベルト部近傍を裏側から見て示す図である。
【図１２】  図１２は本発明の実施の形態５にかかるウエストサイズ調節機構付衣服を小さいウエストサイズで着用した場合のベルト部付近の表側を示す部分正面図である。
【図１３】  図１３（ａ）は本発明の実施の形態５にかかるウエストサイズ調節機構付衣服の下前のベルト部付近の表側の構成を示す部分拡大図、（ｂ）は中央タブを裏返して見たときの下前の構成を示す部分拡大図である。
【図１４】  図１４は本発明の実施の形態６にかかるウエストサイズ調節機構付衣服の下前と上前のベルト部付近の表側の構成を示す部分拡大図である。
【図１５】  図１５は本発明の実施の形態７にかかるウエストサイズ調節機構付衣服の下前と上前のベルト部付近の表側の構成を示す部分拡大図である。
【図１６】  図１６は下前のオーバーベルトを開いて中央タブを裏返した状態を示す部分展開図である。
【図１７】  図１７は本発明の実施の形態８にかかるウエストサイズ調節機構付衣服の下前及び上前のベルト部付近の表側の構成を示す図である。
【図１８】  図１８は本発明の実施の形態９にかかるウエストサイズ調節機構付衣服の下前及び上前のベルト部付近の表側の構成を示す図である。
【図１９】  図１９は本発明の実施の形態１０にかかるウエストサイズ調節機構付衣服を小さいウエストサイズで着用した場合のベルト部付近の表側を示す部分正面図である。
【図２０】  図２０（ａ）は本発明の実施の形態１０にかかるウエストサイズ調節機構付衣服を小さいウエストサイズで着用した場合の下前のベルト部付近の表側の構成を示す部分拡大図、（ｂ）は大きいウエストサイズで着用した場合の下前のベルト部付近の表側の構成を示す部分拡大図である。
【図２１】  図２１は本発明の実施の形態１０にかかるウエストサイズ調節機構付衣服の中央タブ及び脇タブの取り付け構造を示す図である。
【図２２】  図２２は本発明の実施の形態１０にかかるウエストサイズ調節機構付衣服のオーバーベルトを開いた状態の下前のベルト部付近の表側の構成を示す部分拡大図である。
【図２３】  図２３は本発明の実施の形態１１にかかるウエストサイズ調節機構付衣服を小さいウエストサイズで着用した場合のベルト部付近の表側を示す部分正面図である。
【図２４】  図２４は本発明の実施の形態１１にかかるウエストサイズ調節機構付衣服の下前及び上前のベルト部付近の表側の構成を示す部分拡大図である。
【図２５】  図２５は本発明の実施の形態１２にかかるウエストサイズ調節機構付衣服の下前及び上前のベルト部付近の表側の構成を示す部分拡大図である。
【図２６】  図２６は本発明の実施の形態１３にかかるウエストサイズ調節機構付衣服を大きいウエストサイズで着用した場合のベルト部付近の表側を示す部分正面図である。
【図２７】  図２７（ａ）は本発明の実施の形態１４にかかるウエストサイズ調節機構付衣服を小さいウエストサイズで着用した場合のベルト部付近の表側を示す部分正面図、（ｂ）は下前ベルト部の裏側の構成を上下逆にして示す部分展開図である。
【図２８】  図２８は本発明の実施の形態１５にかかるウエストサイズ調節機構付衣服を大きいウエストサイズで着用した場合のベルト部付近の表側を示す部分正面図である。
【図２９】  図２９（ａ）は本発明の実施の形態１５にかかるウエストサイズ調節機構付衣服の上前ベルト部の裏側を展開して示した図、（ｂ）は上前ベルト部の内部に中央タブをゴムテープ及び綿テープを介して取り付けた状態を示す図、（ｃ）は上前ベルト布の上前身頃への縫付け方を示す図、（ｄ）は完成したウエストサイズ調節機構付衣服の下前及び上前のベルト部付近の表側の構成を示す部分拡大図である。
【図３０】  図３０（ａ）は本発明の実施の形態１５にかかるウエストサイズ調節機構付衣服のステッチをベルト通しで隠した場合のベルト部付近の表側を示す部分正面図、（ｂ）はステッチを皮ラベルで隠した場合のベルト部付近の表側を示す部分正面図である。
【図３１】  図３１は本発明の実施の形態１５にかかるウエストサイズ調節機構付衣服の変形例を示す下前及び上前のベルト部付近の表側の構成を示す部分拡大図である。
【図３２】  図３２（ａ）は本発明の実施の形態１６にかかるウエストサイズ調節機構付衣服を大きいウエストサイズで着用した場合のベルト部付近の表側を示す部分正面図、（ｂ）は飾りベルトの取り付け構造を示す拡大図、（ｃ）は下前ベルト部と上前ベルト部とを分離した状態を示す拡大図である。
【図３３】  図３３（ａ），（ｂ），（ｃ）は、いずれも本発明の実施の形態１６にかかるウエストサイズ調節機構付衣服の変形例を示す図である。
【図３４】  図３４（ａ）は本発明の実施の形態１７にかかるウエストサイズ調節機構付衣服を大きいウエストサイズで着用した場合のベルト部付近の表側を示す部分正面図、（ｂ）は下前ベルト部と上前ベルト部とを分離した状態を示す拡大図、（ｃ）は上前ベルト部の裏側を示す拡大図である。
【図３５】  図３５は本発明の実施の形態１７にかかるウエストサイズ調節機構付衣服の変形例を示す図である。
【図３６】  図３６は本発明の実施の形態１７にかかるウエストサイズ調節機構付衣服の変形例を示す図である。
【図３７】  図３７（ａ）は本発明の実施の形態１８にかかるウエストサイズ調節機構付衣服を中間のウエストサイズで着用した場合のベルト部付近の表側を示す部分正面図、（ｂ）は下前ベルト部と上前ベルト部とを分離した状態を示す拡大図である。
【図３８】  図３８（ａ）は本発明の実施の形態１８の第１の変形例にかかるウエストサイズ調節機構付衣服を中間のウエストサイズで着用した場合のベルト部付近の表側を示す部分正面図、（ｂ）は下前ベルト部と上前ベルト部とを分離した状態を示す拡大図である。
【図３９】  図３９（ａ）は本発明の実施の形態１８の第２の変形例にかかるウエストサイズ調節機構付衣服を中間のウエストサイズで着用した場合のベルト部付近の表側を示す部分正面図、（ｂ），（ｃ）は結合具の結合の仕方を示す説明図である。
【図４０】  図４０（ａ）は本発明の実施の形態１９にかかるウエストサイズ調節機構付衣服を中間のウエストサイズで着用した場合のベルト部付近の表側を示す部分正面図、（ｂ）は結合具の結合の仕方を示す説明図である。
【図４１】  図４１（ａ）は本発明の実施の形態１９にかかるウエストサイズ調節機構付衣服の第１の変形例を示す図、（ｂ）は第２の変形例を示す図である。
【図４２】  図４２は本発明の実施の形態１９にかかるウエストサイズ調節機構付衣服の第３の変形例を示す図である。
【図４３】  図４３は本発明の実施の形態２０にかかるウエストサイズ調節機構付衣服を着用した場合のベルト部付近の表側を示す部分正面図である。
【図４４】  図４４は本発明の実施の形態２０にかかるウエストサイズ調節機構付衣服の第１の変形例を示す図である。
【図４５】  図４５は本発明の実施の形態２０にかかるウエストサイズ調節機構付衣服の第２の変形例を示す図である。
【図４６】  図４６（ａ）は本発明の実施の形態２１にかかるウエストサイズ調節機構付衣服を着用した場合のベルト部付近の表側を示す部分正面図、（ｂ）は部分拡大図である。
【図４７】  図４７（ａ）は本発明の実施の形態２１にかかるウエストサイズ調節機構付衣服の第１の変形例を示す図、（ｂ）は接続部分の拡大図である。
【図４８】  図４８（ａ）は本発明の実施の形態２１にかかるウエストサイズ調節機構付衣服の第２の変形例を示す図、（ｂ）は接続部分の拡大図である。
【図４９】  図４９（ａ）は本発明の実施の形態２２にかかるウエストサイズ調節機構付衣服を小さいウエストサイズで着用した場合のベルト部付近の表側を示す部分正面図、（ｂ）は結合部分を示す部分拡大図である。
【図５０】  図５０（ａ）は本発明の実施の形態２２にかかるウエストサイズ調節機構付衣服の変形例を示す図、（ｂ）は結合部分を示す部分拡大図である。
【図５１】  図５１は従来のウエストサイズ調節機構付衣服の構造を示す説明図である。
【図５２】  図５２は従来のウエストサイズ調節機構付衣服におけるタックの構造を示す斜視図である。
【符号の説明】
１  ウエストサイズ調節機構付衣服（パンツ）
２  上前のベルト部
３  下前のベルト部
４  上前身頃
４ａ  一方のファスナーテープ
４ｄ  タック
５  下前身頃
５ａ  他のファスナーテープ
６  オーバーベルト
７，２７，４４  中央タブ
８，３２，４５，６４，７２，１２０  ボタン
９，３３，４６，６５，７１，１１９  ボタンホール
１０  弾性材（ゴムテープ）
１１  伸び止め材（綿テープ）
１３  スライディングテープ
１４  ゴムテープ
１４ａ，４３  ステッチ
１５，１６  ２枚のベルト生地
１８，５０，６２，７３  受構成体
１９，４９，６３，７４  鉤構成体
２０，５４，１０３，１０４，１２１  凸側のドット釦
２１，５５，１２２  凹側のドット釦
２４  ２つの受部を有する受構成体
２５  ２つの鉤部を有する鉤構成体
２６ａ，３４，９０ｂ  マジックテープ（登録商標）の軟らかい側
２６ｂ，３５，９０ａ  マジックテープ（登録商標）の硬い側
２８  飾りタブ
３０，７０  持ち出し
３１  脇タブ
４０  もう１枚のベルト生地
４１，４２  ２枚のベルト生地
５２  ベルト通し
５３  皮ラベル
５６  金具
５７  もう１つの金具
６６，８８  ２個のＤカン
６７  ピン付きバックル
６９  複数のベルト孔
７５  ２以上の鉤部を有する鉤構成体
７６  ２以上の受部を有する受構成体
７７  複数のベルト孔付きベルト
７８  ピン付きバックル付きベルト
８２  長さ調節機構付きベルト
８３，８６，８７，８９，９１，９３，９８，９９，
１０１，１０２，１１５Ａ，１１５Ｂ  ベルト
８４ａ  嵌合バックルの他方
８４ｂ  嵌合バックルの一方
９２，９５  ピンなしバックル
９７  ピンなし１本線バックル
１０６，１０７  ベルト布（リボン布）
１０９  スライダー
１１０  レール
１１１Ａ，１１１Ｂ  共布ベルト
１１２Ａ，１１２Ｂ  紐
１１７，１１８  鎖
１１８ａ  ナスカン
【図１】
0004223198.tif 000002
【図２】
0004223198.tif 000003
【図３】
0004223198.tif 000004
【図４】
0004223198.tif 000005
【図５】
0004223198.tif 000006
【図６】
0004223198.tif 000007
【図７】
0004223198.tif 000008
【図８】
0004223198.tif 000009
【図９】
0004223198.tif 000010
【図１０】
0004223198.tif 000011
【図１１】
0004223198.tif 000012
【図１２】
0004223198.tif 000013
【図１３】
0004223198.tif 000014
【図１４】
0004223198.tif 000015
【図１５】
0004223198.tif 000016
【図１６】
0004223198.tif 000017
【図１７】
0004223198.tif 000018
【図１８】
0004223198.tif 000019
【図１９】
0004223198.tif 000020
【図２０】
0004223198.tif 000021
【図２１】
0004223198.tif 000022
【図２２】
0004223198.tif 000023
【図２３】
0004223198.tif 000024
【図２４】
0004223198.tif 000025
【図２５】
0004223198.tif 000026
【図２６】
0004223198.tif 000027
【図２７】
0004223198.tif 000028
【図２８】
0004223198.tif 000029
【図２９】
0004223198.tif 000030
【図３０】
0004223198.tif 000031
【図３１】
0004223198.tif 000032
【図３２】
0004223198.tif 000033
【図３３】
0004223198.tif 000034
【図３４】
0004223198.tif 000035
【図３５】
0004223198.tif 000036
【図３６】
0004223198.tif 000037
【図３７】
0004223198.tif 000038
【図３８】
0004223198.tif 000039
【図３９】
0004223198.tif 000040
【図４０】
0004223198.tif 000041
【図４１】
0004223198.tif 000042
【図４２】
0004223198.tif 000043
【図４３】
0004223198.tif 000044
【図４４】
0004223198.tif 000045
【図４５】
0004223198.tif 000046
【図４６】
0004223198.tif 000047
【図４７】
0004223198.tif 000048
【図４８】
0004223198.tif 000049
【図４９】
0004223198.tif 000050
【図５０】
0004223198.tif 000051
【図５１】
0004223198.tif 000052
【図５２】
0004223198.tif 000053